(57)【特許請求の範囲】
【請求項１】
基地局装置と、１つのプライマリセル及び１つ以上のセカンダリセルから構成される複数のセルを用いて通信する移動局装置であって、
前記複数のセルに対して、物理下りリンク制御チャネルの検出処理を行なう受信処理部と、
同一サブフレームにおいて検出された１又は複数の物理下りリンク制御チャネルに含まれる下りリンク制御情報によりリソースの割り当てが示される１又は複数の物理下りリンク共用チャネルのデータに対する受信確認応答を生成する上りリンク制御情報生成部と、
物理上りリンク制御チャネルに対して送信ダイバーシチの適用を制御する制御部と、
前記物理上りリンク制御チャネルを用いて前記受信確認応答を送信する送信処理部と、を有し、
前記送信処理部は、前記物理下りリンク共用チャネルが割り当てられたリソースがプライマリセルのみに存在する場合、ＰＵＣＣＨ  ｆｏｒｍａｔ  １ａ、またはＰＵＣＣＨ  ｆｏｒｍａｔ  １ｂを用い、送信ダイバーシチを適用した前記物理上りリンク制御チャネルを用いて、前記上りリンク制御情報生成部によって生成された受信確認応答を送信し、前記物理下りリンク共用チャネルが割り当てられたリソースが少なくともセカンダリセルに存在する場合、ＰＵＣＣＨ  ｆｏｒｍａｔ  ３を用い、送信ダイバーシチを適用しない前記物理上りリンク制御チャネルを用いて、前記上りリンク制御情報生成部によって生成された受信確認応答を送信することを特徴とする移動局装置。
【請求項２】
前記送信ダイバーシチは、複数の送信アンテナポートを用い、各送信アンテナポート間で周波数領域または符号領域で直交のリソースを用いて同一の受信確認応答から生成された信号を送信することを特徴とする請求項１に記載の移動局装置。
【請求項３】
前記送信ダイバーシチは、複数の送信アンテナポートを用い、各送信アンテナポート間で周波数領域および符号領域で直交のリソースを用いて同一の受信確認応答から生成された信号を送信することを特徴とする請求項１に記載の移動局装置。
【請求項４】
前記送信処理部は、前記第三の状況では検出された前記物理下りリンク制御チャネルに用いられた制御チャネルエレメントと暗黙的に対応付けられたリソースを用いて前記物理上りリンク制御チャネルを送信し、前記第四の状況では少なくとも明示的に示されたリソースを用いて前記物理上りリンク制御チャネルを送信することを特徴とする請求項１に記載の移動局装置。
【請求項５】
複数の移動局装置及び前記複数の移動局装置と通信を行なう基地局装置から構成され、１つのプライマリセル及び１つ以上のセカンダリセルから構成される複数のセルを用いて通信を行なう通信システムであって、
前記基地局装置は、
前記移動局装置に対して信号を送信する送信部と、
前記移動局装置から信号を受信する受信部と、を有し、
前記移動局装置は、
前記複数のセルに対して、物理下りリンク制御チャネルの検出処理を行なう受信処理部と、
同一サブフレームにおいて検出された１又は複数の物理下りリンク制御チャネルに含まれる下りリンク制御情報によりリソースの割り当てが示される１又は複数の物理下りリンク共用チャネルのデータに対する受信確認応答を生成する上りリンク制御情報生成部と、
物理上りリンク制御チャネルに対して送信ダイバーシチの適用を制御する制御部と、
前記物理上りリンク制御チャネルを用いて前記受信確認応答を送信する送信処理部と、を有し、
前記送信処理部は、前記物理下りリンク共用チャネルが割り当てられたリソースがプライマリセルのみに存在する場合、ＰＵＣＣＨ  ｆｏｒｍａｔ  １ａ、またはＰＵＣＣＨ  ｆｏｒｍａｔ  １ｂを用い、送信ダイバーシチを適用した前記物理上りリンク制御チャネルを用いて、前記上りリンク制御情報生成部によって生成された受信確認応答を送信し、前記物理下りリンク共用チャネルが割り当てられたリソースが少なくともセカンダリセルに存在する場合、ＰＵＣＣＨ  ｆｏｒｍａｔ  ３を用い、送信ダイバーシチを適用しない前記物理上りリンク制御チャネルを用いて、前記上りリンク制御情報生成部によって生成された受信確認応答を送信することを特徴とする通信システム。
【請求項６】
基地局装置と、１つのプライマリセル及び１つ以上のセカンダリセルから構成される複数のセルを用いて通信する移動局装置に用いられる通信方法であって、
前記複数のセルに対して、物理下りリンク制御チャネルの検出処理を行なうステップと、
同一サブフレームにおいて検出された１又は複数の物理下りリンク制御チャネルに含まれる下りリンク制御情報によりリソースの割り当てが示される１又は複数の物理下りリンク共用チャネルのデータに対する受信確認応答を生成するステップと、
物理上りリンク制御チャネルに対して送信ダイバーシチの適用を制御するステップと、
前記物理下りリンク共用チャネルが割り当てられたリソースがプライマリセルのみに存在する場合、ＰＵＣＣＨ  ｆｏｒｍａｔ  １ａ、またはＰＵＣＣＨ  ｆｏｒｍａｔ  １ｂを用い、送信ダイバーシチを適用した前記物理上りリンク制御チャネルを用いて、前記上りリンク制御情報生成部によって生成された受信確認応答を送信し、前記物理下りリンク共用チャネルが割り当てられたリソースが少なくともセカンダリセルに存在する場合、ＰＵＣＣＨ  ｆｏｒｍａｔ  ３を用い、送信ダイバーシチを適用しない前記物理上りリンク制御チャネルを用いて、前記上りリンク制御情報生成部によって生成された受信確認応答を送信するステップと、を有することを特徴とする通信方法。
【請求項７】
基地局装置と１つのプライマリセル及び１つ以上のセカンダリセルから構成される複数のセルを用いて通信する移動局装置に実装される集積回路であって、
前記複数のセルに対して、物理下りリンク制御チャネルの検出処理を行なう受信処理部と、
同一サブフレームにおいて検出された１つまたは複数の物理下りリンク制御チャネルに含まれる下りリンク制御情報でリソースの割り当てが示される１つまたは複数の物理下りリンク共用チャネルのデータに対する受信確認応答を生成する上りリンク制御情報生成部と、
物理上りリンク制御チャネルに対して送信ダイバーシチの適用を制御する制御部と、
前記物理上りリンク制御チャネルを用いて前記受信確認応答を送信する送信処理部と、を有し、
前記送信処理部は、前記物理下りリンク共用チャネルが割り当てられたリソースがプライマリセルのみに存在する場合、ＰＵＣＣＨ  ｆｏｒｍａｔ  １ａ、またはＰＵＣＣＨ  ｆｏｒｍａｔ  １ｂを用い、送信ダイバーシチを適用した前記物理上りリンク制御チャネルを用いて、前記上りリンク制御情報生成部によって生成された受信確認応答を送信し、前記物理下りリンク共用チャネルが割り当てられたリソースが少なくともセカンダリセルに存在する場合、ＰＵＣＣＨ  ｆｏｒｍａｔ  ３を用い、送信ダイバーシチを適用しない前記物理上りリンク制御チャネルを用いて、前記上りリンク制御情報生成部によって生成された受信確認応答を送信することを特徴とする集積回路。
【発明の詳細な説明】
【技術分野】
【０００１】
本発明は、複数の移動局装置と基地局装置から構成される通信システムにおいて、上りリンクの信号の送信方法を制御し、移動局装置が基地局装置に適した信号を送信することができる基地局装置および通信方法に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性を実現することが求められている。ＬＴＥ−Ａに対応した基地局装置が、ＬＴＥ−Ａに対応した移動局装置およびＬＴＥに対応した移動局装置の両方の移動局装置と同時に通信を行うこと、およびＬＴＥ−Ａに対応した移動局装置が、ＬＴＥ−Ａに対応した基地局装置およびＬＴＥに対応した基地局装置と通信を行なうことを実現することがＬＴＥ−Ａに対して要求される。その要求を実現するためにＬＴＥ−ＡではＬＴＥと同一のチャネル構造を少なくともサポートすることが検討されている。チャネルとは、信号の送信に用いられる媒体を意味し、チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、上りリンクの制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各チャネルに配置して、送信する。
【０００４】
物理上りリンク制御チャネルに配置される制御情報は、上りリンク制御情報（Uplink Control Information: UCI）と呼称される。上りリンク制御情報は、受信された物理下りリンク共用チャネルに配置されたデータに対する肯定応答（Acknowledgement: ACK）または否定応答（Negative Acknowledgement: NACK）を示す制御情報（ACK/NACK）、または上りリンクのリソースの割り当ての要求を示す制御情報（Scheduling Request: SR）、または下りリンクの受信品質（チャネル品質とも呼称される）を示す制御情報（Channel Quality Indicator: CQI）である。
【０００５】
ＬＴＥ−Ａでは、ＬＴＥと同一のチャネル構造の周波数帯域（以下、「コンポーネントキャリア（Component Carrier: CC）」と呼称する。要素周波数帯域とも呼称する。）を複数用いて、１つの周波数帯域（広帯域な周波数帯域）として使用する技術（周波数帯域集約; Spectrum aggregation、キャリアアグリゲーション; Carrier aggregation、Frequency aggregation等とも呼称する。）が検討されている。具体的には、キャリアアグリゲーションを用いた通信では、下りリンクのＣＣ（以降、下りリンクコンポーネントキャリア; DL CCと呼称する。）毎に、下りリンクのチャネルが送受信され、上りリンクのＣＣ（以降、上りリンクコンポーネントキャリア; UL CCと呼称する。）毎に上りリンクのチャネルが送受信される。つまり、キャリアアグリゲーションは、上りリンクと下りリンクにおいて、基地局装置と移動局装置が複数のコンポーネントキャリアを用いて複数のチャネルで信号を同時に送受信する技術である。
【０００６】
ＬＴＥ−Ａでは、基地局装置が任意の１つの周波数帯域を用いて通信する形態のことを「セル（Cell）」と呼称する。キャリアアグリゲーションは、複数の周波数帯域を用いた複数のセルによる通信であり、セルアグリゲーション（Cell aggregation）とも呼称する。セルアグリゲーションでは、複数のセルが異なる２種類のセルとして定義され、１つのセルがプライマリセル（Primary Cell, Pcell）と定義され、その他のセルがセカンダリセル（Secondary Cell, Scell）と定義される。基地局装置は、プライマリセルとセカンダリセルの設定をセルアグリゲーションを用いる各移動局装置に対して独立に行う。プライマリセルは、必ず１つの下りリンクコンポーネントキャリアと１つの上りリンクコンポーネントキャリアのセットから構成される。セカンダリセルは、少なくとも１つの下りリンクコンポーネントキャリアから構成され、上りリンクコンポーネントキャリアが構成される場合と構成されない場合がある。プライマリセルで用いられるコンポーネントキャリアのことを、プライマリコンポーネントキャリア（Primary CC, PCC）と呼称する。セカンダリセルで用いられるコンポーネントキャリアのことを、セカンダリコンポーネントキャリア（Secondary CC, SCC）と呼称する。プライマリセルおよびセカンダリセルにおいて、物理下りリンク共用チャネルおよび物理上りリンク共用チャネルを用いたデータ通信は共通して行なわれるが、その他の各種処理が異なって行われる。簡単に説明すると、複数の処理がプライマリセルのみで行われ、セカンダリセルでは行われない。例えば、プライマリセルでは、下りリンクにおいてシステム情報の取得、無線品質不足（RLF: Radio Link Failure）の判断などが行われ、上りリンクにおいて物理ランダムアクセスチャネルを用いたランダムアクセス手順の実行、物理上りリンク制御チャネルを用いた上りリンク制御情報の送受信などが行われる。基本的に、セルアグリゲーションを用いないＬＴＥで行われる処理の全てがプライマリセルで行われ、データ通信以外の複数の処理がセカンダリセルでは行われない。
【０００７】
移動局装置は、物理下りリンク共用チャネルを用いて受信されたデータに対する肯定応答または否定応答を示す受信確認応答（ACK/NACK）を物理上りリンク制御チャネルを用いて送信する。基地局装置は、移動局装置から受信した受信確認応答に基づいて物理下りリンク共用チャネルの再送制御を行なう。セルアグリゲーションを用いたＬＴＥ−Ａでは、基地局装置は移動局装置に対して同時に複数の物理下りリンク共用チャネルを用いてデータを送信することができる。セルアグリゲーションを用いて複数の物理下りリンク共用チャネルを受信する移動局装置は、プライマリセルの物理上りリンク制御チャネル用のリソースを用いて複数の受信確認応答を基地局装置に同時に通知する必要がある。ＬＴＥでは、基地局装置は移動局装置に対して同時に１個の物理下りリンク共用チャネルのみを用いてしかデータを送信することはできず、１個の物理下りリンク共用チャネルを受信した移動局装置は１個の受信確認応答を物理上りリンク制御チャネルを用いて基地局装置に通知する。ＬＴＥ−Ａでは、移動局装置が複数の受信確認応答を基地局装置に送信するために、新たな送信方法、信号構成の物理上りリンク制御チャネルの導入が検討されている（非特許文献１）。複数の物理上りリンク制御チャネルを用いて、複数の受信確認応答の情報に応じて信号の送信に用いる物理上りリンク制御チャネルの選択を行なうことにより暗黙的に受信確認応答の情報を示すと共に、選択した物理上りリンク制御チャネルで変調した信号を送信することにより明示的に受信確認応答の情報を示すことを併用した送信方法（ACK/NACK channel selection）が新たな送信方法として検討されている。新たな信号構成として、ＤＦＴ−Ｓｐｒｅａｄ−ＯＦＤＭ方式を用いた物理上りリンク制御チャネルが検討されている。
【０００８】
ＬＴＥでは、受信確認応答の送信に用いられる物理上りリンク制御チャネルのリソースの割り当ては、物理下りリンク制御チャネルに用いられるリソースに基づいて暗黙的に行われる。暗黙的なリソース割り当てとは、リソースを割り当てるためだけの情報を用いず、その他の情報を流用してリソースの割り当てが行なわれることを意味する。一方、明示的なリソース割り当てとは、リソースを割り当てるためだけの情報が用いられて、リソースの割り当てが行なわれることを意味する。物理下りリンク制御チャネルは、複数の制御チャネルエレメント（CCE: Control Channel Element）により構成される。受信確認応答の送信に用いられる物理上りリンク制御チャネルのリソースは物理下りリンク制御チャネルに用いられるリソースである、制御チャネルエレメントと予め対応付けられる。基地局装置と移動局装置間で用いられるＣＣＥには、ＣＣＥを識別するための番号が付与されている。ＣＣＥの番号付けは、予め決められた規則に基づいて行なわれる。
【０００９】
物理下りリンク制御チャネルは、複数のＣＣＥからなる集合（CCE Aggregation）により構成される。この集合を構成するＣＣＥの数を、以下、「ＣＣＥ集合数」（CCE aggregation number）と称す。物理下りリンク制御チャネルを構成するＣＣＥ  ａｇｇｒｅｇａｔｉｏｎ  ｎｕｍｂｅｒは、物理下りリンク制御チャネルに設定される符号化率、物理下りリンク制御チャネルに含められる制御情報のビット数に応じて基地局装置において設定される。例えば、基地局装置は、１個のＣＣＥにより物理下りリンク制御チャネルを構成したり、２個のＣＣＥにより物理下りリンク制御チャネルを構成したり、４個のＣＣＥにより物理下りリンク制御チャネルを構成したり、８個のＣＣＥにより物理下りリンク制御チャネルを構成したりする。例えば、基地局装置はチャネル品質の良い移動局装置に対してはＣＣＥの数が少ない物理下りリンク制御チャネルを用い、チャネル品質の悪い移動局装置に対しては数が多い物理下りリンク制御チャネルを用いる。また、例えば、基地局装置はビット数の少ない制御情報を送信する場合、ＣＣＥの数が少ない物理下りリンク制御チャネルを用い、ビット数の多い制御情報を送信する場合、ＣＣＥの数が多い物理下りリンク制御チャネルを用いる。
【００１０】
受信確認応答の送信に用いられる物理上りリンク制御チャネルは、物理リソースブロック、周波数領域の符号、時間領域の符号の三次元のリソースにより構成される。通信システムで用いられる受信確認応答の送信に用いられる物理上りリンク制御チャネルの各リソースの組み合わせに対して、予め決められた規則に基づいて各リソースの組み合わせを識別するための番号が付与されている。
【００１１】
ＣＣＥの番号と受信確認応答の送信に用いられる物理上りリンク制御チャネルのリソースの番号が予め対応付けられ、同じ番号のＣＣＥと物理上りリンク制御チャネルのリソースが対応付けられる。移動局装置は、自装置宛ての制御情報を検出した物理下りリンク制御チャネルに用いられるＣＣＥの中で最も番号の小さいＣＣＥと対応する番号の物理上りリンク制御チャネルのリソースを用いて、その物理下りリンク制御チャネルによってリソースの割り当てが示される物理下りリンク共用チャネルのデータに対する受信確認応答を送信する。基地局装置は、ＣＣＥの番号と受信確認応答の送信に用いられる物理上りリンク制御チャネルのリソースの番号との対応付けを移動局装置と同様に認識しており、移動局装置に割り当てる物理上りリンク制御チャネルのリソースを考慮して物理下りリンク制御チャネルに用いるＣＣＥを割り当てる。つまり、移動局装置は、自装置宛ての制御情報を検出した物理下りリンク制御チャネルに用いられるＣＣＥに基づき、自装置に割り当てられた受信確認応答の送信に用いられる物理上りリンク制御チャネルのリソースを認識する。
【００１２】
セルアグリゲーションを用いたＬＴＥ−Ａでは、受信確認応答に関して、新たな送信方法、信号構成の物理上りリンク制御チャネルのリソースの割り当て方法について検討が行われている（非特許文献２）。先ず、ＡＣＫ／ＮＡＣＫ  ｃｈａｎｎｅｌ  ｓｅｌｅｃｔｉｏｎを用いて受信確認応答を送信する場合の、物理上りリンク制御チャネルのリソースの割り当てについて説明する。プライマリセルで物理下りリンク制御チャネルが送信される場合、ＬＴＥと同様に、物理下りリンク制御チャネルのＣＣＥと対応付けられた物理上りリンク制御チャネルのリソースが暗黙的に移動局装置に割り当てられる。プライマリセルで物理下りリンク制御チャネルが送信される場合、その物理下りリンク制御チャネルにリソースの割り当ての情報が含まれる物理下りリンク共用チャネルは、プライマリセル、またはセカンダリセルで送信される。セカンダリセルで物理下りリンク制御チャネルが送信される場合、ＬＴＥとは異なり、所定のシグナリングを用いて物理上りリンク制御チャネルのリソースが明示的に移動局装置に割り当てられる。所定のシグナリングとして、ＲＲＣ（Radio Resource Control）シグナリングを用いて物理上りリンク制御チャネルのリソースが明示的に割り当てられる方法と、物理下りリンク制御チャネルの制御情報を用いて物理上りリンク制御チャネルのリソースが明示的に割り当てられる方法が検討されている。ＲＲＣシグナリングを用いて物理上りリンク制御チャネルのリソースが明示的に割り当てられる方法では、セルアグリゲーションを用いたデータ通信を開始する前に、予め物理上りリンク制御チャネルのリソースが移動局装置に対して割り当てられており、移動局装置はセカンダリセルで物理下りリンク制御チャネルを検出した場合、言い換えるとセカンダリセルで物理下りリンク制御チャネルが送信されたと認識した場合、暗黙的に受信確認応答の情報を示すために行う物理上りリンク制御チャネルの選択に用いるリソースとして、ＲＲＣシグナリングで予め割り当てられた物理上りリンク制御チャネルのリソースを用いる。物理下りリンク制御チャネルの制御情報を用いて物理上りリンク制御チャネルのリソースが明示的に割り当てられる方法では、移動局装置はセカンダリセルで物理下りリンク制御チャネルを検出した場合、暗黙的に受信確認応答の情報を示すために行う物理上りリンク制御チャネルの選択に用いるリソースとして、検出した物理下りリンク制御チャネルの制御情報で示される物理上りリンク制御チャネルのリソースを用いる。なお、物理下りリンク制御チャネルの制御情報で物理上りリンク制御チャネルのリソースが明示的に割り当てられる方法では、ＲＲＣシグナリングで物理上りリンク制御チャネルの複数のリソースの候補が予め移動局装置に対して割り当てられ、物理下りリンク制御チャネルの制御情報を用いてＲＲＣシグナリングで設定された複数のリソースの候補の１つが示される。
【００１３】
なお、物理下りリンク制御チャネルの物理上りリンク制御チャネルのリソースを示す制御情報は、通常はその他の目的に使用される制御情報が流用されてもよい。ここで、制御情報が流用されるということは、制御情報フィールドが第一の場合は第一の制御情報として解釈され、第二の場合は第二の制御情報として解釈され、第一の場合と第二の場合は異なり、第一の制御情報と第二の制御情報は異なるということである。例えば、物理下りリンク制御チャネルがプライマリセルで送信される場合は、物理上りリンク制御チャネルの送信電力制御値を示す制御情報として解釈される制御情報フィールドが、物理下りリンク制御チャネルがセカンダリセルで送信される場合は、暗黙的に受信確認応答の情報を示すために行う物理上りリンク制御チャネルの選択に用いるリソースを示す制御情報として解釈されてもよい。
【００１４】
次に、ＤＦＴ−Ｓｐｒｅａｄ−ＯＦＤＭ方式を用いた物理上りリンク制御チャネルのリソースの割り当てについて説明する。少なくともセカンダリセルで物理下りリンク共用チャネルが送信される場合、ＬＴＥとは異なり、所定のシグナリングを用いて物理上りリンク制御チャネルのリソースが明示的に移動局装置に割り当てられる。所定のシグナリングとして、物理下りリンク制御チャネルの制御情報を用いて物理上りリンク制御チャネルのリソースが明示的に割り当てられる方法が、ＡＣＫ／ＮＡＣＫ  ｃｈａｎｎｅｌ  ｓｅｌｅｃｔｉｏｎを用いて受信確認応答を送信する場合と同様に検討されている。プライマリセルでのみ物理下りリンク共用チャネルが送信される場合、ＬＴＥと同様に、物理下りリンク制御チャネルのＣＣＥと対応付けられた物理上りリンク制御チャネルのリソースが暗黙的に移動局装置に割り当てられる方法と、ＬＴＥとは異なり、所定のシグナリングを用いて物理上りリンク制御チャネルのリソースが明示的に移動局装置に割り当てられる方法が検討されている。なお、プライマリセルでのみ物理下りリンク共用チャネルが送信される場合に物理下りリンク制御チャネルのＣＣＥと対応付けられた物理上りリンク制御チャネルのリソースが暗黙的に移動局装置に割り当てられる方法が用いられる場合、物理上りリンク制御チャネルの信号構成はＤＦＴ−Ｓｐｒｅａｄ−ＯＦＤＭ方式を用いたものではなく、ＬＴＥと同様の信号構成の物理上りリンク制御チャネルが用いられる。なお、プライマリセルで送信される物理下りリンク共用チャネルのリソースの割り当ての情報を含む物理下りリンク制御チャネルはプライマリセルでのみ送信され、セカンダリセルで送信される物理下りリンク共用チャネルのリソースの割り当ての情報を含む物理下りリンク制御チャネルはプライマリセル、またはセカンダリセルで送信される。
【００１５】
また、ＬＴＥ−Ａでは、移動局装置が複数の送信アンテナを用いて信号を送信し、ＬＴＥよりさらに高速なデータの通信、または信号の誤り品質の向上を上りリンクで実現することが検討されている。ＬＴＥ−Ａでは、物理上りリンク制御チャネルに対して複数の送信アンテナを用いたダイバーシチ送信（送信ダイバーシチとも呼称する。）の適用が検討されている（非特許文献３）。例えば、移動局装置が用いるダイバーシチ送信の方法として、移動局装置が上りリンクの制御情報を変調し、変調した信号に対して異なる直交符号を乗算した信号を複数生成し、直交符号を乗算した信号をそれぞれ異なる送信アンテナで送信する方法、変調した信号に対して異なる値のサイクリックシフトを適用した符号系列を乗算した信号を複数生成し、符号系列を乗算した信号をそれぞれ異なる送信アンテナで送信する方法、変調した信号を複数生成し、異なる時間・周波数リソースに配置した信号をそれぞれ異なる送信アンテナで送信する方法などが検討されている。ＬＴＥで受信確認応答の送信に用いられる物理上りリンク制御チャネル、言い換えるとＬＴＥ−ＡでＡＣＫ／ＮＡＣＫ  ｃｈａｎｎｅｌ  ｓｅｌｅｃｔｉｏｎを用いた送信方法ではなく、ＤＦＴ−Ｓｐｒｅａｄ−ＯＦＤＭ方式を用いた信号構成でもない物理上りリンク制御チャネルに対して送信ダイバーシチに用いるリソースの割り当て方法として、物理下りリンク制御チャネルを構成する１つ以上のＣＣＥの中で番号が最も小さいＣＣＥと対応する物理上りリンク制御チャネルのリソースが第一の送信アンテナ用に割り当てられ、その物理上りリンク制御チャネルのリソースに対して番号が次のリソースが第二の送信アンテナ用に割り当てられる方法が検討されている（非特許文献４）。言い換えると、上記の方法では、第一の送信アンテナ用に割り当てられる物理上りリンク制御チャネルのリソースに対して番号が次のリソースが第二の送信アンテナ用に割り当てられる。
【先行技術文献】
【非特許文献】
【００１６】
【非特許文献１】3GPP TSG RAN1 #62、Madrid、Spain、23-27、August、2010、R1-105016“PUCCH A/N formats for Rel-10”
【非特許文献２】3GPP TSG RAN1 #62、Madrid、Spain、23-27、August、2010、R1-105040“Way Forward on PUCCH Resource Allocation”
【非特許文献３】3GPP TSG RAN1 #58、Shenzhen、China、24-28、August、2009、R1-093704“Way Forward for PUCCH Transmit Diversity Scheme”
【非特許文献４】3GPP TSG RAN1 #62、Madrid、Spain、23-27、August、2010、R1-104760“Resource Allocation for SORTD”
【発明の概要】
【発明が解決しようとする課題】
【００１７】
ＡＣＫ／ＮＡＣＫ  ｃｈａｎｎｅｌ  ｓｅｌｅｃｔｉｏｎを用いて受信確認応答を送信するように設定された移動局装置においても、第一の送信アンテナ用に割り当てられる物理上りリンク制御チャネルのリソースに対して番号が次のリソースが第二の送信アンテナ用に割り当てられるリソース割り当て方法を用いて物理上りリンク制御チャネルに対して送信ダイバーシチを適用すると、多くの物理上りリンク制御チャネルのリソースを移動局装置に対して予約しておく必要があり、オーバヘッドの増大を招いてしまうという問題があった。オーバヘッドの増大についての問題をより詳細に説明する。ＡＣＫ／ＮＡＣＫ  ｃｈａｎｎｅｌ  ｓｅｌｅｃｔｉｏｎを用いて受信確認応答を送信するように設定された移動局装置に対しては、セカンダリセルで物理下りリンク制御チャネルが送信された場合に用いられる物理上りリンク制御チャネルのリソース、または物理上りリンク制御チャネルのリソースの候補を予め移動局装置に対して予約しておく必要がある。移動局装置に対して送信ダイバーシチが適用される場合、送信ダイバーシチが適用されない場合と比較して２倍の物理上りリンク制御チャネルのリソース、または物理上りリンク制御チャネルのリソースの候補を予約しておく必要があり、オーバヘッドの増大を招いてしまうという問題があった。端的に言うと、物理上りリンク制御チャネルの明示的なリソース割り当てのために、多くの物理上りリンク制御チャネル用のリソースを予約しておく必要があり、オーバヘッドの増大を招いてしまうという問題があった。ＤＦＴ−Ｓｐｒｅａｄ−ＯＦＤＭ方式を用いた物理上りリンク制御チャネルを用いて受信確認応答を送信するように移動局装置において設定される場合においても、同様に、オーバヘッドの増大を招いてしまうという問題があった。
【００１８】
本発明は上記の点に鑑みてなされたものであり、複数の送信アンテナによる送信ダイバーシチを用いた通信システムにおいて、上りリンクの信号の送信方法を制御し、制御情報のオーバヘッドの増大を回避しつつ、移動局装置が効率良く上りリンクの制御情報を送信することができる基地局装置および通信方法を提供することを目的とする。
【課題を解決するための手段】
【００１９】
（１）上記の目的を達成するために、本発明は、以下のような手段を講じた。すなわち、本発明の移動局装置は、基地局装置と同時に複数のセルを用いて通信する移動局装置であって、複数のセルで物理下りリンク制御チャネルの検出処理を行なう受信処理部と、同一サブフレームにおいて前記受信処理部で検出された１つまたは複数の物理下りリンク制御チャネルに含まれる下りリンク制御情報でリソースの割り当てが示される１つまたは複数の物理下りリンク共用チャネルのデータに対する受信確認応答を生成する上りリンク制御情報生成部と、前記受信処理部で前記物理下りリンク制御チャネルが検出されたセルの状況に応じて物理上りリンク制御チャネルに対して送信ダイバーシチの適用を制御する制御部と、前記上りリンク制御情報生成部で生成された前記受信確認応答を前記制御部の制御結果に応じて前記物理上りリンク制御チャネル用いて送信する送信処理部と、を有することを特徴とする。
【００２０】
このように、ＰＤＣＣＨが検出されたセルの状況に応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００２１】
（２）また、本発明の移動局装置において、前記送信ダイバーシチは、複数の送信アンテナポートを用い、各送信アンテナポート間で周波数領域および／または符号領域で直交のリソースを用いて同一の受信確認応答から生成された信号を送信する方法であることを特徴とする。
【００２２】
このように、複数の送信アンテナポートを用い、各送信アンテナポート間で周波数領域および／または符号領域で直交のリソースを用いて同一のＡＣＫ／ＮＡＣＫから生成された信号を送信する送信ダイバーシチを用い、ＰＤＣＣＨが検出されたセルの状況に応じてＡＣＫ／ＮＡＣＫの送信に用いられるＰＵＣＣＨに対して送信ダイバーシチの適用を制御することにより、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００２３】
（３）また、本発明の移動局装置において、前記複数のセルは、１つのプライマリセルと、１つ以上のセカンダリセルから構成され、前記セルの状況は、少なくとも２つの異なる第一の状況と第二の状況からなり、第一の状況は前記物理下りリンク制御チャネルが検出されたセルがプライマリセルのみである状況であり、第二の状況は前記物理下りリンク制御チャネルが検出されたセルの１つが少なくともセカンダリセルである状況であることを特徴とする。
【００２４】
このように、ＰＤＣＣＨが検出されたセルがプライマリセルのみである状況である第一の状況と、ＰＤＣＣＨが検出されたセルの１つが少なくともセカンダリセルである状況である第二の状況とに応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００２５】
（４）また、本発明の移動局装置において、前記制御部は、前記第一の状況では物理上りリンク制御チャネルに対して送信ダイバーシチを適用するように制御し、前記第二の状況では物理上りリンク制御チャネルに対して送信ダイバーシチを適用しないように制御することを特徴とする。
【００２６】
このように、ＰＤＣＣＨが検出されたセルがプライマリセルのみである状況である第一の状況と、ＰＤＣＣＨが検出されたセルの１つが少なくともセカンダリセルである状況である第二の状況とに応じてＡＣＫ／ＮＡＣＫの送信に用いられるＰＵＣＣＨに対して送信ダイバーシチの適用を制御し、第一の状況ではＰＵＣＣＨに対して送信ダイバーシチを適用するように制御し、第二の状況ではＰＵＣＣＨに対して送信ダイバーシチを適用しないように制御することにより、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００２７】
（５）また、本発明の移動局装置において、前記送信処理部は、前記第一の状況では検出された物理下りリンク制御チャネルに用いられた制御チャネルエレメントと暗黙的に対応付けられたリソースを用いて前記物理上りリンク制御チャネルを送信し、前記第二の状況では少なくとも明示的に示されたリソースを用いて前記物理上りリンク制御チャネルを送信することを特徴とする。
【００２８】
このように、ＰＤＣＣＨが検出されたセルがプライマリセルのみである状況である第一の状況と、ＰＤＣＣＨが検出されたセルの１つが少なくともセカンダリセルである状況である第二の状況とに応じてＡＣＫ／ＮＡＣＫの送信に用いられるＰＵＣＣＨに対して送信ダイバーシチの適用を制御し、第一の状況ではＰＵＣＣＨに対して送信ダイバーシチを適用するように制御し、第二の状況ではＰＵＣＣＨに対して送信ダイバーシチを適用しないように制御し、第一の状況では暗黙的に割り当てられるリソースを用いてＰＵＣＣＨを送信し、第二の状況では明示的に割り当てられるリソースを用いてＰＵＣＣＨを送信することにより、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００２９】
また、本発明の通信システムは、複数の移動局装置および前記複数の移動局装置と通信を行なう基地局装置から構成され、同時に複数のセルを用いて通信を行なう通信システムであって、前記基地局装置は、前記移動局装置に対して信号を送信する送信部と、前記移動局装置から信号を受信する受信部と、を有し、前記移動局装置は、複数のセルで物理下りリンク制御チャネルの検出処理を行なう受信処理部と、同一サブフレームにおいて前記受信処理部で検出された１つまたは複数の物理下りリンク制御チャネルに含まれる下りリンク制御情報でリソースの割り当てが示される１つまたは複数の物理下りリンク共用チャネルのデータに対する受信確認応答を生成する上りリンク制御情報生成部と、前記受信処理部で前記物理下りリンク制御チャネルが検出されたセルの状況に応じて物理上りリンク制御チャネルに対して送信ダイバーシチの適用を制御する制御部と、前記上りリンク制御情報生成部で生成された前記受信確認応答を前記制御部の制御結果に応じて前記物理上りリンク制御チャネル用いて送信する送信処理部と、を有することを特徴とする。
【００３０】
このように、ＰＤＣＣＨが検出されたセルの状況に応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００３１】
また、本発明の通信方法は、基地局装置と同時に複数のセルを用いて通信する移動局装置に用いられる通信方法であって、複数のセルで物理下りリンク制御チャネルの検出処理を行なうステップと、同一サブフレームにおいて検出された１つまたは複数の物理下りリンク制御チャネルに含まれる下りリンク制御情報でリソースの割り当てが示される１つまたは複数の物理下りリンク共用チャネルのデータに対する受信確認応答を生成するステップと、前記物理下りリンク制御チャネルが検出されたセルの状況に応じて物理上りリンク制御チャネルに対して送信ダイバーシチの適用を制御するステップと、生成された前記受信確認応答を送信ダイバーシチの適用の制御結果に応じて前記物理上りリンク制御チャネル用いて送信するステップと、を少なくとも含むことを特徴とする。
【００３２】
このように、ＰＤＣＣＨが検出されたセルの状況に応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【００３３】
また、本発明の集積回路は、移動局装置に実装されることにより、前記移動局装置に複数の機能を発揮させる集積回路であって、基地局装置と同時に複数のセルを用いて通信する機能と、複数のセルで物理下りリンク制御チャネルの検出処理を行なう機能と、同一サブフレームにおいて検出された１つまたは複数の物理下りリンク制御チャネルに含まれる下りリンク制御情報でリソースの割り当てが示される１つまたは複数の物理下りリンク共用チャネルのデータに対する受信確認応答を生成する機能と、前記物理下りリンク制御チャネルが検出されたセルの状況に応じて物理上りリンク制御チャネルに対して送信ダイバーシチの適用を制御する機能と、生成された前記受信確認応答を送信ダイバーシチの適用の制御結果に応じて前記物理上りリンク制御チャネル用いて送信する機能と、を含む一連の機能を、前記移動局装置に発揮させることを特徴とする。
【００３４】
このように、ＰＤＣＣＨが検出されたセルの状況に応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置に対して予約しておく必要がなくなり、オーバヘッドの増大を回避することができつつ、出来る限り送信ダイバーシチを適用して、ＰＵＣＣＨの信号を送信することができる。
【発明の効果】
【００３５】
この発明によれば、制御情報のオーバヘッドの増大を回避しつつ、移動局装置が基地局装置に受信確認応答を効率良く送信することができる。
【図面の簡単な説明】
【００３６】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５の制御部４０５のＰＵＣＣＨに対する送信ダイバーシチの適用の制御に関する処理の一例を示すフローチャートである。
【図８】本発明の実施形態に係る移動局装置５の制御部４０５のＰＵＣＣＨに対する送信ダイバーシチの適用の制御に関する処理の一例を示すフローチャートである。
【図９】本発明の実施形態に係る通信システムの全体像についての概略を説明する図である。
【図１０】本発明の実施形態に係る基地局装置３から移動局装置５への下りリンクの無線フレームの概略構成を示す図である。
【図１１】本発明の実施形態に係る移動局装置５から基地局装置３への上りリンクの無線フレームの概略構成を示す図である。
【図１２】本発明の実施形態に係る通信システムのＰＤＣＣＨとＣＣＥの論理的な関係を説明する図である。
【図１３】本発明の実施形態に係る通信システムの下りリンク無線フレームにおけるリソースエレメントグループの配置例を示す図である。
【図１４】本発明の実施形態に係る通信システムのＡＣＫ／ＮＡＣＫ用の第一のＰＵＣＣＨのリソースの構成と番号を示す図である。
【図１５】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【図１６】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【図１７】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【図１８】本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。
【発明を実施するための形態】
【００３７】
以下、図面を参照しながら本発明の実施形態について詳しく説明する。まず、図９〜図１８を用いて、本実施形態に係る通信システムの全体像、および無線フレームの構成などについて説明する。次に、図１〜図６を用いて、本実施形態に係る通信システムの構成について説明する。次に、図７〜図８を用いて、本実施形態に係る通信システムの動作処理について説明する。
【００３８】
＜通信システムの全体像＞
図９は、本発明の実施形態に係る通信システムの全体像についての概略を説明する図である。この図が示す通信システム１は、基地局装置（eNodeB、NodeBとも呼称する。）３と、複数の移動局装置（UE: User Equipmentとも呼称する。）５Ａ、５Ｂ、５Ｃとが通信を行なう。また、この図は、基地局装置３から移動局装置５Ａ、５Ｂ、５Ｃへの通信方向である下りリンク（DL: Downlinkとも呼称する。）が、下りリンクパイロットチャネル、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成されることを示す。また、この図は、移動局装置５Ａ、５Ｂ、５Ｃから基地局装置３への通信方向である上りリンク（UL: Uplinkとも呼称する。）が、物理上りリンク共用チャネル（PUSCH: PhysicalUplink Shared CHannelとも呼称する。）、上りリンクパイロットチャネル、および物理上りリンク制御チャネル（PUCCH: Physical Uplink Control CHannelとも呼称する。）を含んで構成されることを示す。チャネルとは、信号の送信に用いられる媒体を意味する。ＰＤＳＣＨは、下りリンクのデータおよび制御情報の送受信に用いられるチャネルである。ＰＤＣＣＨは、下りリンクの制御情報の送受信に用いられるチャネルである。ＰＵＳＣＨは、上りリンクのデータおよび制御情報の送受信に用いられるチャネルである。ＰＵＣＣＨは、上りリンクの制御情報（上りリンク制御情報; Uplink Control Information: UCI）の送受信に用いられるチャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が存在する。なお、ＰＵＳＣＨは、ＵＣＩの送受信にも用いられる。その他のチャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等が用いられる。また、ＰＤＳＣＨは下りリンクのシステム情報の送信にも用いられる。また、基地局装置３が管轄するエリアのことをセル（Cell）と呼ぶ。以下、本実施形態において、移動局装置５Ａ、５Ｂ、５Ｃを移動局装置５と呼び、説明を行なう。
【００３９】
＜キャリアアグリゲーション／セルアグリゲーション＞
本発明の実施形態に係る通信システムでは、予め定められた周波数帯域幅の周波数帯域を複数用いて通信を行なう（周波数帯域集約；Spectrum aggregation、キャリアアグリゲーション; Carrier aggregation、Frequency aggregation等とも呼称する。）。ここで、１個の周波数帯域をコンポーネントキャリア（Component Carrier: CC）と呼称する。具体的には、キャリアアグリゲーションを用いた通信では、下りリンクのCC（下りリンクコンポーネントキャリア; DL CCと呼称する。）毎に、下りリンクのチャネルが送受信され、上りリンクのCC（上りリンクコンポーネントキャリア; UL CCと呼称する。）毎に上りリンクのチャネルが送受信される。つまり、キャリアアグリゲーションを用いた本発明の実施形態に係る通信システムは、上りリンクと下りリンクにおいて、基地局装置３と複数の移動局装置５が複数のＣＣを用いて複数のチャネルで信号を同時に送受信する。
【００４０】
基地局装置は、１つのセルで任意の１つの周波数帯域を用いて通信する。キャリアアグリゲーションは、複数の周波数帯域を用いた複数のセルによる通信であり、セルアグリゲーション（Cell aggregation）とも呼称する。セルアグリゲーションでは、１つのセルがプライマリセル（Primary Cell, Pcell）と定義され、残りのセルがセカンダリセル（Secondary Cell, Scell）と定義される。プライマリセルとセカンダリセルの設定は、移動局装置毎に独立に行われる。プライマリセルは、必ず１つの下りリンクコンポーネントキャリアと１つの上りリンクコンポーネントキャリアのセットから構成される。セカンダリセルは、少なくとも１つの下りリンクコンポーネントキャリアから構成され、上りリンクコンポーネントキャリアが構成されてもよいし、構成されなくてもよい。なお、説明の簡略化のため、本実施形態では、１つのセカンダリセルが１つの下りリンクコンポーネントキャリアと１つの上りリンクコンポーネントキャリアのセットから構成されることを想定した説明を行なう。プライマリセルで用いられるコンポーネントキャリアのことを、プライマリコンポーネントキャリア（Primary CC, PCC）と呼称する。セカンダリセルで用いられるコンポーネントキャリアのことを、セカンダリコンポーネントキャリア（Secondary CC, SCC）と呼称する。プライマリセルおよびセカンダリセルにおいて、ＰＤＳＣＨおよびＰＵＳＣＨを用いたデータ通信は共通して行なわれるが、その他の各種処理が異なって行われる。簡単に説明すると、複数の処理がプライマリセルのみで行われ、セカンダリセルでは行われない。例えば、プライマリセルでは、下りリンクにおいてシステム情報（SIB: System Information Blockとも呼称する。）の取得、無線品質不足（RLF: Radio Link Failure）の判断などが行われ、上りリンクにおいてＰＲＡＣＨを用いたランダムアクセス手順の実行、ＰＵＣＣＨを用いたＵＣＩの送受信などが行われる。
【００４１】
＜下りリンク無線フレームの構成＞
図１０は、本発明の実施形態に係る基地局装置３から移動局装置５への下りリンクの無線フレーム（下りリンク無線フレームと呼称する。）の概略構成を示す図である。この図において、横軸は時間領域、縦軸は周波数領域を表している。下りリンク無線フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクの物理リソースブロックペア（下りリンク物理リソースブロックペアと呼称する。）は、下りリンクの時間領域で連続する２個の物理リソースブロック（下りリンク物理リソースブロックと呼称する。）から構成される。
【００４２】
また、この図において、１個の下りリンク物理リソースブロックは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。下りリンクのシステム帯域幅（下りリンクシステム帯域幅と呼称する。）は、下りリンクの複数の下りリンクコンポーネントキャリアの帯域幅（下りリンクコンポーネントキャリア帯域幅と呼称する。）から構成される。通信システム１において、下りリンクのコンポーネントキャリア（下りリンクコンポーネントキャリアと呼称する。）（ＤＬ  ＣＣ）は予め定められた周波数帯域幅の帯域であり、下りリンクコンポーネントキャリア帯域幅は下りリンクコンポーネントキャリアの周波数帯域幅である。例えば、４０ＭＨｚの周波数帯域幅の下りリンクシステム帯域は、２個の２０ＭＨｚの周波数帯域幅の下りリンクコンポーネントキャリアから構成される。
【００４３】
なお、下りリンクコンポーネントキャリアでは下りリンクコンポーネントキャリア帯域幅に応じて複数の下りリンク物理リソースブロックが配置される。例えば、２０ＭＨｚの周波数帯域幅の下りリンクコンポーネントキャリアは、１００個の下りリンク物理リソースブロックから構成される。また、例えば、下りリンクコンポーネントキャリア帯域幅は、ＬＴＥに対応した移動局装置５が通信に用いることができる周波数帯域幅であり、下りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。下りリンクコンポーネントキャリア帯域幅は、１つのセルの下りリンクの周波数帯域幅であり、下りリンクシステム帯域幅は、複数のセルの下りリンクの周波数帯域幅をまとめたものである。
【００４４】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（RE）（下りリンクリソースエレメント）と呼称する。各下りリンクサブフレームには少なくとも、情報データ（トランスポートブロック; Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。なお、ＰＤＣＣＨを構成するＯＦＤＭシンボルの数と、ＰＤＳＣＨを構成するＯＦＤＭシンボルの数は、下りリンクサブフレーム毎に変更されてもよい。
【００４５】
この図において図示は省略するが、下りリンクの参照信号（Reference signal: RS）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの伝搬路変動の推定に用いられる、通信システム１において既知の信号である。なお、下りリンク参照信号を構成する下りリンクリソースエレメントの数は、基地局装置３において移動局装置５への通信に用いられる送信アンテナの数に依存する。
【００４６】
なお、１個のＰＤＳＣＨは同一の下りリンクコンポーネントキャリア内の１個以上の下りリンク物理リソースブロックから構成され、１個のＰＤＣＣＨは同一の下りリンクコンポーネントキャリア内の複数の下りリンクリソースエレメントから構成される。下りリンクシステム帯域内で複数のＰＤＳＣＨ、複数のＰＤＣＣＨが配置される。基地局装置３は、ＬＴＥに対応した１つの移動局装置５に対して同一の下りリンクサブフレームで同一の下りリンクコンポーネントキャリア内でＰＤＳＣＨのリソースの割り当てに関する制御情報を含む１個のＰＤＣＣＨと１個のＰＤＳＣＨを配置することができ、ＬＴＥ−Ａに対応した１つの移動局装置５に対して同一の下りリンクサブフレームでＰＤＳＣＨのリソースの割り当てに関する制御情報を含む複数のＰＤＣＣＨと複数のＰＤＳＣＨを配置することができる。なお、基地局装置３は、ＬＴＥ−Ａに対応した１つの移動局装置５に対して同一の下りリンクサブフレームで、同一の下りリンクコンポーネントキャリア内で複数のＰＤＳＣＨのリソースの割り当てに関する制御情報を含む、複数のＰＤＣＣＨを配置することができるが、同一の下りリンクコンポーネントキャリア内で複数のＰＤＳＣＨを配置することはできず、各ＰＤＳＣＨを異なる下りリンクコンポーネントキャリアに配置することはできる。
【００４７】
ＰＤＣＣＨは、ＰＤＳＣＨに対する下りリンク物理リソースブロックの割り当てを示す情報、ＰＵＳＣＨに対する上りリンク物理リソースブロックの割り当てを示す情報、移動局識別子（Radio Network Temporary Identifier: RNTIと呼称する。）、変調方式、符号化率、再送パラメータ、マルチアンテナ関連情報、送信電力制御コマンド（TPC command）、ＰＵＣＣＨのリソースを示す情報などの制御情報から生成された信号が配置される。ＰＤＣＣＨに含まれる制御情報を下りリンク制御情報（Downlink Control Information: DCI）と呼称する。ＰＤＳＣＨに対する下りリンク物理リソースブロックの割り当てを示す情報を含むＤＣＩは下りリンクアサインメント（Downlink assignment: DL assignment、またDownlink grantとも呼称する。）と呼称し、ＰＵＳＣＨに対する上りリンク物理リソースブロックの割り当てを示す情報を含むＤＣＩは上りリンクグラント（Uplink grant: UL grantと呼称する。）と呼称する。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００４８】
＜上りリンク無線フレームの構成＞
図１１は、本発明の実施形態に係る移動局装置５から基地局装置３への上りリンクの無線フレーム（上りリンク無線フレームと呼称する。）の概略構成を示す図である。この図において、横軸は時間領域、縦軸は周波数領域を表している。上りリンク無線フレームは、リソースの割り当てなどの単位であり、上りリンクの予め決められた幅の周波数帯および時間帯からなる物理リソースブロックのペア（上りリンク物理リソースブロックペアと呼称する。）から構成される。１個の上りリンク物理リソースブロックペアは、上りリンクの時間領域で連続する２個の上りリンクの物理リソースブロック（上りリンク物理リソースブロックと呼称する。）から構成される。
【００４９】
また、この図において、１個の上りリンク物理リソースブロックは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクのシステム帯域幅（上りリンクシステム帯域幅と呼称する。）は、上りリンクの複数の上りリンクコンポーネントキャリアの周波数帯域幅（上りリンクコンポーネントキャリア帯域幅と呼称する。）から構成される。通信システム１において、上りリンクのコンポーネントキャリア（上りリンクコンポーネントキャリアと呼称する。）（ＵＬ  ＣＣ）は予め定められた周波数帯域幅の帯域であり、上りリンクコンポーネントキャリア帯域幅は上りリンクコンポーネントキャリアの周波数帯域幅である。例えば、４０ＭＨｚの周波数帯域幅の上りリンクのシステム帯域（上りリンクシステム帯域と呼称する。）は、２個の２０ＭＨｚの周波数帯域幅の上りリンクコンポーネントキャリアから構成される。
【００５０】
なお、上りリンクコンポーネントキャリアでは上りリンクコンポーネントキャリア帯域幅に応じて複数の上りリンク物理リソースブロックが配置される。例えば、２０ＭＨｚの周波数帯域幅の上りリンクコンポーネントキャリアは、１００個の上りリンク物理リソースブロックから構成される。また、例えば、上りリンクコンポーネントキャリア帯域幅は、ＬＴＥに対応した移動局装置５が通信に用いることができる周波数帯域幅であり、上りリンクシステム帯域幅はＬＴＥ−Ａに対応した移動局装置５が通信に用いることができる周波数帯域幅である。ＬＴＥに対応した移動局装置５は同時に１つのセルでしか通信を行うことができず、ＬＴＥ−Ａに対応した移動局装置５は同時に複数のセルで通信を行なうことができる。上りリンクコンポーネントキャリア帯域幅は、１つのセルの上りリンクの周波数帯域幅であり、上りリンクシステム帯域幅は、複数のセルの上りリンクの周波数帯域幅をまとめたものである。
【００５１】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と呼称する。
【００５２】
各上りリンクサブフレームには、少なくとも情報データの送信に用いられるＰＵＳＣＨ、上りリンク制御情報（UCI: Uplink Control Information）の送信に用いられるＰＵＣＣＨが配置される。ＰＵＣＣＨは、第一のＰＵＣＣＨと第二のＰＵＣＣＨの２種類から構成される。第一のＰＵＣＣＨは、ＰＤＳＣＨを用いて受信されたデータに対する肯定応答（ACK: Acknowledgement）または否定応答（NACK: Negative Acknowledgement）を示す４ビット以下のＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。ＡＣＫ／ＮＡＣＫの送信に用いられる第一のＰＵＣＣＨは、ＤＦＴ−Ｓｐｒｅａｄ−ＯＦＤＭ方式を用いた信号構成ではない。第一のＰＵＣＣＨは、セルアグリゲーションを用いない場合のＡＣＫ／ＮＡＣＫを送信するために用いられる。また、第一のＰＵＣＣＨは、セルアグリゲーションを用いた場合の４ビット以下のＡＣＫ／ＮＡＣＫを送信するために用いられ、送信方法としてＡＣＫ／ＮＡＣＫ  ｃｈａｎｎｅｌ  ｓｅｌｅｃｔｉｏｎが用いられる。ＡＣＫ／ＮＡＣＫ  ｃｈａｎｎｅｌ  ｓｅｌｅｃｔｉｏｎの詳細については後述する。第二のＰＵＣＣＨは、ＰＤＳＣＨを用いて受信されたデータに対するＡＣＫまたはＮＡＣＫを示す５ビット以上のＵＣＩ（ACK/NACK）を送信するために用いられる。ＡＣＫ／ＮＡＣＫの送信に用いられる第二のＰＵＣＣＨは、ＤＦＴ−Ｓｐｒｅａｄ−ＯＦＤＭ方式を用いた信号構成である。第二のＰＵＣＣＨは、セルアグリゲーションを用いない場合のＡＣＫ／ＮＡＣＫを送信するために用いられない。また、第二のＰＵＣＣＨは、送信方法としてセルアグリゲーションを用いた場合の５ビット以上のＡＣＫ／ＮＡＣＫを送信するために用いられ、送信方法としてＡＣＫ／ＮＡＣＫ  ｃｈａｎｎｅｌ  ｓｅｌｅｃｔｉｏｎは用いられない。
【００５３】
なお、移動局装置５が上りリンクのリソースの割り当てを要求することを基地局装置３に示す場合に、移動局装置５はＳＲの送信用の第一のＰＵＣＣＨで信号を送信する。基地局装置３は、ＳＲの送信用の第一のＰＵＣＣＨのリソースで信号を検出したという結果から移動局装置５が上りリンクのリソースの割り当てを要求していることを認識する。移動局装置５が上りリンクのリソースの割り当てを要求しないことを基地局装置３に示す場合に、移動局装置５は予め割り当てられたＳＲの送信用の第一のＰＵＣＣＨのリソースで何も信号を送信しない。基地局装置３は、ＳＲの送信用の第一のＰＵＣＣＨのリソースで信号を検出しなかったという結果から移動局装置５が上りリンクのリソースの割り当てを要求していないことを認識する。
【００５４】
なお、第二のＰＵＣＣＨがＳＲ、ＣＱＩを送信するために用いられてもよい。また、第一のＰＵＣＣＨおよび／または、下りリンクのチャネル状態を示す制御情報（CSI: Channel State Information; チャネル状態情報）を送信するために用いられてもよい。また、第一のＰＵＣＣＨがＡＣＫ／ＮＡＣＫとＣＱＩを同時に送信するために用いられてもよい。また、第一のＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられる第一のＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から明示的に示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から明示的に示される。ＡＣＫ／ＮＡＣＫ  ｃｈａｎｎｅｌ  ｓｅｌｅｃｔｉｏｎでは、ＰＵＣＣＨ  ｆｏｒｍａｔ  １ｂが用いられる。ＳＲの送信に用いられる第一のＰＵＣＣＨをＰＵＣＣＨ  ｆｏｒｍａｔ  １と呼称する。ＣＱＩの送信に用いられる第一のＰＵＣＣＨをＰＵＣＣＨ  ｆｏｒｍａｔ  ２と呼称する。ＣＱＩとＡＣＫ／ＮＡＣＫの同時送信に用いられる第一のＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ｂでは、上りリンクパイロットチャネルの参照信号にＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。ＡＣＫ／ＮＡＣＫの送信に用いられる第二のＰＵＣＣＨをＰＵＣＣＨ  ｆｏｒｍａｔ  ３と呼称する。
【００５５】
なお、１個のＰＵＳＣＨは同一の上りリンクコンポーネントキャリア内の１個以上の上りリンク物理リソースブロックから構成され、１個の第一のＰＵＣＣＨは同一の上りリンクコンポーネントキャリア内において周波数領域に対称関係にあり、異なる上りリンクスロットに位置する２個の上りリンク物理リソースブロックから構成され、１個の第二のＰＵＣＣＨは同一の上りリンクコンポーネントキャリア内の２個の上りリンク物理リソースブロックから構成される。例えば、図１１において、最も周波数が低い上りリンクコンポーネントキャリア内の上りリンクサブフレーム内において、１番目の上りリンクスロットの最も周波数が低い上りリンク物理リソースブロックと、２番目の上りリンクスロットの最も周波数が高い上りリンク物理リソースブロックとにより、第一のＰＵＣＣＨに用いられる上りリンク物理リソースブロックペアの１個が構成される。例えば、図１１において、最も周波数が低い上りリンクコンポーネントキャリア内の上りリンクサブフレーム内において、１番目の上りリンクスロットの２番目に周波数が低い上りリンク物理リソースブロックと、２番目の上りリンクスロットの２番目に周波数が低い上りリンク物理リソースブロックとにより、第二のＰＵＣＣＨに用いられる上りリンク物理リソースブロックペアの１個が構成される。本発明の実施形態では、第二のＰＵＣＣＨは、１個の上りリンク物理リソースブロックペアで構成されることを想定するが、同一の上りリンクコンポーネントキャリア内において周波数領域に対象関係にあり、異なる上りリンクスロットに位置する２個の上りリンク物理リソースブロックから構成されてもよいし、複数個の上りリンク物理リソースブロックペアから構成されてもよい。
【００５６】
上りリンクシステム帯域内で１個以上のＰＵＳＣＨ、１個以上の第一のＰＵＣＣＨが配置される。また、セルアグリゲーションを用いた通信が基地局装置３と移動局装置５間で行われる場合、上りリンクシステム帯域内で１個以上の第二のＰＵＣＣＨが配置される。ＬＴＥに対応した移動局装置５は、同一の上りリンクコンポーネントキャリア内に第一のＰＵＣＣＨのリソースとＰＵＳＣＨのリソースを配置し、送信することができる。なお、基地局装置３は、ＬＴＥに対応した移動局装置５に対してＡＣＫ／ＮＡＣＫ、またはＳＲ、またはＣＱＩ毎に対して異なる第一のＰＵＣＣＨのリソースを割り当てることができるが、ＬＴＥに対応した移動局装置５は同一の上りリンクサブフレームで１個の第一のＰＵＣＣＨのリソースしか用いない。また、ＬＴＥに対応した移動局装置５は、同一上りリンクサブフレームで第一のＰＵＣＣＨのリソースとＰＵＳＣＨのリソースが割り当てられた場合は、ＰＵＳＣＨのリソースのみを用いる。
【００５７】
また、基地局装置３は、ＬＴＥ−Ａに対応した１つの移動局装置５に対して上りリンクコンポーネントキャリア毎に１個のＰＵＳＣＨのリソースを割り当てることができる。ＬＴＥ−Ａに対応した移動局装置５は、同一の上りリンクサブフレームで複数の上りリンクコンポーネントキャリアでＰＵＳＣＨのリソースが割り当てられた場合、複数のＰＵＳＣＨのリソースを用いることができる。なお、基地局装置３は、ＬＴＥ−Ａに対応した１つの移動局装置５に対して同一の上りリンクサブフレームで、同一の上りリンクコンポーネントキャリア内で複数のＰＵＳＣＨのリソースを割り当てることはできず、各ＰＵＳＣＨのリソースを異なる上りリンクコンポーネントキャリアに割り当てることができる。また、基地局装置３は、ＬＴＥ−Ａに対応した１つの移動局装置５に対して１個の上りリンクコンポーネントキャリアに１個以上の第一のＰＵＣＣＨのリソースを割り当てることができる。ＬＴＥ−Ａに対応した移動局装置５は、同一の上りリンクサブフレームで複数の第一のＰＵＣＣＨのリソースが割り当てられた場合は、何れか１個の第一のＰＵＣＣＨのリソースを用いる。このような場合、移動局装置５が何れの第一のＰＵＣＣＨのリソースを選択するかは決められたルールに従って行なわれる。また、基地局装置３は、ＬＴＥ−Ａに対応した１つの移動局装置５に対して１個の上りリンクコンポーネントキャリアに１個の第二のＰＵＣＣＨのリソースを割り当てることができる。なお、移動局装置５に対して割り当てられる第一のＰＵＣＣＨのリソースと第二のＰＵＣＣＨのリソースは同じ上りリンクコンポーネントキャリア内のリソースにより構成される。第一のＰＵＣＣＨおよび／または第二のＰＵＣＣＨのリソースが割り当てられる上りリンクコンポーネントキャリアが上りリンクのプライマリコンポーネントキャリアであり、プライマリセルである。ＬＴＥ−Ａに対応した移動局装置５は、同一の上りリンクサブフレームで第一のＰＵＣＣＨのリソースと第二のＰＵＣＣＨのリソースが割り当てられた場合、第二のＰＵＣＣＨのリソースを用いる。また、ＬＴＥ−Ａに対応した移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いる。また、ＬＴＥ−Ａに対応した移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いることができる。
【００５８】
上りリンクパイロットチャネルは、ＰＵＳＣＨと同じ上りリンク物理リソースブロック内に配置される場合と、第一のＰＵＣＣＨと同じ上りリンク物理リソースブロック内に配置される場合と、第二のＰＵＣＣＨと同じ上りリンク物理リソースブロック内に配置される場合とで異なるＳＣ−ＦＤＭＡシンボル、または同じＳＣ−ＦＤＭＡシンボルに配置される。上りリンクパイロットチャネルは、上りリンク参照信号（UL RS: Uplink Reference Signal）を送信するために用いられる。ここで、上りリンク参照信号とは、ＰＵＳＣＨおよびＰＵＣＣＨの伝搬路変動の推定に用いられる、通信システム１において既知の信号である。
【００５９】
上りリンクパイロットチャネルは、ＰＵＳＣＨと同じ上りリンク物理リソースブロック内に配置される場合、上りリンクスロット内の４番目のＳＣ−ＦＤＭＡシンボルに配置される。上りリンクパイロットチャネルは、ＡＣＫ／ＮＡＣＫを含む第一のＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、ＳＲを含む第一のＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、ＣＱＩを含む第一のＰＵＣＣＨと同じ上りリンク物理リソースブロック内に配置される場合、上りリンクスロット内の２番目と６番目のＳＣ−ＦＤＭＡシンボルに配置される。上りリンクパイロットチャネルは、第二のＰＵＣＣＨと同じ上りリンク物理リソースブロック内に配置される場合、上りリンクスロット内の２番目と６番目のＳＣ−ＦＤＭＡシンボルに配置される。なお、上記で説明した上りリンクパイロットチャネルの配置とは異なり、異なるＳＣ−ＦＤＭＡシンボルに上りリンクパイロットチャネルが配置されてもよい。例えば、上りリンクパイロットチャネルは、第二のＰＵＣＣＨと同じ上りリンク物理リソースブロック内に配置される場合、上りリンクスロット内の３番目と４番目と５番目のＳＣ−ＦＤＭＡシンボルに配置されるような構成でもよい。
【００６０】
図１１では、第一のＰＵＣＣＨが各上りリンクコンポーネントキャリアの最も端の上りリンク物理リソースブロックに配置される場合を示しているが、上りリンクコンポーネントキャリアの端から２番目、３番目などの上りリンク物理リソースブロックが第一のＰＵＣＣＨに用いられてもよい。また、図１１では、第二のＰＵＣＣＨが上りリンクコンポーネントキャリアの端から２番目の上りリンク物理リソースブロックに配置される場合を示しているが、上りリンクコンポーネントキャリアの端から３番目、４番目などの上りリンク物理リソースブロックが第二のＰＵＣＣＨに用いられてもよい。
【００６１】
なお、第一のＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数の第一のＰＵＣＣＨが同一の上りリンク物理リソースブロックに配置され、各第一のＰＵＣＣＨは異なる符号系列が割り当てられ、割り当てられた符号系列により周波数領域、または時間領域において符号多重が実現される。ＡＣＫ／ＮＡＣＫを送信するために用いられる第一のＰＵＣＣＨ（ＰＵＣＣＨ  ｆｏｒｍａｔ  １ａ、ＰＵＣＣＨ  ｆｏｒｍａｔ  １ｂ）においては、周波数領域及び時間領域での符号多重が用いられる。ＳＲを送信するために用いられる第一のＰＵＣＣＨ（ＰＵＣＣＨ  ｆｏｒｍａｔ  １）においては、周波数領域及び時間領域での符号多重が用いられる。ＣＱＩを送信するために用いられる第一のＰＵＣＣＨ（ＰＵＣＣＨ  ｆｏｒｍａｔ  ２）においては、周波数領域での符号多重が用いられる。また、ＡＣＫ／ＮＡＣＫを送信するために用いられる第二のＰＵＣＣＨ（ＰＵＣＣＨ  ｆｏｒｍａｔ  ３）においては、時間領域での符号多重が用いられる。複数の第二のＰＵＣＣＨが同一の上りリンク物理リソースブロックに配置され、各第二のＰＵＣＣＨは異なる符号系列が用いられ、時間領域において符号多重が実現される。なお、説明の簡略化のため、ＰＵＣＣＨの符号多重に係る内容の説明は適宜省略する。
【００６２】
なお、本発明の実施形態に係る通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンクコンポーネントキャリア単位でＤＦＴ−Ｓｐｒｅａｄ  ＯＦＤＭ方式を用いて信号を送受信する方式であり、複数の上りリンクコンポーネントキャリアを用いた通信システム１の上りリンクサブフレームにおいて複数のＤＦＴ−Ｓｐｒｅａｄ  ＯＦＤＭ送受信に関する処理部を用いて通信を行なう方式である。
【００６３】
ＰＤＳＣＨのリソースは、時間領域において、そのＰＤＳＣＨのリソースの割り当てに用いられる下りリンクアサインメントを含むＰＤＣＣＨのリソースが配置される下りリンクサブフレームと同一の下りリンクサブフレームに配置され、周波数領域において、そのＰＤＳＣＨのリソースの割り当てに用いられる下りリンクアサインメントを含むＰＤＣＣＨと同じ下りリンクコンポーネントキャリア、または異なる下りリンクコンポーネントキャリアに配置される。
【００６４】
ＤＣＩには、下りリンクアサインメントがいずれの下りリンクコンポーネントキャリアで送信されるＰＤＳＣＨに対応するか、または上りリンクグラントがいずれの上りリンクコンポーネントキャリアで送信されるＰＵＳＣＨに対応するかを示す情報（以下、「キャリアインディケータ（carrier indicator）」と呼称する。）が含まれる。下りリンクアサインメントにキャリアインディケータが含まれない場合、下りリンクアサインメントは、下りリンクアサインメントが送信された下りリンクコンポーネントキャリアと同じ下りリンクコンポーネントキャリアのＰＤＳＣＨに対応する。上りリンクグラントにキャリアインディケータが含まれない場合、上りリンクグラントは、上りリンクグラントが送信された下りリンクコンポーネントキャリアと予め対応付けられた上りリンクコンポーネントキャリアのＰＵＳＣＨに対応する。なお、キャリアインディケータがＤＣＩに含まれない場合の、上りリンクグラントのリソース割り当ての解釈に用いられる下りリンクコンポーネントキャリアと上りリンクコンポーネントキャリアとの対応付けを示す情報は、情報データの通信が行なわれる前に、基地局装置３から移動局装置５にシステム情報を用いて通知される。
【００６５】
＜Ｃｒｏｓｓ−ＣＣ  ｓｃｈｅｄｕｌｉｎｇ＞
ＰＤＣＣＨと、そのＰＤＣＣＨに対応する下りリンクアサインメントが含まれるＰＤＳＣＨが異なる下りリンクコンポーネントキャリアに配置されることができる（Cross CC schedulingと呼称する。）。ＰＤＳＣＨが配置される下りリンクコンポーネントキャリアを物理下りリンク共用チャネルコンポーネントキャリア（PDSCH CC）と呼称する。ＰＤＣＣＨが配置される下りリンクコンポーネントキャリアを物理下りリンク制御チャネルコンポーネントキャリア（PDCCH CC）と呼称する。なお、キャリアアグリゲーションで用いられる全ての下りリンクコンポーネントキャリアにＰＤＳＣＨが配置される可能性がある場合、全ての下りリンクコンポーネントキャリアはＰＤＳＣＨ  ＣＣとなる。
【００６６】
ＰＤＣＣＨが配置される下りリンクコンポーネントキャリアと、そのＰＤＣＣＨに対応する上りリンクグラントが含まれるＰＵＳＣＨが配置される上りリンクコンポーネントキャリアとシステム情報で対応付けられる下りリンクコンポーネントキャリアを、異なるように設定されることができる。各下りリンクコンポーネントキャリアに対してシステム情報が通知され、そのシステム情報にはその下りリンクコンポーネントキャリアと対応付けられる上りリンクコンポーネントキャリアを示す情報が含まれる。この対応付けを示す情報を含むシステム情報はＳＩＢ２（System Information Block Type2）と呼称し、ＳＩＢ２により示される下りリンクコンポーネントキャリアと上りリンクコンポーネントキャリアの対応付けをＳＩＢ２  ｌｉｎｋａｇｅと呼称する。ＰＵＳＣＨが配置される上りリンクコンポーネントキャリアを物理上りリンク共用チャネルコンポーネントキャリア（PUSCH CC）と呼称する。
【００６７】
基地局装置３は、セルアグリゲーションに用いる複数の下りリンクコンポーネントキャリアの中で何れの下りリンクコンポーネントキャリアをＰＤＣＣＨ  ＣＣとして用いるかを決定する。次に、基地局装置３は、各ＰＤＣＣＨ  ＣＣを何れのＰＤＳＣＨ  ＣＣ、何れのＰＵＳＣＨ  ＣＣと対応させるかを決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨがＰＤＳＣＨ  ＣＣと対応付けられるＰＤＣＣＨ  ＣＣに配置されることを意味する。より詳細には、ＰＤＣＣＨ  ＣＣとＰＤＳＣＨ  ＣＣの対応付けとは、ＰＤＳＣＨ  ＣＣに配置されるＰＤＳＣＨに対応する下りリンクアサインメントであって、キャリアインディケータも構成される下りリンクアサインメントを含むＰＤＣＣＨが、ＰＤＳＣＨ  ＣＣと対応付けられるＰＤＣＣＨ  ＣＣに配置されることを意味する。ここで、ＰＤＣＣＨ  ＣＣとＰＵＳＣＨ  ＣＣの対応付けとは、ＰＵＳＣＨ  ＣＣに配置されるＰＵＳＣＨのリソースの割り当てに関する制御情報を含むＰＤＣＣＨがＰＵＳＣＨ  ＣＣと対応付けられるＰＤＣＣＨ  ＣＣに配置されることを意味する。より詳細には、ＰＤＣＣＨ  ＣＣとＰＵＳＣＨ  ＣＣの対応付けとは、ＰＵＳＣＨ  ＣＣに配置されるＰＵＳＣＨに対応する上りリンクグラントであって、キャリアインディケータも構成される上りリンクグラントを含むＰＤＣＣＨが、ＰＵＳＣＨ  ＣＣと対応付けられるＰＤＣＣＨ  ＣＣに配置されることを意味する。ここで説明される対応付けは、上記で説明したように、キャリアインディケータを含まないＰＤＣＣＨに対しての下りリンクコンポーネントキャリアと上りリンクコンポーネントキャリアの対応付け（ＳＩＢ２  ｌｉｎｋａｇｅ）とは異なる。セルアグリゲーションに用いられる複数のＰＤＳＣＨ  ＣＣのそれぞれが同じＰＤＣＣＨ  ＣＣに対応付けられてもよいし、セルアグリゲーションに用いられる複数のＰＤＳＣＨ  ＣＣのそれぞれが異なるＰＤＣＣＨ  ＣＣに対応付けられてもよい。例えば、１個のＰＤＣＣＨ  ＣＣに複数のＰＤＳＣＨ  ＣＣが対応付けられる場合、そのＰＤＣＣＨ  ＣＣで送信されるＰＤＣＣＨが何れのＰＤＳＣＨ  ＣＣのＰＤＳＣＨのリソースの割り当てを示しているかはキャリアインディケータによって認識される。
【００６８】
基地局装置３は、各ＰＤＳＣＨ  ＣＣに対してＰＤＣＣＨ  ＣＣとして対応付けられた下りリンクコンポーネントキャリアを示す情報を移動局装置５に通知する。なお、この情報は無線リンク制御（RRC: Radio Resource Control）シグナリングを用いて通知される。移動局装置５は、基地局装置３よりＲＲＣシグナリングを用いて通知された情報に基づき、各ＰＤＳＣＨ  ＣＣのＰＤＳＣＨのキャリアインディケータ付きの下りリンクアサインメントを含むＰＤＣＣＨが配置される可能性のある下りリンクコンポーネントキャリアを認識する。なお、プライマリセルで送信されるＰＤＳＣＨの下りリンクアサインメントを含むＰＤＣＣＨはプライマリセルでのみ送信され、セカンダリセルで送信されるＰＤＳＣＨの下りリンクアサインメントを含むＰＤＣＣＨはプライマリセル、またはセカンダリセルで送信される。言い換えると、プライマリセルでは必ずＰＤＣＣＨ  ＣＣとＰＤＳＣＨ  ＣＣが構成され、更にプライマリセルで構成されるＰＤＣＣＨ  ＣＣとＰＤＳＣＨ  ＣＣは対応付けられる。また、プライマリセルのＰＵＳＣＨ  ＣＣは、プライマリセルのＰＤＣＣＨ  ＣＣと対応付けられる。プライマリセルのＰＤＳＣＨ  ＣＣとＰＵＳＣＨ  ＣＣはＳＩＢ２  ｌｉｎｋａｇｅを有する。セカンダリセルでは、ＰＤＳＣＨ  ＣＣは構成されるが、ＰＤＣＣＨ  ＣＣが構成されなくてもよい。セカンダリセルで構成されたＰＤＳＣＨ  ＣＣと対応付けられるＰＤＣＣＨ  ＣＣは、プライマリセルで構成されてもよいし、その他のセカンダリセルで構成されてもよい。なお、ＰＤＣＣＨ  ＣＣが構成されるセルでは必ずＰＤＳＣＨ  ＣＣとＰＵＳＣＨ  ＣＣが構成され、同一セル内のＰＤＣＣＨ  ＣＣとＰＤＳＣＨ  ＣＣ、およびＰＤＣＣＨ  ＣＣとＰＵＳＣＨ  ＣＣが対応付けられる。なお、ＲＲＣシグナリングはＰＤＳＣＨで通知される。なお、プライマリセルのＰＤＳＣＨ  ＣＣおよびＰＵＳＣＨ  ＣＣと対応付けられるＰＤＳＣＨ  ＣＣは必ず同じプライマリセルに構成されるため、それらの関係を示す情報は移動局装置５に対して通知されない。また、Ｃｒｏｓｓ−ＣＣ  ｓｃｈｅｄｕｌｉｎｇが適用されない場合、ＰＤＳＣＨ  ＣＣとＰＤＣＣＨ  ＣＣの対応付けを示す情報は基地局装置３から移動局装置５に対して通知されない。Ｃｒｏｓｓ−ＣＣ  ｓｃｈｅｄｕｌｉｎｇが適用されない場合、下りリンクアサインメントにキャリアインディケータは含まれない。
【００６９】
＜ＰＤＣＣＨの構成＞
ＰＤＣＣＨは、複数の制御チャネルエレメント（CCE: Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボルの数と、通信に用いる基地局装置３の送信アンテナの数に応じた下りリンクパイロットチャネルの下りリンク参照信号の数に依存する。ＣＣＥは、後述するように、複数の下りリンクリソースエレメントにより構成される。
【００７０】
図１２は、本発明の実施形態に係る通信システムのＰＤＣＣＨとＣＣＥの論理的な関係を説明する図である。基地局装置３と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、ＣＣＥ番号ｔのＣＣＥを示す。ＰＤＣＣＨは、複数のＣＣＥからなる集合（CCE Aggregation）により構成される。この集合を構成するＣＣＥの数を、以下、「ＣＣＥ集合数」（CCE aggregation number）と称す。ＰＤＣＣＨを構成するＣＣＥ  ａｇｇｒｅｇａｔｉｏｎ  ｎｕｍｂｅｒは、ＰＤＣＣＨに設定される符号化率、ＰＤＣＣＨに含められるＤＣＩのビット数に応じて基地局装置３において設定される。また、ｎ個のＣＣＥからなる集合を、以下、「ＣＣＥ  ａｇｇｒｅｇａｔｉｏｎ  ｎ」という。例えば、基地局装置３は、１個のＣＣＥによりＰＤＣＣＨを構成したり（ＣＣＥ  ａｇｇｒｅｇａｔｉｏｎ  １）、２個のＣＣＥによりＰＤＣＣＨを構成したり（ＣＣＥ  ａｇｇｒｅｇａｔｉｏｎ  ２）、４個のＣＣＥによりＰＤＣＣＨを構成したり（ＣＣＥ  ａｇｇｒｅｇａｔｉｏｎ  ４）、８個のＣＣＥによりＰＤＣＣＨを構成したりする（ＣＣＥ  ａｇｇｒｅｇａｔｉｏｎ  ８）。例えば、基地局装置３はチャネル品質の良い移動局装置３に対してはＰＤＣＣＨを構成するＣＣＥの数が少ないＣＣＥ  ａｇｇｒｅｇａｔｉｏｎ  ｎｕｍｂｅｒを用い、チャネル品質の悪い移動局装置３に対してはＰＤＣＣＨを構成するＣＣＥの数が多いＣＣＥ  ａｇｇｒｅｇａｔｉｏｎ  ｎｕｍｂｅｒを用いる。また、例えば、基地局装置３はビット数の少ないＤＣＩを送信する場合、ＰＤＣＣＨを構成するＣＣＥの数が少ないＣＣＥ  ａｇｇｒｅｇａｔｉｏｎ  ｎｕｍｂｅｒを用い、ビット数の多いＤＣＩを送信する場合、ＰＤＣＣＨを構成するＣＣＥの数が多いＣＣＥ  ａｇｇｒｅｇａｔｉｏｎ  ｎｕｍｂｅｒを用いる。
【００７１】
ＣＣＥを構成する複数の下りリンクリソースエレメントは、複数のリソースエレメントグループ（REG、mini-CCEとも称す）により構成される。リソースエレメントグループは複数の下りリンクリソースエレメントから構成される。例えば、１個のリソースエレメントグループは４個の下りリンクリソースエレメントから構成される。図１３は、本発明の実施形態に係る通信システムの下りリンク無線フレームにおけるリソースエレメントグループの配置例を示す図である。ここでは、ＰＤＣＣＨが１番目から３番目までのＯＦＤＭシンボルにより構成され、２本の送信アンテナ（送信アンテナ１、送信アンテナ２）の下りリンクパイロットチャネルに対応する下りリンク参照信号が配置される場合について示す。この図において、縦軸は周波数領域、横軸は時間領域を表わしている。
【００７２】
図１３の配置例では、１個のリソースエレメントグループは周波数領域の隣接する４個の下りリンクリソースエレメントにより構成される。図１３において、ＰＤＣＣＨの同一の符号が付された下りリンクリソースエレメントは、同一のリソースエレメントグループに属することを示す。なお、下りリンクパイロットチャネルが配置されたリソースエレメントＲ１（送信アンテナ１の下りリンクパイロットチャネルの信号）、Ｒ２（送信アンテナ２の下りリンクパイロットチャネルの信号）は飛ばされて、リソースエレメントグループが構成される。図１３では、周波数が最も低く、１番目のＯＦＤＭシンボルのリソースエレメントグループから番号付け（符号「１」）が行なわれ、次に周波数が最も低く、２番目のＯＦＤＭシンボルのリソースエレメントグループに番号付け（符号「２」）が行なわれ、次に周波数が最も低く、３番目のＯＦＤＭシンボルのリソースエレメントグループに番号付け（符号「３」）が行なわれることを示す。また、図１３では、次に下りリンクパイロットチャネルが配置されない２番目のＯＦＤＭシンボルの番号付け（符号「２」）が行なわれたリソースエレメントグループの周波数の隣接するリソースエレメントグループに番号付け（符号「４」）が行なわれ、次に下りリンクパイロットチャネルが配置されない３番目のＯＦＤＭシンボルの番号付け（符号「３」）が行なわれたリソースエレメントグループの周波数の隣接するリソースエレメントグループに番号付け（符号「５」）が行なわれることを示す。さらに、図１３では、次に１番目のＯＦＤＭシンボルの番号付け（符号「１」）が行なわれたリソースエレメントグループの周波数の隣接するリソースエレメントグループに番号付け（符号「６」）が行なわれ、次に２番目のＯＦＤＭシンボルの番号付け（符号「４」）が行なわれたリソースエレメントグループの周波数の隣接するリソースエレメントグループに番号付け（符号「７」）が行なわれ、次に３番目のＯＦＤＭシンボルの番号付け（符号「５」）が行なわれたリソースエレメントグループの周波数の隣接するリソースエレメントグループに番号付け（符号「８」）が行なわれることを示す。以降のリソースエレメントグループに対しても同様の番号付けが行なわれる。
【００７３】
ＣＣＥは、図１３に示すように複数のリソースエレメントグループにより構成される。例えば、１個のＣＣＥは、周波数領域及び時間領域に分散した９個の異なるリソースエレメントグループにより構成される。具体的には、下りリンクコンポーネントキャリア全体に対して、この図のように番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００７４】
＜ＣＣＥとＡＣＫ／ＮＡＣＫ用のＰＵＣＣＨのリソースの暗黙的な割り当て＞
セルアグリゲーションを用いない場合のＡＣＫ／ＮＡＣＫの送信に用いられる第一のＰＵＣＣＨ（ＰＵＣＣＨ  ｆｏｒｍａｔ  １ａ、ＰＵＣＣＨ  ｆｏｒｍａｔ  １ｂ）のリソースは、ＰＤＣＣＨに用いられるＣＣＥに基づいて暗黙的に割り当てられる。セルアグリゲーションを用い、ＡＣＫ／ＮＡＣＫ  ｃｈａｎｎｅｌ  ｓｅｌｅｃｔｉｏｎを用いてＡＣＫ／ＮＡＣＫを送信するように設定され、プライマリセルでＰＤＣＣＨが検出される場合、暗黙的にＡＣＫ／ＮＡＣＫの情報を示すために行われる第一のＰＵＣＣＨ（ＰＵＣＣＨ  ｆｏｒｍａｔ  １ｂ）の選択に用いるリソースが、ＰＤＣＣＨに用いられるＣＣＥに基づいて暗黙的に移動局装置５に対して割り当てられる。セルアグリゲーションを用い、基本的にＤＦＴ−Ｓｐｒｅａｄ−ＯＦＤＭ方式を用いた第二のＰＵＣＣＨ（ＰＵＣＣＨ  ｆｏｒｍａｔ  ３）を送信するように設定され、プライマリセルのみでＰＤＣＣＨが検出された場合、ＤＦＴ−Ｓｐｒｅａｄ−ＯＦＤＭ方式を用いず、セルアグリゲーションを用いない場合に使用される信号構成の第一のＰＵＣＣＨ（ＰＵＣＣＨ  ｆｏｒｍａｔ  １ａ、ＰＵＣＣＨ  ｆｏｒｍａｔ  １ｂ）に用いられるリソースは、ＰＤＣＣＨに用いられるＣＣＥに基づいて暗黙的に割り当てられる。暗黙的なリソース割り当てとは、リソースを割り当てるためだけの情報を用いず、その他の情報を流用してリソースの割り当てが行なわれることを意味する。一方、明示的なリソース割り当てとは、リソースを割り当てるためだけの情報が用いられて、リソースの割り当てが行なわれることを意味する。
【００７５】
ＣＣＥとＡＣＫ／ＮＡＣＫの送信に用いられる第一のＰＵＣＣＨのリソースとの対応付けについて説明する。下りリンクコンポーネントキャリア内の全てのＣＣＥに予め決められた規則に基づいて識別番号が付与される。プライマリセルの上りリンクコンポーネントキャリアに構成される、ＡＣＫ／ＮＡＣＫの送信に用いられる、全ての第一のＰＵＣＣＨのリソースに予め決められた規則に基づいて識別番号が付与される。例えば、同一の識別番号のＣＣＥと第一のＰＵＣＣＨのリソースが対応付けられる。
【００７６】
図１４は、本発明の実施形態に係る通信システムのＡＣＫ／ＮＡＣＫ用の第一のＰＵＣＣＨのリソースの構成と番号を示す図である。図１４では、各上りリンク無線フレームに２４個のＡＣＫ／ＮＡＣＫ用の第一のＰＵＣＣＨのリソースが構成される場合について示す。また、図１４では、ＡＣＫ／ＮＡＣＫ用の第一のＰＵＣＣＨのリソースに２個の上りリンク物理リソースブロックペア（ＰＲＢ  ｐａｉｒ）（ＰＲＢ  ｐａｉｒ  １、ＰＲＢ  ｐａｉｒ  ２）、４個の周波数領域の符号系列（周波数領域のＣｏｄｅ）（周波数領域のＣｏｄｅ  １、周波数領域のＣｏｄｅ  ２、周波数領域のＣｏｄｅ  ３、周波数領域のＣｏｄｅ  ４）、３個の時間領域の符号系列（時間領域のＣｏｄｅ）（時間領域のＣｏｄｅ  １、時間領域のＣｏｄｅ  ２、時間領域のＣｏｄｅ  ３）が用いられる場合について示す。なお、図１４に示す数とは異なる個数の上りリンク物理リソースブロックペア、周波数領域の符号系列、時間領域の符号系列が用いられてもよく、図１４に示す数とは異なる個数の第一のＰＵＣＣＨのリソースが上りリンクコンポーネントキャリアに構成されてもよい。なお、ここで示す上りリンク物理リソースブロックペアの番号は、ＡＣＫ／ＮＡＣＫ用の第一のＰＵＣＣＨのリソースに用いられる上りリンク物理リソースブロックペアの番号を示し、例えば、上りリンクのシステム帯域で最も周波数の低い上りリンク物理リソースブロックペアの番号を一義的に示すものではない。図１４に示す各第一のＰＵＣＣＨのリソースは、上りリンク物理リソースブロックペア、周波数領域の符号系列、時間領域の符号系列の異なる組み合わせから構成され、周波数領域、または周波数領域での符号領域、または時間領域での符号領域で直交関係にある。
【００７７】
図１２に示すＣＣＥと図１４に示すＡＣＫ／ＮＡＣＫ用の第一のＰＵＣＣＨのリソースは予め決められた規則に基づいて対応付けられる。ＣＣＥの識別番号とＡＣＫ／ＮＡＣＫ用の第一のＰＵＣＣＨのリソースの識別番号が予め対応付けられ、例えば、同じ値の識別番号のＣＣＥとＡＣＫ／ＮＡＣＫ用の第一のＰＵＣＣＨのリソースが対応付けられる。例えば、ＣＣＥ  １はＰＵＣＣＨ  １と対応し、ＣＣＥ  ２はＰＵＣＣＨ  ２と対応する。移動局装置５は、自装置宛てのＤＣＩを検出したＰＤＣＣＨに用いられるＣＣＥの中で最も番号の小さいＣＣＥと対応する番号の第一のＰＵＣＣＨのリソースを用いて、そのＰＤＣＣＨによってリソースの割り当てが示されたＰＤＳＣＨのデータに対するＡＣＫ／ＮＡＣＫを送信する。例えば、移動局装置５は、自装置宛てのＤＣＩを検出したＰＤＣＣＨに用いられるＣＣＥの中で最も番号の小さいＣＣＥと対応する番号の第一のＰＵＣＣＨのリソースに変調信号を配置して送信する。この動作は、セルアグリゲーションが用いられない場合や、セルアグリゲーションが用いられ、プライマリセルでのみ１個のＰＤＣＣＨが検出される場合に、移動局装置５によって行われる。また、例えば、移動局装置５は、自装置宛てのＤＣＩを検出したＰＤＣＣＨに用いられるＣＣＥの中で最も番号の小さいＣＣＥと対応する番号の第一のＰＵＣＣＨのリソースを、暗黙的にＡＣＫ／ＮＡＣＫの情報を示すために行う第一のＰＵＣＣＨのリソースの選択に用い、選択した第一のＰＵＣＣＨのリソースに変調信号を配置して送信する。この動作は、セルアグリゲーションが用いられ、ＡＣＫ／ＮＡＣＫ  ｃｈａｎｎｅｌ  ｓｅｌｅｃｔｉｏｎを用いることが設定され、プライマリセルでのみＰＤＣＣＨが検出される場合や、セルアグリゲーションが用いられ、ＡＣＫ／ＮＡＣＫ  ｃｈａｎｎｅｌ  ｓｅｌｅｃｔｉｏｎを用いることが設定され、プライマリセルとセカンダリセルの両方でＰＤＣＣＨが検出される場合に、移動局装置５によって行われる。基地局装置３は、ＣＣＥとＡＣＫ／ＮＡＣＫ用の第一のＰＵＣＣＨのリソースの対応付けを移動局装置５と同様に認識しており、移動局装置５に割り当てるＡＣＫ／ＮＡＣＫ用の第一のＰＵＣＣＨのリソースを考慮してＰＤＣＣＨに用いるＣＣＥを割り当てる。つまり、移動局装置５は、自装置宛てのＤＣＩを検出したＰＤＣＣＨに用いられるＣＣＥに基づき、自装置に割り当てられたＡＣＫ／ＮＡＣＫ用の第一のＰＵＣＣＨのリソースを認識する。
【００７８】
明示的なリソース割り当てで用いられる第一のＰＵＣＣＨのリソースも、図１４と同様に、上りリンク物理リソースブロックペア、周波数領域の符号系列、時間領域の符号系列の異なる組み合わせから構成される。明示的なリソース割り当てで用いられる第二のＰＵＣＣＨのリソースは、上りリンク物理リソースブロックペア、時間領域の符号系列の異なる組み合わせから構成される。明示的なリソース割り当てで用いられる第二のＰＵＣＣＨのリソースと、明示的なリソース割り当てで用いられる第一のＰＵＣＣＨのリソースと、暗黙的なリソース割り当てで用いられる第一のＰＵＣＣＨのリソースは、異なる上りリンク物理リソースブロックペアから構成される。
【００７９】
＜ＡＣＫ／ＮＡＣＫの送信方法＞
セルアグリゲーションが用いられない場合、移動局装置５は、自装置宛てのＤＣＩを検出したＰＤＣＣＨに用いられるＣＣＥと対応付けられた第一のＰＵＣＣＨのリソースを用いて、ＡＣＫまたはＮＡＣＫを示す情報を変調した信号を送信する。言い換えると、セルアグリゲーションが用いられない場合、移動局装置５は、暗黙的なリソース割り当てで割り当てられるリソースを用いて、ＰＵＣＣＨ  ｆｏｒｍａｔ  １ａ、またはＰＵＣＣＨ  ｆｏｒｍａｔ  １ｂを送信する。
【００８０】
セルアグリゲーションが用いられ、ＡＣＫ／ＮＡＣＫ  ｃｈａｎｎｅｌ  ｓｅｌｅｃｔｉｏｎが設定されている場合、移動局装置５は、基本的に複数の第一のＰＵＣＣＨのリソースから１個のリソースを選択して、ＡＣＫ／ＮＡＣＫの情報を変調した信号を送信する。言い換えると、セルアグリゲーションが用いられ、ＡＣＫ／ＮＡＣＫ  ｃｈａｎｎｅｌ  ｓｅｌｅｃｔｉｏｎが設定されている場合、移動局装置５は、暗黙的なリソース割り当ておよび／または明示的なリソース割り当てで割り当てられるリソースを用いて、ＰＵＣＣＨ  ｆｏｒｍａｔ  １ｂを送信する。ＡＣＫ／ＮＡＣＫ  ｃｈａｎｎｅｌ  ｓｅｌｅｃｔｉｎでは、複数の第一のＰＵＣＣＨのリソースから１個のリソースを選択することにより、暗黙的にＡＣＫ／ＮＡＣＫの情報が示され、変調した信号を送信することにより、明示的にＡＣＫ／ＮＡＣＫの情報が示される。ＡＣＫ／ＮＡＣＫ  ｃｈａｎｎｅｌ  ｓｅｌｅｃｔｉｏｎでは、移動局装置５は２種類の情報の示し方を併用することにより、複数のＡＣＫ／ＮＡＣＫの情報を基地局装置３に通知することができる。ＡＣＫ／ＮＡＣＫ  ｃｈａｎｎｅｌ  ｓｅｌｅｃｔｉｏｎで示される情報は、同一サブフレームにおいて受信される１つまたは複数のＰＤＣＣＨに含まれる下りリンクアサインメントでリソースの割り当てが示される１つまたは複数のＰＤＳＣＨのデータに対する１つまたは複数のＡＣＫ／ＮＡＣＫの情報である。
【００８１】
ＡＣＫ／ＮＡＣＫ  ｃｈａｎｎｅｌ  ｓｅｌｅｃｔｉｏｎの暗黙的にＡＣＫ／ＮＡＣＫの情報を示すために用いられるリソースの選択候補は、暗黙的に割り当てられたり、明示的に割り当てられたりする。移動局装置５は、プライマリセルのみでＰＤＣＣＨが検出される場合、各ＰＤＣＣＨのＣＣＥに基づいて暗黙的に割り当てられた第一のＰＵＣＣＨのリソースをＡＣＫ／ＮＡＣＫ  ｃｈａｎｎｅｌ  ｓｅｌｅｃｔｉｏｎの暗黙的にＡＣＫ／ＮＡＣＫの情報を示すために用いられるリソースの選択候補として用いる。なお、移動局装置５は、プライマリセルのみで１個のＰＤＣＣＨのみが検出される場合、リソースの選択により暗黙的にＡＣＫ／ＮＡＣＫの情報を示すことは行わず、変調した信号を送信することにより明示的にＡＣＫ／ＮＡＣＫの情報を示すことのみを行う。移動局装置５は、プライマリセルとセカンダリセルでＰＤＣＣＨが検出される場合、プライマリセルの１個以上のＰＤＣＣＨのＣＣＥに基づいて暗黙的に割り当てられた第一のＰＵＣＣＨのリソースと、セカンダリセルの１個以上のＰＤＣＣＨで明示的に割り当てられた第一のＰＵＣＣＨのリソースをＡＣＫ／ＮＡＣＫ  ｃｈａｎｎｅｌ  ｓｅｌｅｃｔｉｏｎの暗黙的にＡＣＫ／ＮＡＣＫの情報を示すために用いられるリソースの選択候補として用いる。セカンダリセルのＰＤＣＣＨには、第一のＰＵＣＣＨのリソースを示す情報が明示的に含まれる。なお、ＲＲＣシグナリングで第一のＰＵＣＣＨの複数のリソースの候補が予め移動局装置５に対して割り当てられ、セカンダリセルのＰＤＣＣＨに含まれる情報を用いてＲＲＣシグナリングで設定される複数の第一のＰＵＣＣＨのリソースの候補の１つが示される。なお、セカンダリセルのＰＤＣＣＨに第一のＰＵＣＣＨのリソースを示す情報が明示的に含まれるのではなく、ＲＲＣシグナリングで第一のＰＵＣＣＨのリソースが予め明示的に割り当てられ、セカンダリセルでＰＤＣＣＨが検出される場合に予め明示的に割り当てられた第一のＰＵＣＣＨのリソースをＡＣＫ／ＮＡＣＫ  ｃｈａｎｎｅｌ  ｓｅｌｅｃｔｉｏｎの暗黙的にＡＣＫ／ＮＡＣＫの情報を示すために用いられるリソースの選択候補として用いるようにしてもよい。移動局装置５は、セカンダリセルでのみＰＤＣＣＨが検出される場合、セカンダリセルの１個以上のＰＤＣＣＨで明示的に割り当てられた第一のＰＵＣＣＨのリソースをＡＣＫ／ＮＡＣＫ  ｃｈａｎｎｅｌ  ｓｅｌｅｃｔｉｏｎの暗黙的にＡＣＫ／ＮＡＣＫの情報を示すために用いられるリソースの選択候補として用いる。なお、移動局装置５は、セカンダリセルのみで１個のＰＤＣＣＨのみが検出される場合、リソースの選択により暗黙的にＡＣＫ／ＮＡＣＫの情報を示すことは行わず、変調した信号をＰＤＣＣＨで示される第一のＰＵＣＣＨのリソースで送信することにより明示的にＡＣＫ／ＮＡＣＫの情報を示すことのみを行う。
【００８２】
なお、ＰＤＣＣＨに含まれる第一のＰＵＣＣＨのリソースを示す制御情報は、通常はその他の目的に使用される制御情報が流用されてもよい。ここで、制御情報が流用されるということは、制御情報フィールドが第一の場合は第一の制御情報として解釈され、第二の場合は第二の制御情報として解釈され、第一の場合と第二の場合は異なり、第一の制御情報と第二の制御情報は異なるということである。例えば、ＰＤＣＣＨがプライマリセルで送信される場合は、ＰＵＣＣＨの送信電力制御値を示す制御情報（ＴＰＣ  ｃｏｍｍａｎｄ）として解釈される制御情報フィールドが、ＰＤＣＣＨがセカンダリセルで送信される場合は、暗黙的にＡＣＫ／ＮＡＣＫの情報を示すために用いられる第一のＰＵＣＣＨのリソースの選択候補を示す制御情報として解釈されてもよい。
【００８３】
セルアグリゲーションが用いられ、ＤＦＴ−Ｓｐｒｅａｄ−ＯＦＤＭ方式を用いた第二のＰＵＣＣＨを用いてＡＣＫ／ＮＡＣＫを送信するように設定されている場合、移動局装置５は、基本的に割り当てられた１個の第二のＰＵＣＣＨのリソースでＡＣＫ／ＮＡＣＫの情報を変調し、更にＤＦＴ−Ｓｐｒｅａｄ−ＯＦＤＭで変調した信号を送信する。言い換えると、セルアグリゲーションが用いられ、ＤＦＴ−Ｓｐｒｅａｄ−ＯＦＤＭ方式を用いた第二のＰＵＣＣＨを用いてＡＣＫ／ＮＡＣＫを送信するように設定されている場合、移動局装置５は、明示的なリソース割り当てで割り当てられるリソースを用いてＰＵＣＣＨ  ｆｏｒｍａｔ  ３を送信するか、暗黙的なリソース割り当てで割り当てられるリソースを用いてＰＵＣＣＨ  ｆｏｒｍａｔ  １ａ、またはＰＵＣＣＨ  ｆｏｒｍａｔ  １ｂを送信する。ＤＦＴ−Ｓｐｒｅａｄ−ＯＦＤＭ方式を用いた送信方法では、複数のＡＣＫ／ＮＡＣＫの情報の全てが明示的に示され、リソースの選択により暗黙的に情報が示されない。
【００８４】
第二のＰＵＣＣＨのリソースを示す制御情報は、セカンダリセルのＰＤＳＣＨに対する下りリンクアサインメントを含むＰＤＣＣＨに含まれる。第二のＰＵＣＣＨのリソースを示す制御情報を含むＰＤＣＣＨは、プライマリセルおよび／またはセカンダリセルで送信される。移動局装置５は、プライマリセルのみでＰＤＣＣＨが検出され、プライマリセルのみでＰＤＳＣＨが受信される場合、ＰＤＣＣＨのＣＣＥに基づいて暗黙的に割り当てられた第一のＰＵＣＣＨのリソースでＡＣＫ／ＮＡＣＫの情報を変調し、ＤＦＴ−Ｓｐｒｅａｄ−ＯＦＤＭで変調しない信号（ＰＵＣＣＨ  ｆｏｒｍａｔ  １ａ、またはＰＵＣＣＨ  ｆｏｒｍａｔ  １ｂ）を送信する。移動局装置５は、プライマリセルのみでＰＤＣＣＨが検出され、セカンダリセルのみでＰＤＳＣＨが受信される場合、ＰＤＣＣＨの制御情報で示される第二のＰＵＣＣＨのリソースで、ＡＣＫ／ＮＡＣＫの情報を変調し、更にＤＦＴ−Ｓｐｒｅａｄ−ＯＦＤＭで変調した信号（ＰＵＣＣＨ  ｆｏｒｍａｔ  ３）を送信する。移動局装置５は、プライマリセルとセカンダリセルでＰＤＣＣＨが検出され、少なくともセカンダリセルでＰＤＳＣＨが受信される場合、ＰＤＣＣＨの制御情報で示される第二のＰＵＣＣＨのリソースで、ＡＣＫ／ＮＡＣＫの情報を変調し、更にＤＦＴ−Ｓｐｒｅａｄ−ＯＦＤＭで変調した信号（ＰＵＣＣＨ  ｆｏｒｍａｔ  ３）を送信する。移動局装置５は、セカンダリセルでＰＤＣＣＨが検出され、セカンダリセルのみでＰＤＳＣＨが受信される場合、ＰＤＣＣＨの制御情報で示される第二のＰＵＣＣＨのリソースで、ＡＣＫ／ＮＡＣＫの情報を変調し、更にＤＦＴ−Ｓｐｒｅａｄ−ＯＦＤＭで変調した信号（ＰＵＣＣＨ  ｆｏｒｍａｔ  ３）を送信する。
【００８５】
＜ＡＣＫ／ＮＡＣＫ  ｃｈａｎｎｅｌ  ｓｅｌｅｃｔｉｏｎの一例＞
ＡＣＫ／ＮＡＣＫ  ｃｈａｎｎｅｌ  ｓｅｌｅｃｔｉｏｎの一例を説明する。先ず、セルアグリゲーションに２つのセルが用いられ、各セルでは単一のデータ送信が行われる場合について説明する。単一のデータ送信とは、ＰＤＳＣＨの送信に関してＭＩＭＯ（Ｍｕｌｔｉ−Ｉｎｐｕｔ  Ｍｕｌｔｉ−Ｏｕｔｐｕｔ）による空間多重が用いられず、シングルアンテナポートで信号が送信されることを意味する。この場合、２ビットのＡＣＫ／ＮＡＣＫの情報が第一のＰＵＣＣＨを用いて示される。２ビットで示される４種類の情報が２つのグループに分けられ、各グループは２種類の情報から構成される。暗黙的に示される情報として２個の第一のＰＵＣＣＨのリソースの選択により何れのグループかが示され、グループ内のいずれの種類の情報かがＱＰＳＫの信号点により示される。図１５は、本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。なお、図１５では、１ｓｔ  ＡＣＫ／ＮＡＣＫがプライマリセルのＰＤＳＣＨに対するＡＣＫ／ＮＡＣＫの情報を示し、２ｎｄ  ＡＣＫ／ＮＡＣＫがセカンダリセルのＰＤＳＣＨに対するＡＣＫ／ＮＡＣＫの情報を示す。図１５で、Ｒｅｓｏｕｒｃｅ  １はプライマリセルのＰＤＳＣＨに対応する下りリンクアサインメントを含むＰＤＣＣＨに基づいて割り当てられ、Ｒｅｓｏｕｒｃｅ  ２はセカンダリセルのＰＤＳＣＨに対応する下りリンクアサインメントを含むＰＤＣＣＨに基づいて割り当てられる。プライマリセルのＰＤＳＣＨに対応する下りリンクアサインメントを含むＰＤＣＣＨはプライマリセルでのみ送信されるため、Ｒｅｓｏｕｒｃｅ  １はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがプライマリセルで送信される場合、Ｒｅｓｏｕｒｃｅ  ２はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがセカンダリセルで送信される場合、Ｒｅｓｏｕｒｃｅ  ２はＰＤＣＣＨに明示的に含まれる制御情報に基づく明示的なリソース割り当てにより割り当てられるリソースが用いられる。
【００８６】
移動局装置５は、プライマリセルのＰＤＳＣＨに対してはＡＣＫ、セカンダリセルのＰＤＳＣＨに対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨに対してはＮＡＣＫ、セカンダリセルのＰＤＳＣＨに対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨに対してはＡＣＫ、セカンダリセルのＰＤＳＣＨに対してはＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨに対してはＮＡＣＫ、セカンダリセルのＰＤＳＣＨに対してはＡＣＫを示す場合、Ｒｅｓｏｕｒｃｅ  ２を選択して、“１１”の信号点のＱＰＳＫから生成した信号を送信する。
【００８７】
次に、セルアグリゲーションに２つのセルが用いられ、プライマリセルでは２個のデータ送信、セカンダリセルでは単一のデータ送信が行われる場合について説明する。２個のデータ送信とは、ＰＤＳＣＨの送信に関してＭＩＭＯによる空間多重が用いられ、複数アンテナポートで２個の系列の信号が同時に送信されることを意味する。この場合、３ビットのＡＣＫ／ＮＡＣＫの情報が第一のＰＵＣＣＨを用いて示される。３ビットで示される８種類の情報が２つのグループに分けられ、各グループは４種類の情報から構成される。暗黙的に示される情報として第一のＰＵＣＣＨのリソースの選択により何れのグループかが示され、グループ内のいずれの種類の情報かがＱＰＳＫの信号点により示される。図１６は、本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。なお、図１６では、１ｓｔ  ＡＣＫ／ＮＡＣＫがプライマリセルのＰＤＳＣＨの第一のデータ系列に対するＡＣＫ／ＮＡＣＫの情報を示し、２ｎｄ  ＡＣＫ／ＮＡＣＫがプライマリセルのＰＤＳＣＨの第二のデータ系列に対するＡＣＫ／ＮＡＣＫの情報を示し、３ｒｄ  ＡＣＫ／ＮＡＣＫがセカンダリセルのＰＤＳＣＨに対するＡＣＫ／ＮＡＣＫの情報を示す。図１６で、Ｒｅｓｏｕｒｃｅ  １はプライマリセルのＰＤＳＣＨに対応する下りリンクアサインメントを含むＰＤＣＣＨに基づいて割り当てられ、Ｒｅｓｏｕｒｃｅ  ２はセカンダリセルのＰＤＳＣＨに対応する下りリンクアサインメントを含むＰＤＣＣＨに基づいて割り当てられる。プライマリセルのＰＤＳＣＨに対応する下りリンクアサインメントを含むＰＤＣＣＨはプライマリセルでのみ送信されるため、Ｒｅｓｏｕｒｃｅ  １はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがプライマリセルで送信される場合、Ｒｅｓｏｕｒｃｅ  ２はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがセカンダリセルで送信される場合、Ｒｅｓｏｕｒｃｅ  ２はＰＤＣＣＨに明示的に含まれる制御情報に基づく明示的なリソース割り当てにより割り当てられるリソースが用いられる。
【００８８】
移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨに対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨに対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨに対してはＮＡＣＫを示す場合、Ｒｅｓｏｕｒｃｅ  １を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨに対してはＮＡＣＫを示す場合、Ｒｅｓｏｕｒｃｅ  １を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨに対してはＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨに対してはＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨに対してはＡＣＫを示す場合、Ｒｅｓｏｕｒｃｅ  ２を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨに対してはＡＣＫを示す場合、Ｒｅｓｏｕｒｃｅ  ２を選択して、“１０”の信号点のＱＰＳＫから生成した信号を送信する。
【００８９】
次に、セルアグリゲーションに２つのセルが用いられ、プライマリセルでは単一のデータ送信、セカンダリセルでは２個のデータ送信が行われる場合について説明する。この場合、３ビットのＡＣＫ／ＮＡＣＫの情報が第一のＰＵＣＣＨを用いて示される。３ビットで示される８種類の情報が３つのグループに分けられ、各グループは２種類または４種類の情報から構成される。暗黙的に示される情報として第一のＰＵＣＣＨのリソースの選択により何れのグループかが示され、グループ内のいずれの種類の情報かがＱＰＳＫの信号点により示される。図１７は、本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。なお、図１７では、１ｓｔ  ＡＣＫ／ＮＡＣＫがプライマリセルのＰＤＳＣＨに対するＡＣＫ／ＮＡＣＫの情報を示し、２ｎｄ  ＡＣＫ／ＮＡＣＫがセカンダリセルのＰＤＳＣＨの第一のデータ系列に対するＡＣＫ／ＮＡＣＫの情報を示し、３ｒｄ  ＡＣＫ／ＮＡＣＫがセカンダリセルのＰＤＳＣＨの第二のデータ系列に対するＡＣＫ／ＮＡＣＫの情報を示す。図１７で、Ｒｅｓｏｕｒｃｅ  １はプライマリセルのＰＤＳＣＨに対応する下りリンクアサインメントを含むＰＤＣＣＨに基づいて割り当てられ、Ｒｅｓｏｕｒｃｅ  ２とＲｅｓｏｕｒｃｅ  ３はセカンダリセルのＰＤＳＣＨに対応する下りリンクアサインメントを含むＰＤＣＣＨに基づいて割り当てられる。プライマリセルのＰＤＳＣＨに対応する下りリンクアサインメントを含むＰＤＣＣＨはプライマリセルでのみ送信されるため、Ｒｅｓｏｕｒｃｅ  １はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがプライマリセルで送信される場合、Ｒｅｓｏｕｒｃｅ  ２とＲｅｓｏｕｒｃｅ  ３はＰＤＣＣＨのＣＣＥに基づく暗黙的なリソース割り当てにより割り当てられるリソースが用いられる。ここで、Ｒｅｓｏｕｒｃｅ  ３はＲｅｓｏｕｒｃｅ  ２に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  ２は最小の番号のＣＣＥと識別番号が同じ第一のＰＵＣＣＨのリソースが用いられ、Ｒｅｓｏｕｒｃｅ  ３はＲｅｓｏｕｒｃｅ  ２に用いられる第一のＰＵＣＣＨのリソースに対して識別番号が＋１の値だけシフトした識別番号の第一のＰＵＣＣＨのリソースが用いられる。セカンダリセルのＰＤＳＣＨに対応する下りリンクアサインメントを含むＰＤＣＣＨがセカンダリセルで送信される場合、Ｒｅｓｏｕｒｃｅ  ２とＲｅｓｏｕｒｃｅ  ３はＰＤＣＣＨに明示的に含まれる制御情報に基づく明示的なリソース割り当てにより割り当てられるリソースが用いられる。ここで、ＰＤＣＣＨに明示的に含まれる制御情報に基づきＲｅｓｏｕｒｃｅ  ２のリソースが明示的に示され、Ｒｅｓｏｕｒｃｅ  ３はＲｅｓｏｕｒｃｅ  ２に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  ３はＲｅｓｏｕｒｃｅ  ２に用いられる第一のＰＵＣＣＨのリソースに対して識別番号が＋１の値だけシフトした識別番号の第一のＰＵＣＣＨのリソースが用いられる。または、予めＲＲＣシグナリングでＲｅｓｏｕｒｃｅ  ２用のリソース候補とＲｅｓｏｕｒｃｅ  ３用のリソース候補がそれぞれ設定され、それぞれのリソース候補の中からリソースを示す制御情報がＰＤＣＣＨで示される。なお、Ｒｅｓｏｕｒｃｅ  ２用のリソース候補の中からリソースを示す制御情報およびＲｅｓｏｕｒｃｅ  ３用のリソース候補の中からリソースを示す制御情報として、１個の共通の制御情報がＰＤＣＣＨに含まれる構成でもよい。
【００９０】
移動局装置５は、プライマリセルのＰＤＳＣＨに対してはＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨに対してはＮＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨに対してはＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨに対してはＮＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨに対してはＡＣＫ、セカンダリセルのＰＤＳＣＨの第一のデータ系列に対してはＮＡＣＫ、セカンダリセルのＰＤＳＣＨの第二のデータ系列に対してはＡＣＫを示す場合、Ｒｅｓｏｕｒｃｅ  ３を選択して、“００”の信号点のＱＰＳＫから生成した信号を送信する。移動局装置５は、プライマリセルのＰＤＳＣＨに対してはＮＡＣＫ、セカンダリセルのＰＤＳＣＨの第一のデータ系列に対してはＮＡＣＫ、セカンダリセルのＰＤＳＣＨの第二のデータ系列に対してはＡＣＫを示す場合、Ｒｅｓｏｕｒｃｅ  ３を選択して、“１１”の信号点のＱＰＳＫから生成した信号を送信する。移動局装置５は、プライマリセルのＰＤＳＣＨに対してはＡＣＫ、セカンダリセルのＰＤＳＣＨの第一のデータ系列に対してはＡＣＫ、セカンダリセルのＰＤＳＣＨの第二のデータ系列に対してはＡＣＫを示す場合、Ｒｅｓｏｕｒｃｅ  ３を選択して、“０１”の信号点のＱＰＳＫから生成した信号を送信する。移動局装置５は、プライマリセルのＰＤＳＣＨに対してはＮＡＣＫ、セカンダリセルのＰＤＳＣＨの第一のデータ系列に対してはＡＣＫ、セカンダリセルのＰＤＳＣＨの第二のデータ系列に対してはＡＣＫを示す場合、Ｒｅｓｏｕｒｃｅ  ３を選択して、“１０”の信号点のＱＰＳＫから生成した信号を送信する。
【００９１】
次に、セルアグリゲーションに２つのセルが用いられ、プライマリセルでは２個のデータ送信、セカンダリセルでは２個のデータ送信が行われる場合について説明する。この場合、４ビットのＡＣＫ／ＮＡＣＫの情報が第一のＰＵＣＣＨを用いて示される。４ビットで示される１６種類の情報が４つのグループに分けられ、各グループは４種類の情報から構成される。暗黙的に示される情報として第一のＰＵＣＣＨのリソースの選択により何れのグループかが示され、グループ内のいずれの種類の情報かがＱＰＳＫの信号点により示される。図１８は、本発明の実施形態に係る通信システムのＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係を説明する図である。なお、図１８では、１ｓｔ  ＡＣＫ／ＮＡＣＫがプライマリセルのＰＤＳＣＨの第一のデータ系列に対するＡＣＫ／ＮＡＣＫの情報を示し、２ｎｄ  ＡＣＫ／ＮＡＣＫがプライマリセルのＰＤＳＣＨの第二のデータ系列に対するＡＣＫ／ＮＡＣＫの情報を示し、３ｒｄ  ＡＣＫ／ＮＡＣＫがセカンダリセルのＰＤＳＣＨの第一のデータ系列に対するＡＣＫ／ＮＡＣＫの情報を示し、４ｔｈ  ＡＣＫ／ＮＡＣＫがセカンダリセルのＰＤＳＣＨの第二のデータ系列に対するＡＣＫ／ＮＡＣＫの情報を示す。図１８で、Ｒｅｓｏｕｒｃｅ  １とＲｅｓｏｕｒｃｅ  ２はプライマリセルのＰＤＳＣＨに対応する下りリンクアサインメントを含むＰＤＣＣＨに基づいて割り当てられ、Ｒｅｓｏｕｒｃｅ  ３とＲｅｓｏｕｒｃｅ  ４はセカンダリセルのＰＤＳＣＨに対応する下りリンクアサインメントを含むＰＤＣＣＨに基づいて割り当てられる。プライマリセルのＰＤＳＣＨに対応する下りリンクアサインメントを含むＰＤＣＣＨはプライマリセルでのみ送信されるため、Ｒｅｓｏｕｒｃｅ  １とＲｅｓｏｕｒｃｅ  ２はＰＤＣＣＨのＣＣＥに基づく暗黙的なリソース割り当てにより割り当てられるリソースが用いられる。ここで、Ｒｅｓｏｕｒｃｅ  ２はＲｅｓｏｕｒｃｅ  １に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  １は最小の番号のＣＣＥと識別番号が同じ第一のＰＵＣＣＨのリソースが用いられ、Ｒｅｓｏｕｒｃｅ  ２はＲｅｓｏｕｒｃｅ  １に用いられる第一のＰＵＣＣＨのリソースに対して識別番号が＋１の値だけシフトした識別番号の第一のＰＵＣＣＨのリソースが用いられる。セカンダリセルのＰＤＳＣＨに対応する下りリンクアサインメントを含むＰＤＣＣＨがプライマリセルで送信される場合、Ｒｅｓｏｕｒｃｅ  ３とＲｅｓｏｕｒｃｅ  ４はＰＤＣＣＨのＣＣＥに基づく暗黙的なリソース割り当てにより割り当てられるリソースが用いられる。ここで、Ｒｅｓｏｕｒｃｅ  ４はＲｅｓｏｕｒｃｅ  ３に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  ３は最小の番号のＣＣＥと識別番号が同じ第一のＰＵＣＣＨのリソースが用いられ、Ｒｅｓｏｕｒｃｅ  ４はＲｅｓｏｕｒｃｅ  ３に用いられる第一のＰＵＣＣＨのリソースに対して識別番号が＋１の値だけシフトした識別番号の第一のＰＵＣＣＨのリソースが用いられる。セカンダリセルのＰＤＳＣＨに対応する下りリンクアサインメントを含むＰＤＣＣＨがセカンダリセルで送信される場合、Ｒｅｓｏｕｒｃｅ  ３とＲｅｓｏｕｒｃｅ  ４はＰＤＣＣＨに明示的に含まれる制御情報に基づく明示的なリソース割り当てにより割り当てられるリソースが用いられる。ここで、ＰＤＣＣＨに明示的に含まれる制御情報に基づきＲｅｓｏｕｒｃｅ  ３のリソースが明示的に示され、Ｒｅｓｏｕｒｃｅ  ４はＲｅｓｏｕｒｃｅ  ３に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  ４はＲｅｓｏｕｒｃｅ  ３に用いられる第一のＰＵＣＣＨのリソースに対して識別番号が＋１の値だけシフトした識別番号の第一のＰＵＣＣＨのリソースが用いられる。または、予めＲＲＣシグナリングでＲｅｓｏｕｒｃｅ  ３用のリソース候補とＲｅｓｏｕｒｃｅ  ４用のリソース候補がそれぞれ設定され、それぞれのリソース候補の中からリソースを示す制御情報がＰＤＣＣＨで示される。なお、Ｒｅｓｏｕｒｃｅ  ３用のリソース候補の中からリソースを示す制御情報およびＲｅｓｏｕｒｃｅ  ４用のリソース候補の中からリソースを示す制御情報として、１個の共通の制御情報がＰＤＣＣＨに含まれる構成でもよい。なお、セカンダリセルのＰＤＳＣＨに対応する下りリンクアサインメントを含むＰＤＣＣＨがセカンダリセルで送信される場合、Ｒｅｓｏｕｒｃｅ  ２もＰＤＣＣＨに明示的に含まれる制御情報に基づく明示的なリソース割り当てによりリソースが割り当てられてもよい。
【００９２】
移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨの第一のデータ系列に対してはＡＣＫ、セカンダリセルのＰＤＳＣＨの第二のデータ系列に対してはＡＣＫを示す場合、Ｒｅｓｏｕｒｃｅ  １を選択して、“０１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  １を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨの第一のデータ系列に対してはＮＡＣＫ、セカンダリセルのＰＤＳＣＨの第二のデータ系列に対してはＮＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨの第一のデータ系列に対してはＡＣＫ、セカンダリセルのＰＤＳＣＨの第二のデータ系列に対してはＡＣＫを示す場合、Ｒｅｓｏｕｒｃｅ  ２を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨの第一のデータ系列���対してはＡＣＫ、セカンダリセルのＰＤＳＣＨの第二のデータ系列に対してはＡＣＫを示す場合、Ｒｅｓｏｕｒｃｅ  ２を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ３を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ３を選択して、“１１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨの第一のデータ系列に対してはＡＣＫ、セカンダリセルのＰＤＳＣＨの第二のデータ系列に対してはＡＣＫを示す場合、Ｒｅｓｏｕｒｃｅ  ３を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ３を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセルのＰＤＳＣＨの第一のデータ系列に対してはＡＣＫ、セカンダリセルのＰＤＳＣＨの第二のデータ系列に対してはＮＡＣＫを示す場合、Ｒｅｓｏｕｒｃｅ  ４を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセルのＰＤＳＣＨの第一のデータ系列に対してはＮＡＣＫ、セカンダリセルのＰＤＳＣＨの第二のデータ系列に対してはＡＣＫを示す場合、Ｒｅｓｏｕｒｃｅ  ４を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセルのＰＤＳＣＨの第一のデータ系列に対してはＮＡＣＫ、セカンダリセルのＰＤＳＣＨの第二のデータ系列に対してはＡＣＫを示す場合、Ｒｅｓｏｕｒｃｅ  ４を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセルのＰＤＳＣＨの第一のデータ系列に対してはＮＡＣＫ、セカンダリセルのＰＤＳＣＨの第二のデータ系列に対してはＡＣＫを示す場合、Ｒｅｓｏｕｒｃｅ  ４を選択して、“１０”の信号点のＱＰＳＫから生成した信号を送信する。
【００９３】
次に、セルアグリゲーションに３つのセルが用いられ、プライマリセルでは単一のデータ送信、各セカンダリセル（セカンダリセル１、セカンダリセル２）では単一のデータ送信が行われる場合について説明する。この場合、３ビットのＡＣＫ／ＮＡＣＫの情報が第一のＰＵＣＣＨを用いて示される。３ビットで示される８種類の情報が３つのグループに分けられ、各グループは２種類または４種類の情報から構成される。暗黙的に示される情報として第一のＰＵＣＣＨのリソースの選択により何れのグループかが示され、グループ内のいずれの種類の情報かがＱＰＳＫの信号点により示される。この場合、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係は図１７とほぼ同様であるが、１ｓｔ  ＡＣＫ／ＮＡＣＫはプライマリセルのＰＤＳＣＨに対するＡＣＫ／ＮＡＣＫの情報を示し、２ｎｄ  ＡＣＫ／ＮＡＣＫがセカンダリセル１のＰＤＳＣＨに対するＡＣＫ／ＮＡＣＫの情報を示し、３ｒｄ  ＡＣＫ／ＮＡＣＫがセカンダリセル２のＰＤＳＣＨに対するＡＣＫ／ＮＡＣＫの情報を示す。また、暗黙的に情報を示すために行なわれる第一のＰＵＣＣＨのリソースの選択に用いられるリソースの選択候補のリソースの割り当てが上記で図１７を用いて説明した内容と異なる。Ｒｅｓｏｕｒｃｅ  １はプライマリセルのＰＤＳＣＨに対応する下りリンクアサインメントを含むＰＤＣＣＨに基づいて割り当てられ、Ｒｅｓｏｕｒｃｅ  ２はセカンダリセル１のＰＤＳＣＨに対応する下りリンクアサインメントを含むＰＤＣＣＨに基づいて割り当てられ、Ｒｅｓｏｕｒｃｅ  ３はセカンダリセル２のＰＤＳＣＨに対応する下りリンクアサインメントを含むＰＤＣＣＨに基づいて割り当てられる。Ｒｅｓｏｕｒｃｅ  １はＰＤＣＣＨのＣＣＥに基づく暗黙的なリソース割り当てにより割り当てられるリソースが用いられる。セカンダリセル１のＰＤＳＣＨに対応する下りリンクアサインメントを含むＰＤＣＣＨがプライマリセルで送信される場合、Ｒｅｓｏｕｒｃｅ  ２はＰＤＣＣＨのＣＣＥに基づく暗黙的なリソース割り当てにより割り当てられるリソースが用いられる。セカンダリセル１のＰＤＳＣＨに対応する下りリンクアサインメントを含むＰＤＣＣＨがセカンダリセル（セカンダリセル１またはセカンダリセル２）で送信される場合、Ｒｅｓｏｕｒｃｅ  ２はＰＤＣＣＨに明示的に含まれる制御情報に基づく明示的なリソース割り当てにより割り当てられるリソースが用いられる。セカンダリセル２のＰＤＳＣＨに対応する下りリンクアサインメントを含むＰＤＣＣＨがプライマリセルで送信される場合、Ｒｅｓｏｕｒｃｅ  ３はＰＤＣＣＨのＣＣＥに基づく暗黙的なリソース割り当てにより割り当てられるリソースが用いられる。セカンダリセル２のＰＤＳＣＨに対応する下りリンクアサインメントを含むＰＤＣＣＨがセカンダリセル（セカンダリセル１またはセカンダリセル２）で送信される場合、Ｒｅｓｏｕｒｃｅ  ３はＰＤＣＣＨに明示的に含まれる制御情報に基づく明示的なリソース割り当てにより割り当てられるリソースが用いられる。
【００９４】
移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ３を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ３を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  ３を選択して、“０１”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  ３を選択して、“１０”の信号点のＱＰＳＫから生成した信号を送信する。
【００９５】
次に、セルアグリゲーションに３つのセルが用いられ、プライマリセルでは２個のデータ送信、各セカンダリセル（セカンダリセル１、セカンダリセル２）では単一のデータ送信が行われる場合について説明する。この場合、４ビットのＡＣＫ／ＮＡＣＫの情報が第一のＰＵＣＣＨを用いて示される。４ビットで示される１６種類の情報が４つのグループに分けられ、各グループは４種類の情報から構成される。暗黙的に示される情報として第一のＰＵＣＣＨのリソースの選択により何れのグループかが示され、グループ内のいずれの種類の情報かがＱＰＳＫの信号点により示される。この場合、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係は図１８とほぼ同様であるが、１ｓｔ  ＡＣＫ／ＮＡＣＫはプライマリセルのＰＤＳＣＨの第一のデータ系列に対するＡＣＫ／ＮＡＣＫの情報を示し、２ｎｄ  ＡＣＫ／ＮＡＣＫがプライマリセルのＰＤＳＣＨの第二のデータ系列に対するＡＣＫ／ＮＡＣＫの情報を示し、３ｒｄ  ＡＣＫ／ＮＡＣＫがセカンダリセル１のＰＤＳＣＨに対するＡＣＫ／ＮＡＣＫの情報を示し、４ｔｈ  ＡＣＫ／ＮＡＣＫがセカンダリセル２のＰＤＳＣＨに対するＡＣＫ／ＮＡＣＫの情報を示す。また、暗黙的に情報を示すために行なわれる第一のＰＵＣＣＨのリソースの選択に用いられるリソースの選択候補のリソースの割り当てが上記で図１８を用いて説明した内容と異なる。Ｒｅｓｏｕｒｃｅ  １とＲｅｓｏｕｒｃｅ  ２はプライマリセルのＰＤＳＣＨに対応する下りリンクアサインメントを含むＰＤＣＣＨに基づいて割り当てられ、Ｒｅｓｏｕｒｃｅ  ３はセカンダリセル１のＰＤＳＣＨに対応する下りリンクアサインメントを含むＰＤＣＣＨに基づいて割り当てられ、Ｒｅｓｏｕｒｃｅ  ４はセカンダリセル２のＰＤＳＣＨに対応する下りリンクアサインメントを含むＰＤＣＣＨに基づいて割り当てられる。Ｒｅｓｏｕｒｃｅ  １とＲｅｓｏｕｒｃｅ  ２はＰＤＣＣＨのＣＣＥに基づく暗黙的なリソース割り当てにより割り当てられるリソースが用いられる。ここで、Ｒｅｓｏｕｒｃｅ  ２はＲｅｓｏｕｒｃｅ  １に用いられる第一のＰＵＣＣＨのリソースに対して識別番号が所定の値だけシフトした識別番号の第一のＰＵＣＣＨのリソースが用いられる。例えば、Ｒｅｓｏｕｒｃｅ  １は最小の番号のＣＣＥと識別番号が同じ第一のＰＵＣＣＨのリソースが用いられ、Ｒｅｓｏｕｒｃｅ  ２はＲｅｓｏｕｒｃｅ  １に用いられる第一のＰＵＣＣＨのリソースに対して識別番号が＋１の値だけシフトした識別番号の第一のＰＵＣＣＨのリソースが用いられる。セカンダリセル１のＰＤＳＣＨに対応する下りリンクアサインメントを含むＰＤＣＣＨがプライマリセルで送信される場合、Ｒｅｓｏｕｒｃｅ  ３はＰＤＣＣＨのＣＣＥに基づく暗黙的なリソース割り当てにより割り当てられるリソースが用いられる。セカンダリセル１のＰＤＳＣＨに対応する下りリンクアサインメントを含むＰＤＣＣＨがセカンダリセル（セカンダリセル１またはセカンダリセル２）で送信される場合、Ｒｅｓｏｕｒｃｅ  ３はＰＤＣＣＨに明示的に含まれる制御情報に基づく明示的なリソース割り当てにより割り当てられるリソースが用いられる。���カンダリセル２のＰＤＳＣＨに対応する下りリンクアサインメントを含むＰＤＣＣＨがプライマリセルで送信される場合、Ｒｅｓｏｕｒｃｅ  ４はＰＤＣＣＨのＣＣＥに基づく暗黙的なリソース割り当てにより割り当てられるリソースが用いられる。セカンダリセル２のＰＤＳＣＨに対応する下りリンクアサインメントを含むＰＤＣＣＨがセカンダリセル（セカンダリセル１またはセカンダリセル２）で送信される場合、Ｒｅｓｏｕｒｃｅ  ４はＰＤＣＣＨに明示的に含まれる制御情報に基づく明示的なリソース割り当てにより割り当てられるリソースが用いられる。
【００９６】
移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  １を選択して、“０１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  １を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセル１のＰＤＳＣＨに対してはＮＡＣＫ、セカンダリセル２のＰＤＳＣＨに対してはＮＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  ２を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  ２を選択して、“１０”の信号点のＱＰＳＫから生成した信号を送信する。移動局装置５は、プライマリセルのＰＤＳＣＨの第一のデータ系列に対してはＡＣＫ、プ��イマリセルのＰＤＳＣＨの第二のデータ系列に対してはＮＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  ３を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  ３を選択して、“１１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセル１のＰＤＳＣＨに対してはＡＣＫ、セカンダリセル２のＰＤＳＣＨに対してはＡＣＫを示す場合、Ｒｅｓｏｕｒｃｅ  ３を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセル１のＰＤＳＣＨに対してはＡＣＫ、セカンダリセル２のＰＤＳＣＨに対してはＮＡＣＫを示す場合、Ｒｅｓｏｕｒｃｅ  ３を選択して、“１０”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＮＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ４を選択して、“００”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＮＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ４を選択して、“１１”の信号点のＱＰＳＫから生成した信号を送信する。移動局装置５は、プライマリセルのＰＤＳＣＨの第一のデータ系列に対してはＡＣＫ、プライマリセルのＰＤＳＣＨの第二のデータ系列に対してはＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ４を選択して、“０１”の信号点のＱＰＳＫから生成した信号を送信する。移動局装置５は、プライマリセルのＰＤＳＣＨの第一のデータ系列に対してはＮＡＣＫ、プライマリセルのＰＤＳＣＨの第二のデータ系列に対してはＡＣＫ、セカンダリセル１のＰＤＳＣＨに対してはＮＡＣＫ、セカンダリセル２のＰＤＳＣＨに対してはＡＣＫを示す場合、Ｒｅｓｏｕｒｃｅ  ４を選択して、“１０”の信号点のＱＰＳＫから生成した信号を送信する。
【００９７】
なお、セルアグリゲーションに３つのセルが用いられ、プライマリセルでは単一のデータ送信、一方のセカンダリセル（セカンダリセル１）では単一のデータ送信、もう一方のセカンダリセル（セカンダリセル２）では２個のデータ送信が行われる場合にも本発明を適用できる。
【００９８】
次に、セルアグリゲーションに４つのセルが用いられ、プライマリセルでは単一のデータ送信、各セカンダリセル（セカンダリセル１、セカンダリセル２、セカンダリセル３）では単一のデータ送信が行われる場合について説明する。この場合、４ビットのＡＣＫ／ＮＡＣＫの情報が第一のＰＵＣＣＨを用いて示される。４ビットで示される１６種類の情報が４つのグループに分けられ、各グループは４種類の情報から構成される。暗黙的に示される情報として第一のＰＵＣＣＨのリソースの選択により何れのグループかが示され、グループ内のいずれの種類の情報かがＱＰＳＫの信号点により示される。この場合、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係は図１８とほぼ同様であるが、１ｓｔ  ＡＣＫ／ＮＡＣＫはプライマリセルのＰＤＳＣＨに対するＡＣＫ／ＮＡＣＫの情報を示し、２ｎｄ  ＡＣＫ／ＮＡＣＫがセカンダリセル１のＰＤＳＣＨに対するＡＣＫ／ＮＡＣＫの情報を示し、３ｒｄ  ＡＣＫ／ＮＡＣＫがセカンダリセル２のＰＤＳＣＨに対するＡＣＫ／ＮＡＣＫの情報を示し、４ｔｈ  ＡＣＫ／ＮＡＣＫがセカンダリセル３のＰＤＳＣＨに対するＡＣＫ／ＮＡＣＫの情報を示す。また、暗黙的に情報を示すために行なわれる第一のＰＵＣＣＨのリソースの選択に用いられるリソースの選択候補のリソースの割り当てが上記で図１８を用いて説明した内容と異なる。Ｒｅｓｏｕｒｃｅ  １はプライマリセルのＰＤＳＣＨに対応する下りリンクアサインメントを含むＰＤＣＣＨに基づいて割り当てられ、Ｒｅｓｏｕｒｃｅ  ２はセカンダリセル１のＰＤＳＣＨに対応する下りリンクアサインメントを含むＰＤＣＣＨに基づいて割り当てられ、Ｒｅｓｏｕｒｃｅ  ３はセカンダリセル２のＰＤＳＣＨに対応する下りリンクアサインメントを含むＰＤＣＣＨに基づいて割り当てられ、Ｒｅｓｏｕｒｃｅ  ４はセカンダリセル３のＰＤＳＣＨに対応する下りリンクアサインメントを含むＰＤＣＣＨに基づいて割り当てられる。プライマリセルのＰＤＳＣＨに対応する下りリンクアサインメントを含むＰＤＣＣＨはプライマリセルでのみ送信されるため、Ｒｅｓｏｕｒｃｅ  １はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがプライマリセルで送信される場合、Ｒｅｓｏｕｒｃｅ  ２とＲｅｓｏｕｒｃｅ  ３とＲｅｓｏｕｒｃｅ  ４はＰＤＣＣＨのＣＣＥに基づく暗黙的なリソース割り当てにより割り当てられるリソースが用いられる。セカンダリセルのＰＤＳＣＨに対応する下りリンクアサインメントを含むＰＤＣＣＨがセカンダリセルで送信される場合、Ｒｅｓｏｕｒｃｅ  ２とＲｅｓｏｕｒｃｅ  ３とＲｅｓｏｕｒｃｅ  ４はＰＤＣＣＨに明示的に含まれる制御情報に基づく明示的なリソース割り当てにより割り当てられるリソースが用いられる。
【００９９】
移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＮＡＣＫ、セカンダリセル３のＰＤＳＣＨに対してはＮＡＣＫを示す場合、Ｒｅｓｏｕｒｃｅ  １を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＮＡＣＫ、セカンダリセル３のＰＤＳＣＨに対してはＮＡＣＫを示す場合、Ｒｅｓｏｕｒｃｅ  １を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＡＣＫ、セカンダリセル３のＰＤＳＣＨに対してはＡＣＫを示す場合、Ｒｅｓｏｕｒｃｅ  １を選択して、“０１”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＡＣＫ、セカンダリセル３のＰＤＳＣＨに対してはＮＡＣＫを示す場合、Ｒｅｓｏｕｒｃｅ  １を選択して、“１０”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＮＡＣＫ、セカンダリセル３のＰＤＳＣＨに対してはＮＡＣＫを示す場合、Ｒｅｓｏｕｒｃｅ  ２を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＮＡＣＫ、セカンダリセル３のＰＤＳＣＨに対してはＮＡＣＫを示す場合、Ｒｅｓｏｕｒｃｅ  ２を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＡＣＫ、セカンダリセル３のＰＤＳＣＨに対してはＡＣＫを示す場合、Ｒｅｓｏｕｒｃｅ  ２を選択して、“０１”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＡＣＫ、セカンダリセル３のＰＤＳＣＨに対してはＡＣＫを示す場合、Ｒｅｓｏｕｒｃｅ  ２を選択して、“１０”の信号点のＱＰＳＫから生成した信号を送信する。移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＡＣＫ、セカンダリセル３のＰＤＳＣＨに対してはＮＡＣＫを示す場合、Ｒｅｓｏｕｒｃｅ  ３を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＡＣＫ、セカンダリセル３のＰＤＳＣＨに対してはＮＡＣＫを示す場合、Ｒｅｓｏｕｒｃｅ  ３を選択して、“１１”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＡＣＫ、セカンダリセル３のＰＤＳＣＨに対してはＡＣＫを示す場合、Ｒｅｓｏｕｒｃｅ  ３を選択して、“０１”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＡＣＫ、セカンダリセル３のＰＤＳＣＨに対してはＮＡＣＫを示す場合、Ｒｅｓｏｕｒｃｅ  ３を選択して、“１０”の信号点のＱＰＳＫから生成した信号を送信する。移動局装置５は、プライマリセルのＰＤＳＣＨに対してはＡＣＫ、セカンダリセル１のＰＤＳＣＨに対してはＮＡＣＫ、セカンダリセル２のＰＤＳＣＨに対してはＡＣＫ、セカンダリセル３のＰＤＳＣＨに対してはＮＡＣＫを示す場合、Ｒｅｓｏｕｒｃｅ  ４を選択して、“００”の信号点のＱＰＳＫから生成した信号を送信する。移動局装置５は、プライマリセルのＰＤＳＣＨに対してはＮＡＣＫ、セカンダリセル１のＰＤＳＣＨに対してはＮＡＣＫ、セカンダリセル２のＰＤＳＣＨに対してはＮＡＣＫ、セカンダリセル３のＰＤＳＣＨに対してはＡＣＫを示す場合、Ｒｅｓｏｕｒｃｅ  ４を選択して、“１１”の信号点のＱＰＳＫから生成した信号を送信する。移動局装置５は、プライマリセルのＰＤＳＣＨに対してはＡＣＫ、セカンダリセル１のＰＤＳＣＨに対してはＡＣＫ、セカンダリセル２のＰＤＳＣＨに対してはＮＡＣＫ、セカンダリセル３のＰＤＳＣＨに対してはＡＣＫを示す場合、Ｒｅｓｏｕｒｃｅ  ４を選択して、“０１”の信号点のＱＰＳＫから生成した信号を送信する。移動局装置５は、プライマリセルのＰＤＳＣＨに対してはＮＡＣＫ、セカンダリセル１のＰＤＳＣＨに対してはＡＣＫ、セカンダリセル２のＰＤＳＣＨに対してはＮＡＣＫ、セカンダリセル３のＰＤＳＣＨに対してはＡＣＫを示す場合、Ｒｅｓｏｕｒｃｅ  ４を選択して、“１０”の信号点のＱＰＳＫから生成した信号を送信する。
【０１００】
移動局装置５は、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係に関して、設定されるセルアグリゲーションの構成、送信モードに応じて何れの関係を適用するかを選択する。セルアグリゲーションの構成とは、セルアグリゲーションに用いられるセルの数、プライマリセルとセカンダリセルの設定を含む。送信モードとは、各セルにおいて単一のデータ送信が行なわれるのか、２個のデータ送信が基本的に行なわれるのかを意味する設定である。言い換えると、送信モードは、ある下りリンクサブフレームにおいて送信されうるデータの最大数を意味する。２個のデータ送信が基本的に行なわれる送信モードが設定された場合であっても、下りリンクサブフレーム毎に単一のデータが送信されたり、２個のデータが送信されたりする。なお、単一のデータ送信が行なわれる送信モードが設定された場合、何れの下りリンクサブフレームでも単一のデータしか送信されず、２個のデータが送信されることはない。
【０１０１】
移動局装置５は、対応するＡＣＫ／ＮＡＣＫの情報が検出されなかった場合、対応するＡＣＫ／ＮＡＣＫの情報をＮＡＣＫと設定し、ＡＣＫ／ＮＡＣＫ  ｃｈａｎｎｅｌ  ｓｅｌｅｃｔｉｏｎを行なう。基地局装置３は、移動局装置５に送信するデータが余りなかったり、他の移動局装置５へのリソースの割り当てを優先した場合、移動局装置５に設定した全てのセルではデータの送信を行なわず、一部のセルでしか送信を行なわない場合がある。そのような場合、移動局装置５は、一部のセルのＰＤＳＣＨに対応するＰＤＣＣＨを検出せず、一部のセルのＰＤＳＣＨに対応するＡＣＫ／ＮＡＣＫの情報を検出することができない。また、基地局装置３がＰＤＣＣＨを送信したとしても、干渉、フェージングなどの影響により伝搬路環境が劣悪な場合、移動局装置５は一部のセルのＰＤＳＣＨに対応するＰＤＣＣＨを検出できない場合がある。そのような場合も、移動局装置は、一部のセルのＰＤＳＣＨに対応するＡＣＫ／ＮＡＣＫの情報を検出することができない。例えば、図１５に示す、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係が適用される移動局装置５において、プライマリセルのＰＤＳＣＨに対応するＰＤＣＣＨは検出されたが、セカンダリセルのＰＤＳＣＨに対応するＰＤＣＣＨは検出されなかった場合、移動局装置５は２ｎｄ  ＡＣＫ／ＮＡＣＫをＮＡＣＫと設定し、ＡＣＫ／ＮＡＣＫ  ｃｈａｎｎｅｌ  ｓｅｌｅｃｔｉｏｎを行なう。
【０１０２】
なお、ＤＦＴ−Ｓｐｒｅａｄ−ＯＦＤＭ方式を用いたＰＵＣＣＨ（ＰＵＣＣＨ  ｆｏｒｍａｔ  ３）で送信されるＡＣＫ／ＮＡＣＫの情報は、例えば、図１８に示す、１ｓｔ  ＡＣＫ／ＮＡＣＫ、２ｎｄ  ＡＣＫ／ＮＡＣＫ、３ｒｄ  ＡＣＫ／ＮＡＣＫ、４ｔｈ  ＡＣＫ／ＮＡＣＫの全ての情報をまとめたものであり、変調信号により明示的に示される。なお、１ｓｔ  ＡＣＫ／ＮＡＣＫ、２ｎｄ  ＡＣＫ／ＮＡＣＫ、３ｒｄ  ＡＣＫ／ＮＡＣＫ、４ｔｈ  ＡＣＫ／ＮＡＣＫは、同一サブフレームにおいて受信されるＰＤＣＣＨに含まれる下りリンクアサインメントでリソースの割り当てが示されるＰＤＳＣＨのデータに対するＡＣＫ／ＮＡＣＫである。
【０１０３】
＜送信ダイバーシチに用いられるＰＵＣＣＨのリソース＞
ＰＵＣＣＨを送信ダイバーシチで送信するために、２個の送信アンテナ（第一の送信アンテナ、第二の送信アンテナ）が用いられる。第一の送信アンテナに用いられるＰＵＣＣＨのリソースは、送信ダイバーシチが適用されず、単一の送信アンテナでＰＵＣＣＨが送信される場合と同様のリソースが用いられる。本発明の移動局装置５は、暗黙的なリソース割り当てにより割り当てられるリソースが用いられる場合に送信ダイバーシチを適用するように制御し、明示的なリソース割り当てにより割り当てられるリソースが用いられる場合に送信ダイバーシチを適用しないように制御するため、第一の送信アンテナに用いられるＰＵＣＣＨのリソースは、暗黙的なリソース割り当てにより割り当てられる。第二の送信アンテナに用いられるＰＵＣＣＨのリソースは、第一の送信アンテナに用いられるＰＵＣＣＨのリソースに対して識別番号が次のリソースが用いられる。
【０１０４】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（受信部）１０１、無線リソース制御部１０３、制御部１０５、および、送信処理部（送信部）１０７を含んで構成される。
【０１０５】
受信処理部１０１は、制御部１０５の指示に従い、受信アンテナ１０９により移動局装置５から受信した、ＰＵＣＣＨ、ＰＵＳＣＨの受信信号を上りリンク参照信号を用いて復調し、復号して、制御情報、情報データを抽出する。受信処理部１０１は、自装置が移動局装置５にＰＵＣＣＨのリソースを割り当てた上りリンクサブフレーム、上りリンク物理リソースブロックに対してＵＣＩを抽出する処理を行なう。受信処理部１０１は、何れの上りリンクサブフレーム、何れの上りリンク物理リソースブロックに対してどのような処理を行なうかを制御部１０５から指示される。例えば、受信処理部１０１は、第二のＰＵＣＣＨの信号に対して時間領域での符号系列の乗算と合成を行なう検出処理を制御部１０５から指示される。例えば、受信処理部１０１は、ＡＣＫ／ＮＡＣＫ用の第一のＰＵＣＣＨの信号に対して時間領域での符号系列の乗算と合成、周波数領域での符号系列の乗算と合成を行なう検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。例えば、受信処理部１０１は、セルアグリゲーションを用いた場合のＡＣＫ／ＮＡＣＫを第一のＰＵＣＣＨの受信信号、または第二のＰＵＣＣＨの受信信号から抽出する。例えば、受信処理部１０１は、第一のＰＵＣＣＨの受信信号に対して、送信ダイバーシチを用いて送信された複数の信号を合成してＵＣＩを検出する処理を行い、または信号を合成せずにＵＣＩを検出する処理を行う。受信処理部１０１は、抽出したＵＣＩを制御部１０５に出力し、情報データを上位層に出力する。受信処理部１０１の詳細については、後述する。
【０１０６】
無線リソース制御部１０３は、移動局装置５各々のＰＤＣＣＨに対するリソースの割り当て、ＰＵＣＣＨに対するリソースの割り当て、ＰＤＳＣＨに対する下りリンク物理リソースブロックの割り当て、ＰＵＳＣＨに対する上りリンク物理リソースブロックの割り当て、各種チャネルの変調方式・符号化率・送信電力制御値などを設定する。なお、無線リソース制御部１０３は、ＰＵＣＣＨに対する周波数領域の符号系列、時間領域の符号系列なども設定する。また、無線リソース制御部１０３は、設定したＰＵＣＣＨのリソースの割り当てを示す情報などを制御部１０５に出力する。また、無線リソース制御部１０３は、セルアグリゲーションを用いる場合のＡＣＫ／ＮＡＣＫの送信方法を設定する。セルアグリゲーションを用いる場合のＡＣＫ／ＮＡＣＫの送信方法は、第一のＰＵＣＣＨのリソースを用いてＡＣＫ／ＮＡＣＫ  ｃｈａｎｎｅｌ  ｓｅｌｅｃｔｉｏｎでＡＣＫ／ＮＡＣＫを送信する方法、または第二のＰＵＣＣＨのリソースを用いてＤＦＴ−Ｓｐｒｅａｄ−ＯＦＤＭ方式でＡＣＫ／ＮＡＣＫを送信する方法である。無線リソース制御部１０３で設定された情報の一部は送信処理部１０７を介して移動局装置５に通知され、例えばセルアグリゲーションを用いる場合のＡＣＫ／ＮＡＣＫの送信方法を示す情報が移動局装置５に通知される。
【０１０７】
また、無線リソース制御部１０３は、複数の送信アンテナポートを有する移動局装置５に対してＰＵＣＣＨに対して送信ダイバーシチの適用を許可するか否かを設定する。無線リソース制御部１０３は、送信処理部１０７を介してＰＵＣＣＨに対して送信ダイバーシチの適用を許可するか否かを示す情報を移動局装置５に通知するように制御部１０５に出力する。また、無線リソース制御部１０３は、ＰＵＣＣＨに対して送信ダイバーシチの適用を許可するか否かを示す情報の代わりに、ＰＵＣＣＨに対して複数の送信アンテナポートを用いた送信の適用を許可するか否かを示す情報を用いるようにしてもよい。また、無線リソース制御部１０３は、ＰＵＣＣＨに対して送信ダイバーシチの適用を許可するか否かを示す情報の代わりに、複数の送信アンテナポートを用いた送信を適用するか、シングルアンテナポートを用いた送信を適用するかを示す情報を用いるようにしてもよい。また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、第一のＰＵＣＣＨ、または第二のＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【０１０８】
無線リソース制御部１０３は、自装置がセルアグリゲーションを用いて通信を行なう場合、移動局装置５に対して複数の下りリンクコンポーネントキャリア、複数の上りリンクコンポーネントキャリアを構成する。また、無線リソース制御部１０３は、移動局装置５に対してＰＤＣＣＨ  ＣＣ、ＰＤＣＣＨ  ＣＣと対応付けるＰＤＳＣＨ  ＣＣ、プライマリセル、セカンダリセルを設定する。無線リソース制御部１０３は、送信処理部１０７を介して何れのセルをプライマリセルと設定するかを示す情報、各セカンダリセルのＰＤＳＣＨ  ＣＣに対してＰＤＣＣＨ  ＣＣとして対応付けられた下りリンクコンポーネントキャリアを示す情報を移動局装置５に通知するように制御部１０５に出力する。
【０１０９】
無線リソース制御部１０３は、各種制御信号を制御部１０５に出力する。例えば、制御信号は、ＰＵＣＣＨのリソースの割り当てを示す制御信号や、受信処理部１０１で受信されたＰＵＣＣＨの信号に対して行なわれる検出処理を示す制御信号である。例えば、無線リソース制御部１０３は、第二のＰＵＣＣＨのリソースとして上りリンクサブフレーム、上りリンク物理リソースブロック、時間領域の符号系列を示す制御信号を出力する。例えば、無線リソース制御部１０３は、第二のＰＵＣＣＨの信号に対して時間領域での符号系列の乗算と合成を行なう検出処理を示す制御信号を出力する。例えば、無線リソース制御部１０３は、ＡＣＫ／ＮＡＣＫ用の第一のＰＵＣＣＨのリソースとして上りリンクサブフレーム、上りリンク物理リソースブロック、時間領域の符号系列、周波数領域の符号系列を示す制御信号を出力する。例えば、無線リソース制御部１０３は、ＡＣＫ／ＮＡＣＫ用の第一のＰＵＣＣＨの信号に対して時間領域での符号系列の乗算と合成、周波数領域での符号系列の乗算と合成を行なう検出処理を示す制御信号を出力する。例えば、無線リソース制御部１０３は、ＰＵＣＣＨの信号に対して行なわれる検出処理として複数の送信アンテナを用いて送信ダイバーシチで送信された複数のＰＵＣＣＨの信号を合成してＵＣＩを検出する処理、または１本の送信アンテナを用いて送信された１個のＰＵＣＣＨの信号から他の信号と合成せずにＵＣＩを検出する処理を示す制御信号が用いられる。
【０１１０】
制御部１０５は、無線リソース制御部１０３から入力された制御信号に基づき、ＰＤＳＣＨに対する下りリンク物理リソースブロックの割り当て、ＰＤＣＣＨに対するリソースの割り当て、ＰＤＳＣＨに対する変調方式の設定、ＰＤＳＣＨおよびＰＤＣＣＨに対する符号化率の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。また、制御部１０５は、通信に用いる下りリンクコンポーネントキャリアおよび上りリンクコンポーネントキャリアを示す情報、プライマリセルを示す情報、ＰＤＳＣＨ  ＣＣとＰＤＣＣＨ  ＣＣとの対応付けを示す情報、セルアグリゲーションで用いるＡＣＫ／ＮＡＣＫの送信方法、ＰＵＣＣＨのリソースの割り当てを示す情報、送信ダイバーシチの適用を許可するか否かを示す情報などを送信処理部１０７を介して移動局装置５にＰＤＳＣＨを用いて送信するように制御を行なう。また、制御部１０５は、セルアグリゲーションでＡＣＫ／ＮＡＣＫの送信に割り当てるＰＵＣＣＨのリソースを送信処理部１０７を介して移動局装置５にＰＤＣＣＨを用いて送信するように制御を行なう。
【０１１１】
制御部１０５は、無線リソース制御部１０３から入力された制御信号に基づき、ＰＵＳＣＨに対する上りリンク物理リソースブロックの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定などの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【０１１２】
また、制御部１０５は、無線リソース制御部１０３から入力された制御信号などに基づき、ＰＵＣＣＨにおいて送信されるＵＣＩの検出に用いる処理の設定を受信処理部１０１に対して行なう。例えば、制御部１０５は、ＰＵＣＣＨの送信方法としてＰＵＣＣＨを単一の送信アンテナを用いて送信する送信方法を示す情報が無線リソース制御部１０３から入力されている場合、受信処理部１０１に対して複数のＰＵＣＣＨの信号を合成せずにＵＣＩを検出する処理を設定する。例えば、制御部１０５は、ＰＵＣＣＨの送信方法として複数の送信アンテナを用いて送信ダイバーシチで送信する送信方法を示す情報が無線リソース制御部１０３から入力されている場合、ＰＤＣＣＨのリソース割り当てなどに応じて、送信ダイバーシチで送信される複数のＰＵＣＣＨの信号を合成してＵＣＩを検出する処理、または複数のＰＵＣＣＨの信号を合成せずにＵＣＩを検出する処理を受信処理部１０１に対して設定する。なお、制御部１０５は、無線リソース制御部１０３より、リソースが割り当てられるＵＣＩの種類毎のＰＵＣＣＨのリソースの割り当てを示す制御信号が入力される。
【０１１３】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、セルアグリゲーションを用いた通信に用いる下りリンクコンポーネントキャリアおよび上りリンクコンポーネントキャリアを示す情報、プライマリセルを示す情報、ＰＤＳＣＨ  ＣＣとＰＤＣＣＨ  ＣＣとの対応付けを示す情報、セルアグリゲーションで用いるＡＣＫ／ＮＡＣＫの送信方法、第一のＰＵＣＣＨのリソースの候補を示す情報、第二のＰＵＣＣＨのリソースの候補を示す情報、送信ダイバーシチの適用を許可するか否かを示す情報、上位層から入力された情報データ等をＰＤＳＣＨを用いて移動局装置５に対して送信し、制御部１０５から入力されたＤＣＩ、第一のＰＵＣＣＨのリソースを示す情報、第二のＰＵＣＣＨのリソースを示す情報をＰＤＣＣＨを用いて移動局装置５に対して送信する。なお、説明の簡略化のため、以降、情報データは数種の制御に関する情報を含むものとする。送信処理部１０７の詳細については、後述する。
【０１１４】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、送信処理部１０７の説明では、送信アンテナの数が１本の場合について説明し、複数の送信アンテナが構成され、ＰＤＳＣＨに対して空間多重を行なう処理部が構成される場合についての説明は、説明の便宜上、省略する。
【０１１５】
また、この図に示すように、物理下りリンク共用チャネル処理部２０１は、それぞれ、ターボ符号部２１９およびデータ変調部２２１を備える。また、この図に示すように、物理下りリンク制御チャネル処理部２０３は、畳み込み符号部２２３およびＱＰＳＫ変調部２２５を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、多重部２０７に出力する。
【０１１６】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【０１１７】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンク無線フレームに多重する。無線リソース制御部１０３によって設定されたＰＤＳＣＨに対する下りリンク物理リソースブロックの割り当て、ＰＤＣＣＨに対するリソースの割り当てに関する制御信号が制御部１０５に入力され、その制御信号に基づき、制御部１０５は多重部２０７の処理を制御する。
【０１１８】
なお、多重部２０７は、ＰＤＳＣＨとＰＤＣＣＨの多重を、図１０に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重を下りリンク物理リソースブロックペア単位で行ない、１つの移動局装置５に対して複数の下りリンク物理リソースブロックペアを用いてＰＤＳＣＨを多重することもある。また、多重部２０７は、各移動局装置５宛てのＰＤＣＣＨの多重を同一の下りリンクコンポーネントキャリア内のＣＣＥを用いて行なう。多重部２０７は、多重化した信号を、ＩＦＦＴ部２０９に出力する。
【０１１９】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【０１２０】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、コンポーネントキャリア分離部３０５、複数の上りリンクコンポーネントキャリア毎受信処理部３０７−１〜３０７−Ｍ（以下、上りリンクコンポーネントキャリア毎受信処理部３０７−１〜３０７−Ｍを上りリンクコンポーネントキャリア毎受信処理部３０７と表す）、を含んで構成される。また、この図に示すように、上りリンクコンポーネントキャリア毎受信処理部３０７は、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、および物理上りリンク制御チャネル検出部３２９を備える。なお、各上りリンクコンポーネントキャリア毎受信処理部３０７は、同様の構成および機能を有するので、その一つを代表して説明する。
【０１２１】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をコンポーネントキャリア分離部３０５に出力する。コンポーネントキャリア分離部３０５は、上りリンクシステム帯域幅の上りリンクコンポーネントキャリア毎に受信信号を分離し、各上りリンクコンポーネントキャリア毎受信処理部３０７に出力する。
【０１２２】
上りリンクコンポーネントキャリア毎受信処理部３０７は、上りリンクコンポーネントキャリア内のＰＵＳＣＨ、ＰＵＣＣＨの復調、復号を行ない、情報データ、ＵＣＩを検出する。
【０１２３】
シンボルタイミング検出部３０９は、コンポーネントキャリア分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、コンポーネントキャリア分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【０１２４】
サブキャリアデマッピング部３１５は、制御部１０５から入力された制御信号に基づき、ＦＦＴ部３１３が復調した信号を、上りリンクパイロットチャネルの上りリンク参照信号と、ＰＵＳＣＨの信号と、ＰＵＣＣＨの信号とに分離する。サブキャリアデマッピング部３１５は、分離した上りリンク参照信号を伝搬路推定部３１７に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１２５】
伝搬路推定部３１７は、サブキャリアデマッピング部３１５が分離した上りリンク参照信号と既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１２６】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１２７】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１２８】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または周波数領域で符号多重された信号を分離する処理を行なう。物理上りリンク制御チャネル検出部３２９は、送信側で用いられた符号系列を用いて周波数領域、および／または時間領域で符号多重された第一のＰＵＣＣＨの信号からＡＣＫ／ＮＡＣＫの情報を検出するための処理を行なう。また、物理上りリンク制御チャネル検出部３２９は、送信側で用いられた符号系列を用いて時間領域で符号多重された第二のＰＵＣＣＨの信号からＡＣＫ／ＮＡＣＫの情報を検出するための処理を行なう。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、符号を乗算した信号を合成する。また、物理上りリンク制御チャネル検出部３２９は、制御部１０５からの制御信号に基づき検出処理の種類を設定し、設定した検出処理によりＰＵＣＣＨにおいて送信されるＵＣＩの検出を行なう。例えば、物理上りリンク制御チャネル検出部３２９は、複数のＰＵＣＣＨの信号を合成せずにＵＣＩを検出する処理を設定する。例えば、物理上りリンク制御チャネル検出部３２９は、複数のＰＵＣＣＨの信号を合成してＵＣＩを検出する処理を設定する。なお、物理上りリンク制御チャネル検出部３２９は、制御部１０５からの制御信号に基づき、ＰＵＣＣＨ（第一のＰＵＣＣＨ、第二のＰＵＣＣＨ）の信号に対する検出処理を設定する。
【０１２９】
制御部１０５は、基地局装置３が、移動局装置５にＰＤＣＣＨを用いて送信した制御情報（ＤＣＩ）、及びＰＵＳＣＨを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信したＰＵＳＣＨ、ＰＵＣＣＨがどのリソース（上りリンクサブフレーム、上りリンク物理リソースブロック、周波数領域の符号系列、時間領域の符号系列）により構成されているかを把握している。
【０１３０】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。また、制御部４０５は、上りリンク制御情報生成部４０５１を備える。
【０１３１】
受信処理部４０１は、基地局装置３から信号を受信し、制御部４０５の指示に従い、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。例えば、受信処理部４０１は、ＰＤＣＣＨに含まれる第一のＰＵＣＣＨのリソースを示す制御情報、または第二のＰＵＣＣＨのリソースを示す制御情報を制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、第一のＰＵＣＣＨのリソースの候補を示す情報、第二のＰＵＣＣＨのリソースの候補を示す情報、プライマリセルを示す情報、セルアグリゲーションを用いる場合のＡＣＫ／ＮＡＣＫの送信方法を示す情報、送信ダイバーシチの適用を許可するか否かを示す情報などを含む。
【０１３２】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われ、予め決められた生成多項式を用いてデータから生成された情報とＣＲＣ符号が同じ場合はデータが誤っていないと判断され、予め決められた生成多項式を用いてデータから生成された情報とＣＲＣ符号が異なる場合はデータが誤っていると判断される。受信処理部４０１の詳細については後述する。
【０１３３】
制御部４０５は、上りリンク制御情報生成部４０５１を備える。制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、無線リソース制御部４０３から指示されたリソースのＰＵＣＣＨでＵＣＩを送信するように送信処理部４０７を制御する。また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに基づき受信処理部４０１を制御し、検出された上りリンクグラントに基づき送信処理部４０７を制御する。
【０１３４】
また、制御部４０５は、受信処理部４０１でＰＤＣＣＨが検出されたセルの状況に応じて上りリンク制御情報生成部４０５１で生成されたＡＣＫ／ＮＡＣＫの送信に用いられるＰＵＣＣＨに対して送信ダイバーシチの適用を制御する。制御部４０５は、送信ダイバーシチの適用を許可する情報が基地局装置３から自装置に通知されている場合に、ＰＵＣＣＨに対して送信ダイバーシチの適用を制御する。制御部４０５は、送信ダイバーシチの適用を許可しない情報が基地局装置３から自装置に通知されている場合は、ＰＵＣＣＨに対して送信ダイバーシチの適用を制御せず、シングルアンテナポートを用いてＰＵＣＣＨを送信するように制御する。送信ダイバーシチは、複数の送信アンテナ（例えば、２つの送信アンテナ）を用い、各送信アンテナ間で周波数領域および／または符号領域で直交のリソースを用いて同一のＡＣＫ／ＮＡＣＫから生成された信号を送信する方法である。より詳細に説明すると、送信ダイバーシチを用いる移動局装置５は、同一のＡＣＫ／ＮＡＣＫから生成された信号に対して周波数領域で異なる符号系列を乗算した信号を各送信アンテナで送信するか、同一のＡＣＫ／ＮＡＣＫから生成された信号に対して時間領域で異なる符号系列を乗算した信号を各送信アンテナで送信するか、同一のＡＣＫ／ＮＡＣＫから生成された信号に対して異なる時間・周波数リソースである上りリンク物理リソースブロックを用いて各送信アンテナで送信し、少なくともこれら３種類の処理の何れかが行われればよく、複数種類の処理が併用されてもよい。ここで、送信アンテナは送信アンテナポートとも呼称する。ここで、送信アンテナポートは、信号処理で用いる論理的な送信アンテナを意味し、１個の送信アンテナポートは複数の物理的な送信アンテナから構成されてもよい。同一の送信アンテナポートを構成する複数の物理的な送信アンテナは、同一の信号を送信する。同一の送信アンテナポート内で、複数の物理的な送信アンテナを用いて、遅延ダイバーシチ、またはＣＤＤ（Cyclic Delay Diversity）を適用することはできるが、その他の信号処理を用いることはできない。セルの状況は、少なくとも２つの異なる第一の状況と第二の状況からなり、第一の状況はＰＤＣＣＨが検出されたセルがプライマリセルのみである状況であり、第二の状況はＰＤＣＣＨが検出されたセルの１つが少なくともセカンダリセルである状況である。制御部４０５は、第一の状況ではＰＵＣＣＨに対して送信ダイバーシチを適用するように制御し、第二の状況ではＰＵＣＣＨに対して送信ダイバーシチを適用しないように制御する。なお、送信ダイバーシチを適用しないということは、シングルアンテナポートで信号を送信するという意味である。
【０１３５】
上りリンク制御情報生成部４０５１は、自装置でのＵＣＩの生成を管理する。例えば、管理部４０５１は、制御部４０５に対して受信処理部４０１よりデータとＣＲＣ符号が入力された場合、ＡＣＫ／ＮＡＣＫを生成する。予め決められた生成多項式を用いてデータから生成された情報とＣＲＣ符号が同じ場合は、ＡＣＫ／ＮＡＣＫでＡＣＫが示され、生成された情報とＣＲＣ符号が異なる場合は、ＡＣＫ／ＮＡＣＫでＮＡＣＫが示される。上りリンク制御情報生成部４０５１は、受信処理部４０１で検出されたＰＤＣＣＨに含まれるＤＣＩでリソースの割り当てが示されるＰＤＳＣＨのデータに対するＡＣＫ、またはＮＡＣＫを示すＡＣＫ／ＮＡＣＫを生成する。なお、上りリンク制御情報生成部４０５１は、自装置でセルアグリゲーションを用いない通信が行なわれている場合、任意の下りリンクサブフレームのＰＤＳＣＨに対して１個のＡＣＫ／ＮＡＣＫのみを生成する。なお、上りリンク制御情報生成部４０５１は、自装置でセルアグリゲーションを用いた通信が行なわれている場合、任意の下りリンクサブフレームの複数のＰＤＳＣＨに対して複数個のＡＣＫ／ＮＡＣＫを生成する。つまり、上りリンク制御情報生成部４０５１は、自装置でセルアグリゲーションを用いた通信が行なわれている場合、同一サブフレームにおいて受信される１つまたは複数のＰＤＣＣＨに含まれる下りリンクアサインメントでリソースの割り当てが示される１つまたは複数のＰＤＳＣＨのデータに対するＡＣＫ／ＮＡＣＫを生成する。例えば、上りリンク制御情報生成部４０５１は、ＳＲ用のＰＵＣＣＨのリソースが基地局装置３より予め割り当てられた上りリンクサブフレームに対応するタイミングでＳＲを生成する。例えば、上りリンク制御情報生成部４０５１は、無線リソース制御部４０３において上りリンクのリソースが不足していると判断され、ＳＲの発生を要請する制御信号が無線リソース制御部４０３より入力された場合、ＳＲを発生させる。なお、無線リソース制御部４０３は、上りリンクのリソースが不足していると判断した状態で、基地局装置３より予め割り当てられたＳＲ用のＰＵＣＣＨのリソースが割り当てられる上りリンクサブフレームに対応して、ＳＲを発生させる制御信号を制御部４０５に出力する。なお、送信バッファに蓄積されたデータ量が所定の閾値を超えた場合などに、上りリンクのリソースが不足していると判断される。ここで、上りリンクサブフレームに対応するタイミングとは、その上りリンクサブフレームで信号を送信することができるように、少なくとも処理遅延の時間分、その上りリンクサブフレームより早いタイミングを意味する。例えば、上りリンク制御情報生成部４０５１は、ＣＱＩ用のＰＵＣＣＨのリソースが基地局装置３より予め割り当てられた上りリンクサブフレームに対応するタイミングでＣＱＩを生成する。
【０１３６】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、第一のＰＵＣＣＨのリソースの候補に関する制御情報を保持し、受信処理部４０１より入力された第一のＰＵＣＣＨのリソースを示す制御情報に基づいて候補の中から選択したリソースを用いて送信処理部４０７においてＡＣＫ／ＮＡＣＫの情報を含む信号を送信するように制御信号を制御部４０５に出力する。例えば、無線リソース制御部４０３は、第二のＰＵＣＣＨのリソースの候補に関する制御情報を保持し、受信処理部４０１より入力された第二のＰＵＣＣＨのリソースを示す制御情報に基づいて候補の中から選択したリソースを用いて送信処理部４０７においてＡＣＫ／ＮＡＣＫの情報を含む信号を送信するように制御信号を制御部４０５に出力する。
【０１３７】
送信処理部４０７は、制御部４０５の指示に従い、情報データ、ＵＣＩを符号化し、変調した信号をＰＵＳＣＨ、ＰＵＣＣＨのリソースを用いて、基地局装置３に送信アンテナ４１１を介して送信する。例えば、送信処理部４０７は、複数のＰＵＣＣＨのリソースに配置されるＡＣＫ／ＮＡＣＫの信号を複数の送信アンテナ４１１を用いた送信ダイバーシチで送信する。例えば、送信処理部４０７は、１個のＰＵＣＣＨのリソースに配置されるＡＣＫ／ＮＡＣＫの信号を単一の送信アンテナ４１１を用いて送信する。送信処理部４０７は、制御部４０５の指示に従い、第一の状況では検出されたＰＤＣＣＨに用いられたＣＣＥと暗黙的に対応付けられたリソースを用いてＰＵＣＣＨを送信し、第二の状況では少なくとも明示的に示されたリソースを用いてＰＵＣＣＨを送信する。送信処理部４０７の詳細については後述する。
【０１３８】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【０１３９】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１４０】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１４１】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３に出力する。なお、多重分離部５１１は、ＰＤＣＣＨ  ＣＣの信号をＰＤＣＣ用の伝搬路補償部５１９に出力し、ＰＤＳＣＨ  ＣＣの信号をＰＤＳＣＨ用の伝搬路補償部５１５に出力する。
【０１４２】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０１４３】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１４４】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【０１４５】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１４６】
移動局装置５は、複数のＣＣＥ  ａｇｇｒｅｇａｔｉｏｎ  ｎｕｍｂｅｒを想定して、自装置宛てのＤＣＩを検出する処理を行なう。移動局装置５は、想定するＣＣＥ  ａｇｇｒｅｇａｔｉｏｎ  ｎｕｍｂｅｒ毎に異なる復号処理をＰＤＣＣＨの信号に対して行ない、ＤＣＩと一緒にＰＤＣＣＨに付加されるＣＲＣ符号に誤りが検出されなかったＰＤＣＣＨに含まれるＤＣＩを取得する。このような処理をブラインドデコーディングと称す。なお、移動局装置５は、下りリンクコンポーネントキャリアの全てのＣＣＥの信号に対してブラインドデコーディングを行なうのではなく、一部のＣＣＥに対してのみブラインドデコーディングを行なうようにしてもよい。ブラインドでコーディングが行なわれる一部のＣＣＥをＳｅａｒｃｈ  ｓｐａｃｅと呼称する。また、ＣＣＥ  ａｇｇｒｅｇａｔｉｏｎ  ｎｕｍｂｅｒ毎に異なるＣＣＥに対してブラインドデコーディングを行なうようにしてもよい。
【０１４７】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にリソースを割り当てられた下りリンクコンポーネントキャリアでＰＤＳＣＨの信号を復号するように制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。
【０１４８】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンクコンポーネントキャリア毎送信処理部６０１−１〜６０１−Ｍ（以下、上りリンクコンポーネントキャリア毎送信処理部６０１−１〜６０１−Ｍを合わせて上りリンクコンポーネントキャリア毎送信処理部６０１と表す）、コンポーネントキャリア合成部６０３−１〜６０３−２（以下、コンポーネントキャリア合成部６０３−１〜６０３−２を合わせてコンポーネントキャリア合成部６０３と表す）、Ｄ／Ａ部６０５−１〜６０５−２（以下、Ｄ／Ａ部６０５−１〜６０５−２を合わせてＤ／Ａ部６０５と表す）、送信ＲＦ部６０７−１〜６０７−２（以下、送信ＲＦ部６０７−１〜６０７−２を合わせて送信ＲＦ部６０７と表す）、および、送信アンテナ４１１−１〜４１１−２（以下、送信アンテナ４１１−１〜４１１−２を合わせて送信アンテナ４１１と表す）を含んで構成される。また、この図に示すように、上りリンクコンポーネントキャリア毎送信処理部６０１は、ターボ符号部６１１、データ変調部６１３、ＤＦＴ部６１５、上りリンクパイロットチャネル処理部６１７、物理上りリンク制御チャネル処理部６１９、サブキャリアマッピング部６２１−１〜６２１−２（以下、サブキャリアマッピング部６２１−１〜６２１−２を合わせてサブキャリアマッピング部６２１と表す）、ＩＦＦＴ部６２３−１〜６２３−２（以下、ＩＦＦＴ部６２３−１〜６２３−２を合わせてＩＦＦＴ部６２３と表す）、ＧＩ挿入部６２５−１〜６２５−２（以下、ＧＩ挿入部６２５−１〜６２５−２を合わせてＧＩ挿入部６２５と表す）、および、送信電力調整部６２７−１〜６２７−２（以下、送信電力調整部６２７−１〜６２７−２を合わせて送信電力調整部６２７と表す）を備える。移動局装置５は、対応する数の上りリンクコンポーネントキャリア分の上りリンクコンポーネントキャリア毎送信処理部６０１を有する。なお、各上りリンクコンポーネントキャリア毎送信処理部６０１、各コンポーネントキャリア合成部６０３、各Ｄ／Ａ部６０５、各送信ＲＦ部、各送信アンテナ４１１、各サブキャリアマッピング部６２１、各ＩＦＦＴ部６２３、各ＧＩ挿入部６２５、および各送信電力調整部６２７は、同様の構成および機能を有するので、その一つを代表して説明する。
【０１４９】
また、本発明は、説明の便宜上、移動局装置５において送信アンテナ４１１の数が２本で構成される場合について説明するが、送信アンテナ４１１の数が３本以上で構成され、関連する処理部（サブキャリアマッピング部６２１、ＩＦＦＴ部６２３、ＧＩ挿入部６２５、送信電力調整部６２７、コンポーネントキャリア合成部６０３、Ｄ／Ａ部６０５、送信ＲＦ部６０７）が３個以上構成されてもよい。また、本発明は、説明の便宜上、移動局装置５においてＰＵＳＣＨの信号が１本の送信アンテナ（送信アンテナ４１１−１）を用いて送信される構成について説明するが、ＰＵＳＣＨの信号が複数の送信アンテナを用いて送信されてもよく、移動局装置５において複数のターボ符号部６１１、データ変調部６１３、ＤＦＴ部６１５が構成されてもよく、複数の送信アンテナを用いて空間多重を行なうための処理部などが構成されてもよい。
【０１５０】
上りリンクコンポーネントキャリア毎送信処理部６０１は、情報データ、ＵＣＩに対して符号化、変調を行ない、上りリンクコンポーネントキャリア内のＰＵＳＣＨ、ＰＵＣＣＨを用いて送信する信号を生成し、ＰＵＳＣＨ、ＰＵＣＣＨの送信電力を調整する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１５１】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、第一のＰＵＣＣＨ用の信号と第二のＰＵＣＣＨ用の信号とで異なるベースバンド信号処理を行なう。物理上りリンク制御チャネル処理部６１９は、ＵＣＩの情報ビットを符号化して信号を生成する。例えば、物理上りリンク制御チャネル処理部６１９は、複数のＡＣＫ／ＮＡＣＫの情報ビットに対してブロック符号化を適用して、第二のＰＵＣＣＨで送信される信号を生成する。例えば、ブロック符号化はリードマラー符号を用いて行なわれる。例えば、物理上りリンク制御チャネル処理部６１９は、ＡＣＫ／ＮＡＣＫの情報ビットに対して繰り返し符号化を適用して、第一のＰＵＣＣＨで送信される信号を生成する。
【０１５２】
物理上りリンク制御チャネル処理部６１９は、第二のＰＵＣＣＨ用の信号に対してＤＦＴ−Ｓｐｒｅａｄ−ＯＦＤＭ方式のベースバンド信号処理を行い、第一のＰＵＣＣＨ用の信号に対してはＤＦＴ−Ｓｐｒｅａｄ−ＯＦＤＭ方式のベースバンド信号処理を行なわない。ここで、ＤＦＴ−Ｓｐｒｅａｄ−ＯＦＤＭ方式のベースバンド信号処理とは、ＵＣＩの信号に対してＤＦＴ処理を行なって周波数領域の信号に変換した後、任意のサブキャリアに信号を配置してＩＦＦＴ処理を行なうことを意味し、ＤＦＴ−Ｓｐｒｅａｄ−ＯＦＤＭ方式のベースバンド信号処理を行わない場合、ＵＣＩの信号は任意のサブキャリアに直接的に配置されてＩＦＦＴ処理が行なわれる。物理上りリンク制御チャネル処理部６１９は、ＡＣＫ／ＮＡＣＫの情報ビットから信号を生成する場合、またはＳＲの情報ビットから信号を生成する場合、またはＣＱＩの情報ビットから信号を生成する場合などに、第一のＰＵＣＣＨ用の信号を生成する。ここで、ＡＣＫ／ＮＡＣＫの情報ビットとは、ＡＣＫ／ＮＡＣＫ  ｃｈａｎｎｅｌ  ｓｅｌｅｃｔｉｏｎにおいて変調信号により明示的に示される情報、ＡＣＫ／ＮＡＣＫ  ｃｈａｎｎｅｌ  ｓｅｌｅｃｔｉｏｎが適用されず、単一のＰＤＳＣＨに対するＡＣＫ／ＮＡＣＫの情報も含む。物理上りリンク制御チャネル処理部６１９は、変調信号により明示的に示される情報として複数のＡＣＫ／ＮＡＣＫの情報ビットから信号を生成する場合、第二のＰＵＣＣＨ用の信号を生成する。
【０１５３】
また、物理上りリンク制御チャネル処理部６１９は、ＵＣＩから生成される信号に対して周波数領域の符号多重および／または時間領域の符号多重に関連する信号処理を行なう。物理上りリンク制御チャネル処理部６１９は、第一のＰＵＣＣＨの信号に対して周波数領域の符号多重を実現するために制御部４０５から指示された符号系列を乗算する。物理上りリンク制御チャネル処理部６１９は、第一のＰＵＣＣＨの信号、または第二のＰＵＣＣＨの信号に対して時間領域の符号多重を実現するために制御部４０５から指示された符号系列を乗算する。
【０１５４】
また、物理上りリンク制御チャネル処理部６１９は、制御部４０５からの指示に基づき、送信ダイバーシチを適用する信号処理をＰＵＣＣＨの信号に対して行なう。送信ダイバーシチの方法として、複数の送信アンテナポートを用い、各送信アンテナポート間で周波数領域および／または符号領域で直交のリソースを用いて同一の情報から生成された信号を送信する方法が用いられる。なお、複数の送信アンテナを有さない移動局装置５においては、送信ダイバーシチを適用する信号処理は行なわれない。なお、複数の送信アンテナを有する移動局装置５であっても、通信の初期設定時において、複数の送信アンテナを通信に用いないように予め設定されてもよく、その場合も送信ダイバーシチを適用する信号処理は行なわれない。制御部４０５から送信ダイバーシチを適用しない旨を示す指示が物理上りリンク制御チャネル処理部６１９に行なわれる場合、ＰＵＣＣＨの信号は１本の送信アンテナを用いて送信され、この場合に用いられる１本の送信アンテナは送信アンテナ４１１−１とし、サブキャリアマッピング部６２１−１、ＩＦＦＴ部６２３−１、ＧＩ挿入部６２５−１、送信電力調整部６２７−１、コンポーネントキャリア合成部６０３−１、Ｄ／Ａ部６０５−１、送信ＲＦ部６０７−１が用いられる場合について説明する。物理上りリンク制御チャネル処理部６１９は、入力された１個のＡＣＫ／ＮＡＣＫの情報に対して制御部４０５から入力された符号系列を用いて１個のＰＵＣＣＨのリソースを用いて送信される信号を生成し、サブキャリアマッピング部６２１−１に出力する。
【０１５５】
次に、制御部４０５から送信ダイバーシチを適用する旨を示す指示が物理上りリンク制御チャネル処理部６１９に行なわれる場合について説明する。先ず、符号領域で直交のリソースが送信ダイバーシチで用いられ、時間領域の符号多重で用いられる符号系列が直交のリソースとして用いられる場合について説明する。物理上りリンク制御チャネル処理部６１９は、入力された１個のＡＣＫ／ＮＡＣＫの情報に対して制御部４０５から入力された２種類の時間領域の符号多重に用いる符号系列を用いて２個のＰＵＣＣＨのリソースを用いて送信される信号を生成し、生成した各信号をサブキャリアマッピング部６２１−１とサブキャリアマッピング部６２１−２に出力する。物理上りリンク制御チャネル処理部６１９は、符号系列の各符号を各ＳＣ−ＦＤＭＡシンボルに配置される信号に乗算する。次に、符号領域で直交のリソースが送信ダイバーシチで用いられ、周波数領域の符号多重で用いられる符号系列が直交のリソースとして用いられる場合について説明する。物理上りリンク制御チャネル処理部６１９は、入力された１個のＡＣＫ／ＮＡＣＫの情報に対して制御部４０５から入力された２種類の周波数領域の符号多重に用いる符号系列を用いて２個のＰＵＣＣＨのリソースを用いて送信される信号を生成し、生成した各信号をサブキャリアマッピング部６２１−１とサブキャリアマッピング部６２１−２に出力する。物理上りリンク制御チャネル処理部６１９は、符号系列の各符号を各サブキャリアに配置される信号に乗算する。次に、周波数領域で直交のリソースが送信ダイバーシチで用いられる場合について説明する。物理上りリンク制御チャネル処理部６１９は、入力された１個のＡＣＫ／ＮＡＣＫの情報に対して２個の信号を生成し、生成した各信号をサブキャリアマッピング部６２１−１とサブキャリアマッピング部６２１−２に出力し、サブキャリアマッピング部６２１−１とサブキャリアマッピング部６２１−２では上りリンク物理リソースブロックの異なるＰＵＣＣＨのリソースに信号が配置される。
【０１５６】
上りリンクパイロットチャネル処理部６１７は、基地局装置３において既知の信号である上りリンク参照信号を制御部４０５からの指示に基づき生成し、サブキャリアマッピング部６２１に出力する。なお、上りリンクパイロットチャネル処理部６１７は、制御部４０５からの指示に基づき、物理上りリンク制御チャネル処理部６１９から両方のサブキャリアマッピング部６２１（サブキャリアマッピング部６２１−１、６２１−２）にＵＣＩから生成された信号が出力される場合に、両方のサブキャリアマッピング部６２１に上りリンク参照信号を出力する。
【０１５７】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１５８】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。また、移動局装置５は、物理上りリンク制御チャネル処理部６１９、サブキャリアマッピング部６２１、ＩＦＦＴ部６２３を用いることにより、第二のＰＵＣＣＨを用いて送信する信号に対してＤＦＴ−Ｓｐｒｅａｄ−ＯＦＤＭ方式の変調を実現する。ＧＩ挿入部６２５は、ＩＦＦＴ部６２３から入力された信号に、ガードインターバルを付加し、送信電力調整部６２７に出力する。
【０１５９】
送信電力調整部６２７は、ＧＩ挿入部６２５から入力された信号に対して、制御部４０５からの制御信号に基づき送信電力を調整してコンポーネントキャリア合成部６０３に出力する。なお、送信電力調整部６２７では、ＰＵＳＣＨ、ＰＵＣＣＨ、上りリンクパイロットチャネルの平均送信電力が上りリンクサブフレーム毎に制御される。
【０１６０】
コンポーネントキャリア合成部６０３は、各上りリンクコンポーネントキャリア毎送信処理部６０１より入力された上りリンクコンポーネントキャリア毎の信号を合成し、Ｄ／Ａ部６０５に出力する。Ｄ／Ａ部６０５は、コンポーネントキャリア合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０１６１】
以上の構成により、送信処理部４０７は、制御部４０５の制御結果に応じて、ＰＵＣＣＨの信号を送信ダイバーシチを適用して送信する、または送信ダイバーシチを適用せずに送信する。例えば、物理上りリンク制御チャネル処理部６１９において１個のＡＣＫ／ＮＡＣＫに基づき２個の信号が生成され、つまり２個のＰＵＣＣＨのリソースを用いて送信される信号が生成され、２個の送信アンテナ４１１（送信アンテナ４１１−１、４１１−２）から同一のＡＣＫ／ＮＡＣＫの情報に基づく信号が含まれるＰＵＣＣＨが送信される。
【０１６２】
＜送信ダイバーシチの適用の制御＞
移動局装置５の制御部４０５は、ＰＤＣＣＨが検出されたセルの状況に応じて上りリンク制御情報生成部４０５１で生成されたＡＣＫ／ＮＡＣＫの送信に用いられるＰＵＣＣＨに対して送信ダイバーシチの適用を制御する。制御部４０５は、セルの状況に関して少なくとも２つの異なる第一の状況と第二の状況に応じて送信ダイバーシチの適用を制御する。第一の状況は、ＰＤＣＣＨが検出されたセルがプライマリセルのみである状況である。第二の状況はＰＤＣＣＨが検出されたセルの１つが少なくともセカンダリセルである状況である。制御部４０５は、第一の状況ではＰＵＣＣＨに対して送信ダイバーシチを適用するように制御し、第二の状況ではＰＵＣＣＨに対して送信ダイバーシチを適用しないように制御する。
【０１６３】
ＡＣＫ／ＮＡＣＫ  ｃｈａｎｎｅｌ  ｓｅｌｅｃｔｉｏｎが適用される場合について説明する。先ず、図１５に示す、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係が適用される移動局装置５における処理について説明する。Ｒｅｓｏｕｒｃｅ  １は、ＰＤＣＣＨのＣＣＥに基づく暗黙的なリソース割り当てにより割り当てられるリソースが用いられる。セカンダリセルのＰＤＳＣＨに対応するＰＤＣＣＨがプライマリセルで送信される場合、Ｒｅｓｏｕｒｃｅ  ２はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）を用いてＰＵＣＣＨを送信ダイバーシチで送信する。なお、ＰＵＣＣＨの送信ダイバーシチに用いられる第一の送信アンテナに対して暗黙的なリソース割り当てにより割り当てられる第一のＰＵＣＣＨのリソースが用いられる場合、第二の送信アンテナに対しても同様に暗黙的なリソース割り当てにより割り当てられる第一のＰＵＣＣＨのリソースが用いられる。具体的には、第二の送信アンテナに用いられる第一のＰＵＣＣＨのリソースは、第一の送信アンテナに用いられる第一のＰＵＣＣＨのリソースの識別番号が次の値のリソースである。説明の簡略化のため、以降、送信ダイバーシチに用いられる第二の送信アンテナに用いられる第一のＰＵＣＣＨのリソースについての説明は省略する。
【０１６４】
セカンダリセルのＰＤＳＣＨに対応するＰＤＣＣＨがセカンダリセルで送信される場合、Ｒｅｓｏｕｒｃｅ  ２はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）を用いてＰＵＣＣＨを送信ダイバーシチで送信する。一方、制御部４０５は、少なくともセカンダリセルでＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）、またはＰＤＣＣＨに明示的に含まれる制御情報で明示的に示された第一のＰＵＣＣＨのリソース（Ｒｅｓｏｕｒｃｅ  ２）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１６５】
次に、図１６に示す、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係が適用される移動局装置５における処理について説明する。Ｒｅｓｏｕｒｃｅ  １は、ＰＤＣＣＨのＣＣＥに基づく暗黙的なリソース割り当てにより割り当てられるリソースが用いられる。セカンダリセルのＰＤＳＣＨに対応するＰＤＣＣＨがプライマリセルで送信される場合、Ｒｅｓｏｕｒｃｅ  ２はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）を用いてＰＵＣＣＨを送信ダイバーシチで送信する。
【０１６６】
セカンダリセルのＰＤＳＣＨに対応するＰＤＣＣＨがセカンダリセルで送信される場合、Ｒｅｓｏｕｒｃｅ  ２はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）を用いてＰＵＣＣＨを送信ダイバーシチで送信する。一方、制御部４０５は、少なくともセカンダリセルでＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）、またはＰＤＣＣＨに明示的に含まれる制御情報で明示的に示された第一のＰＵＣＣＨのリソース（Ｒｅｓｏｕｒｃｅ  ２）を用いてＰＵＣＣＨを単一の送信アンテナで送信する。
【０１６７】
次に、図１７に示す、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係が適用される移動局装置５における処理について説明する。先ず、セルアグリゲーションに２つのセルが用いられ、プライマリセルでは単一のデータ送信、セカンダリセルでは２個のデータ送信が行われる場合について説明する。Ｒｅｓｏｕｒｃｅ  １は、ＰＤＣＣＨのＣＣＥに基づく暗黙的なリソース割り当てにより割り当てられるリソースが用いられる。セカンダリセルのＰＤＳＣＨに対応するＰＤＣＣＨがプライマリセルで送信される場合、Ｒｅｓｏｕｒｃｅ  ２およびＲｅｓｏｕｒｃｅ  ３はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、またはＲｅｓｏｕｒｃｅ  ３）を用いてＰＵＣＣＨを送信ダイバーシチで送信する。セカンダリセルのＰＤＳＣＨに対応するＰＤＣＣＨがセカンダリセルで送信される場合、Ｒｅｓｏｕｒｃｅ  ２およびＲｅｓｏｕｒｃｅ  ３はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）を用いてＰＵＣＣＨを送信ダイバーシチで送信する。一方、制御部４０５は、少なくともセカンダリセルでＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）、またはＰＤＣＣＨに明示的に含まれる制御情報で明示的に示された第一のＰＵＣＣＨのリソース（Ｒｅｓｏｕｒｃｅ  ２、またはＲｅｓｏｕｒｃｅ  ３）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１６８】
次に、セルアグリゲーションに３つのセルが用いられ、プライマリセルでは単一のデータ送信、各セカンダリセル（セカンダリセル１、セカンダリセル２）では単一のデータ送信が行われる場合について説明する。Ｒｅｓｏｕｒｃｅ  １は、ＰＤＣＣＨのＣＣＥに基づく暗黙的なリソース割り当てにより割り当てられるリソースが用いられる。セカンダリセル１のＰＤＳＣＨに対応するＰＤＣＣＨとセカンダリセル２のＰＤＳＣＨに対応するＰＤＣＣＨがプライマリセルで送信される場合、Ｒｅｓｏｕｒｃｅ  ２およびＲｅｓｏｕｒｃｅ  ３はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、またはＲｅｓｏｕｒｃｅ  ３）を用いてＰＵＣＣＨを送信ダイバーシチで送信する。
【０１６９】
セカンダリセル１のＰＤＳＣＨに対応するＰＤＣＣＨがプライマリセルで送信され、セカンダリセル２のＰＤＳＣＨに対応するＰＤＣＣＨがセカンダリセル２で送信される場合、Ｒｅｓｏｕｒｃｅ  ２はＰＤＣＣＨのＣＣＥに基づく暗黙的なリソース割り当てにより割り当てられるリソースが用いられ、Ｒｅｓｏｕｒｃｅ  ３はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）を用いてＰＵＣＣＨを送信ダイバーシチで送信する。一方、制御部４０５は、少なくともセカンダリセル２でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）、またはＰＤＣＣＨに明示的に含まれる制御情報で明示的に示された第一のＰＵＣＣＨのリソース（Ｒｅｓｏｕｒｃｅ  ３）を用いてＰＵＣＣＨを単一の送信アンテナで送信する。
【０１７０】
セカンダリセル１のＰＤＳＣＨに対応するＰＤＣＣＨがセカンダリセル１で送信され、セカンダリセル２のＰＤＳＣＨに対応するＰＤＣＣＨがプライマリセルで送信される場合、Ｒｅｓｏｕｒｃｅ  ２はＰＤＣＣＨに明示的に含まれる制御情報に基づく明示的なリソース割り当てにより割り当てられるリソースが用いられ、Ｒｅｓｏｕｒｃｅ  ３はＰＤＣＣＨのＣＣＥに基づく暗黙的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ３）を用いてＰＵＣＣＨを送信ダイバーシチで送信する。一方、制御部４０５は、少なくともセカンダリセル１でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ３）、またはＰＤＣＣＨに明示的に含まれる制御情報で明示的に示された第一のＰＵＣＣＨのリソース（Ｒｅｓｏｕｒｃｅ  ２）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１７１】
次に、図１８に示す、ＡＣＫ／ＮＡＣＫの情報、ＡＣＫ／ＮＡＣＫ  ｃｈａｎｎｅｌ  ｓｅｌｅｃｔｉｏｎで選択されるリソース、ＱＰＳＫの信号点の関係が適用される移動局装置５における処理について説明する。先ず、セルアグリゲーションに２つのセルが用いられ、プライマリセルでは２個のデータ送信、セカンダリセルでは２個のデータ送信が行われる場合について説明する。Ｒｅｓｏｕｒｃｅ  １およびＲｅｓｏｕｒｃｅ  ２は、ＰＤＣＣＨのＣＣＥに基づく暗黙的なリソース割り当てにより割り当てられるリソースが用いられる。セカンダリセルのＰＤＳＣＨに対応するＰＤＣＣＨがプライマリセルで送信される場合、Ｒｅｓｏｕｒｃｅ  ３およびＲｅｓｏｕｒｃｅ  ４はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、Ｒｅｓｏｕｒｃｅ  ３、またはＲｅｓｏｕｒｃｅ  ４）を用いてＰＵＣＣＨを送信ダイバーシチで送信する。
【０１７２】
セカンダリセルのＰＤＳＣＨに対応するＰＤＣＣＨがセカンダリセルで送信される場合、Ｒｅｓｏｕｒｃｅ  ３およびＲｅｓｏｕｒｃｅ  ４はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）を用いてＰＵＣＣＨを送信ダイバーシチで送信する。一方、制御部４０５は、少なくともセカンダリセルでＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）、またはＰＤＣＣＨに明示的に含まれる制御情報で明示的に示された第一のＰＵＣＣＨのリソース（Ｒｅｓｏｕｒｃｅ  ３、またはＲｅｓｏｕｒｃｅ  ４）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１７３】
次に、セルアグリゲーションに３つのセルが用いられ、プライマリセルでは２個のデータ送信、各セカンダリセル（セカンダリセル１、セカンダリセル２）では単一のデータ送信が行われる場合について説明する。Ｒｅｓｏｕｒｃｅ  １およびＲｅｓｏｕｒｃｅ  ２は、ＰＤＣＣＨのＣＣＥに基づく暗黙的なリソース割り当てにより割り当てられるリソースが用いられる。セカンダリセル１のＰＤＳＣＨに対応するＰＤＣＣＨとセカンダリセル２のＰＤＳＣＨに対応するＰＤＣＣＨがプライマリセルで送信される場合、Ｒｅｓｏｕｒｃｅ  ３およびＲｅｓｏｕｒｃｅ  ４はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、Ｒｅｓｏｕｒｃｅ  ３、またはＲｅｓｏｕｒｃｅ  ４）を用いてＰＵＣＣＨを送信ダイバーシチで送信する。
【０１７４】
セカンダリセル１のＰＤＳＣＨに対応するＰＤＣＣＨがプライマリセルで送信され、セカンダリセル２のＰＤＳＣＨに対応するＰＤＣＣＨがセカンダリセル２で送信される場合、Ｒｅｓｏｕｒｃｅ  ３はＰＤＣＣＨのＣＣＥに基づく暗黙的なリソース割り当てにより割り当てられるリソースが用いられ、Ｒｅｓｏｕｒｃｅ  ４はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）を用いてＰＵＣＣＨを送信ダイバーシチで送信する。一方、制御部４０５は、少なくともセカンダリセル２でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、またはＲｅｓｏｕｒｃｅ  ３）、またはＰＤＣＣＨに明示的に含まれる制御情報で明示的に示された第一のＰＵＣＣＨのリソース（Ｒｅｓｏｕｒｃｅ  ４）を用いてＰＵＣＣＨを単一の送信アンテナで送信する。
【０１７５】
セカンダリセル１のＰＤＳＣＨに対応するＰＤＣＣＨがセカンダリセル１で送信され、セカンダリセル２のＰＤＳＣＨに対応するＰＤＣＣＨがプライマリセルで送信される場合、Ｒｅｓｏｕｒｃｅ  ３はＰＤＣＣＨに明示的に含まれる制御情報に基づく明示的なリソース割り当てにより割り当てられるリソースが用いられ、Ｒｅｓｏｕｒｃｅ  ４はＰＤＣＣＨのＣＣＥに基づく暗黙的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、またはＲｅｓｏｕｒｃｅ  ４）を用いてＰＵＣＣＨを送信ダイバーシチで送信する。一方、制御部４０５は、少なくともセカンダリセル１でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、またはＲｅｓｏｕｒｃｅ  ４）、またはＰＤＣＣＨに明示的に含まれる制御情報で明示的に示された第一のＰＵＣＣＨのリソース（Ｒｅｓｏｕｒｃｅ  ３）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１７６】
次に、セルアグリゲーションに４つのセルが用いられ、プライマリセルでは単一のデータ送信、各セカンダリセル（セカンダリセル１、セカンダリセル２、セカンダリセル３）では単一のデータ送信が行われる場合について説明する。Ｒｅｓｏｕｒｃｅ  １は、ＰＤＣＣＨのＣＣＥに基づく暗黙的なリソース割り当てにより割り当てられるリソースが用いられる。セカンダリセル１のＰＤＳＣＨに対応するＰＤＣＣＨとセカンダリセル２のＰＤＳＣＨに対応するＰＤＣＣＨとセカンダリセル３のＰＤＳＣＨに対応するＰＤＣＣＨがプライマリセルで送信される場合、Ｒｅｓｏｕｒｃｅ２、Ｒｅｓｏｕｒｃｅ  ３およびＲｅｓｏｕｒｃｅ  ４はＰＤＣＣＨのＣＣＥに基づく暗黙的なリソース割り当てにより割り当てられるリソースが用いられる。このような場合、ＰＤＣＣＨが検出されるセルはプライマリセルのみであるため、制御部４０５は、ＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、Ｒｅｓｏｕｒｃｅ  ２、Ｒｅｓｏｕｒｃｅ  ３、またはＲｅｓｏｕｒｃｅ  ４）を用いてＰＵＣＣＨを送信ダイバーシチで送信する。
【０１７７】
セカンダリセル１のＰＤＳＣＨに対応するＰＤＣＣＨがプライマリセルで送信され、セカンダリセル２のＰＤＳＣＨに対応するＰＤＣＣＨがセカンダリセル２で送信され、セカンダリセル３のＰＤＳＣＨに対応するＰＤＣＣＨがセカンダリセル３で送信される場合、Ｒｅｓｏｕｒｃｅ  ２はＰＤＣＣＨのＣＣＥに基づく暗黙的なリソース割り当てにより割り当てられるリソースが用いられ、Ｒｅｓｏｕｒｃｅ  ３およびＲｅｓｏｕｒｃｅ  ４はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）を用いてＰＵＣＣＨを送信ダイバーシチで送信する。一方、制御部４０５は、少なくともセカンダリセル（セカンダリセル２、またはセカンダリセル３）でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １、またはＲｅｓｏｕｒｃｅ  ２）、またはＰＤＣＣＨに明示的に含まれる制御情報で明示的に示された第一のＰＵＣＣＨのリソース（Ｒｅｓｏｕｒｃｅ  ３、またはＲｅｓｏｕｒｃｅ  ４）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１７８】
セカンダリセル１のＰＤＳＣＨに対応するＰＤＣＣＨがセカンダリセル１で送信され、セカンダリセル２のＰＤＳＣＨに対応するＰＤＣＣＨがプライマリセルで送信され、セカンダリセル３のＰＤＳＣＨに対応するＰＤＣＣＨがセカンダリセル３で送信される場合も、セカンダリセル１のＰＤＳＣＨに対応するＰＤＣＣＨがプライマリセルで送信され、セカンダリセル２のＰＤＳＣＨに対応するＰＤＣＣＨがセカンダリセル２で送信され、セカンダリセル３のＰＤＳＣＨに対応するＰＤＣＣＨがセカンダリセル３で送信される場合とほぼ同様の処理が行なわれるので説明を省略する。セカンダリセル１のＰＤＳＣＨに対応するＰＤＣＣＨがセカンダリセル１で送信され、セカンダリセル２のＰＤＳＣＨに対応するＰＤＣＣＨがセカンダリセル２で送信され、セカンダリセル３のＰＤＳＣＨに対応するＰＤＣＣＨがプライマリセル３で送信される場合も、セカンダリセル１のＰＤＳＣＨに対応するＰＤＣＣＨがプライマリセルで送信され、セカンダリセル２のＰＤＳＣＨに対応するＰＤＣＣＨがセカンダリセル２で送信され、セカンダリセル３のＰＤＳＣＨに対応するＰＤＣＣＨがセカンダリセル３で送信される場合とほぼ同様の処理が行なわれるので説明を省略する。
【０１７９】
セカンダリセル１のＰＤＳＣＨに対応するＰＤＣＣＨがセカンダリセル１で送信され、セカンダリセル２のＰＤＳＣＨに対応するＰＤＣＣＨがセカンダリセル２で送信され、セカンダリセル３のＰＤＳＣＨに対応するＰＤＣＣＨがセカンダリセル３で送信される場合、Ｒｅｓｏｕｒｃｅ  ２、Ｒｅｓｏｕｒｃｅ  ３およびＲｅｓｏｕｒｃｅ  ４はＰＤＣＣＨに明示的に含まれる制御情報に基づく明示的なリソース割り当てにより割り当てられるリソースが用いられる。このような場合、制御部４０５は、プライマリセルのみでＰＤＣＣＨが検出されたら、ＰＵＣＣＨに対して送信ダイバーシチを適用するように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）を用いてＰＵＣＣＨを送信ダイバーシチで送信する。一方、制御部４０５は、少なくともセカンダリセル（セカンダリセル１、セカンダリセル２、またはセカンダリセル３）でＰＤＣＣＨが検出されたら、ＰＵＣＣＨに対して送信ダイバーシチを適用しないように制御する。送信処理部４０７は、ＰＤＣＣＨに用いられたＣＣＥと暗黙的に対応付けられた第一のＰＵＣＣＨのリソース（Ｒｅｓｏｕｒｃｅ  １）、またはＰＤＣＣＨに明示的に含まれる制御情報で明示的に示された第一のＰＵＣＣＨのリソース（Ｒｅｓｏｕｒｃｅ  ２、Ｒｅｓｏｕｒｃｅ  ３、またはＲｅｓｏｕｒｃｅ  ４）を用いてＰＵＣＣＨを単一の送信アンテナで送信する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。なお、セカンダリセル間でＣｒｏｓｓ  ＣＣ  ｓｃｈｅｄｕｌｉｎｇが適用され、セカンダリセルのＰＤＳＣＨに対応するＰＤＣＣＨがプライマリセルで送信されない場合も、基本的に同様の処理が行われるので説明を省略する。
【０１８０】
ＡＣＫ／ＮＡＣＫの送信にＤＦＴ−Ｓｐｒｅａｄ−ＯＦＤＭ方式を用いたＰＵＣＣＨ（ＰＵＣＣＨ  ｆｏｒｍａｔ  ３）が適用される場合について説明する。移動局装置５の制御部４０５は、ＰＤＳＣＨが受信されたセルの状況に応じて上りリンク制御情報生成部４０５１で生成されたＡＣＫ／ＮＡＣＫの送信に用いられるＰＵＣＣＨに対して送信ダイバーシチの適用を制御する。制御部４０５は、セルの状況に関して少なくとも２つの異なる第三の状況と第四の状況に応じて送信ダイバーシチの適用を制御する。第三の状況は、ＰＤＳＣＨが受信されたセルがプライマリセルのみである状況である。第四の状況はＰＤＳＣＨが受信されたセルの１つが少なくともセカンダリセルである状況である。制御部４０５は、第三の状況ではＰＵＣＣＨに対して送信ダイバーシチを適用するように制御し、第四の状況ではＰＵＣＣＨに対して送信ダイバーシチを適用しないように制御する。以上のように、ＣＣＥと暗黙的に対応付けられる第一のＰＵＣＣＨのリソースのみを用いて送信ダイバーシチが行なわれるので、明示的なリソースに関して送信ダイバーシチ用のリソースを移動局装置５に対して新たに予約する必要はなく、オーバヘッドの増大を回避することができる。
【０１８１】
なお、ＡＣＫ／ＮＡＣＫ  ｃｈａｎｎｅｌ  ｓｅｌｅｃｔｉｏｎが適用される場合と、ＤＦＴ−Ｓｐｒｅａｄ−ＯＦＤＭ方式を用いたＰＵＣＣＨが適用される場合とで、送信ダイバーシチの適用の制御に関して同様の処理を適用し、処理を簡素化することもできる。両方ともの場合において、制御部４０５はＰＤＳＣＨがプライマリセルのみで受信された場合にＰＵＣＣＨに対して送信ダイバーシチを適用するように制御し、ＰＤＳＣＨが少なくともセカンダリセルで受信された場合にＰＵＣＣＨに対して送信ダイバーシチを適用しないように制御してもよい。
【０１８２】
図７は、本発明の実施形態に係る移動局装置５の制御部４０５のＰＵＣＣＨに対する送信ダイバーシチの適用の制御に関する処理の一例を示すフローチャートである。ここでは、ＡＣＫ／ＮＡＣＫの送信方法にＡＣＫ／ＮＡＣＫ  ｃｈａｎｎｅｌ  ｓｅｌｅｃｔｉｏｎが適用される場合の処理について説明する。すなわち、基地局装置３が、移動局装置に５に対して、送信ダイバーシチの適用を許可し、また、ＡＣＫ／ＮＡＣＫの送信方法としてＡＣＫ／ＮＡＣＫ  ｃｈａｎｎｅｌ  ｓｅｌｅｃｔｉｏｎを設定した場合について説明する。なお、基地局装置３は、複数の送信アンテナポートを有する移動局装置５に対して、ＰＵＣＣＨに対して送信ダイバーシチの適用を許可するか否かを示す情報をシグナリング（ＲＲＣシグナリング）を用いて予め通知している。予め基地局装置３によってＲＲＣシグナリングで送信ダイバーシチの適用を許可された移動局装置５は、実際にＰＵＣＣＨに対して送信ダイバーシチを適用するか否かをＰＤＣＣＨが検出されるセルの状況に応じて制御する。予め基地局装置３によってＲＲＣシグナリグで送信ダイバーシチの適用を許可されなかった移動局装置５は、いつもＰＵＣＣＨに対して送信ダイバーシチを適用しないように制御する。なお、送信ダイバーシチが適用されない場合、移動局装置５はＰＵＣＣＨをシングルアンテナポートを用いて送信するように制御する。なお、ＰＵＣＣＨに対して送信ダイバーシチの適用を許可するか否かを示す情報ではなく、ＰＵＣＣＨに対して複数の送信アンテナポートを用いた送信の適用を許可するか否かを示す情報がＲＲＣシグナリングを用いて基地局装置３から移動局装置５に通知されてもよい。
【０１８３】
移動局装置５の制御部４０５は、上りリンク制御情報生成部４０５１においてＡＣＫ／ＮＡＣＫが生成されたか否かを判定する（ステップＳ１０１）。制御部４０５は、上りリンク制御情報生成部４０５１においてＡＣＫ／ＮＡＣＫが生成されたと判定した場合（ステップＳ１０１：YES）、受信処理部４０１においてＰＤＣＣＨが検出されたセルはプライマリセルのみか否かを判定する（ステップＳ１０２）。制御部４０５は、受信処理部４０１においてＰＤＣＣＨが検出されたセルはプライマリセルのみであると判定した場合（ステップＳ１０２：YES）、送信処理部４０７においてＰＵＣＣＨに対して送信ダイバーシチを適用するように制御する（ステップＳ１０３）。言い換えると、制御部４０５は、受信処理部４０１においてプライマリセルのみでＰＤＣＣＨが検出されてＰＤＳＣＨが送信されたことが指示された場合（ステップＳ１０２：YES）、送信処理部４０７においてＰＵＣＣＨに対して送信ダイバーシチを適用するように制御する（ステップＳ１０３）。制御部４０５は、受信処理部４０１においてＰＤＣＣＨが検出されたセルはプライマリセルのみではないと判定した場合（ステップＳ１０２：NO）、つまりＰＤＣＣＨが検出されたセルは少なくともセカンダリセルを含むと判定した場合、送信処理部４０７においてＰＵＣＣＨに対して送信ダイバーシチを適用しないように制御する（ステップＳ１０４）。一方、制御部４０５は、上りリンク制御情報生成部４０５１においてＡＣＫ／ＮＡＣＫが生成されていないと判定した場合（ステップＳ１０１：NO）、ＰＵＣＣＨの送信ダイバーシチの適用に関する処理を何も行なわない。移動局装置５は、ステップＳ１０３、またはステップＳ１０４の後、第一のＰＵＣＣＨの信号を送信する。
【０１８４】
図８は、本発明の実施形態に係る移動局装置５の制御部４０５のＰＵＣＣＨに対する送信ダイバーシチの適用の制御に関する処理の一例を示すフローチャートである。ここでは、ＤＦＴ−Ｓｐｒｅａｄ−ＯＦＤＭ方式を用いたＰＵＣＣＨ（ＰＵＣＣＨ  ｆｏｒｍａｔ  ３）が適用される場合の処理について説明する。すなわち、基地局装置３が、移動局装置に５に対して、送信ダイバーシチの適用を許可し、また、ＡＣＫ／ＮＡＣＫの送信方法としてＤＦＴ−Ｓｐｒｅａｄ−ＯＦＤＭ方式を用いたＰＵＣＣＨ（ＰＵＣＣＨ  ｆｏｒｍａｔ  ３）を設定した場合について説明する。なお、基地局装置３は、複数の送信アンテナポートを有する移動局装置５に対して、ＰＵＣＣＨに対して送信ダイバーシチの適用を許可するか否かを示す情報をシグナリング（ＲＲＣシグナリング）を用いて予め通知している。予め基地局装置３によってＲＲＣシグナリングで送信ダイバーシチの適用を許可された移動局装置５は、実際にＰＵＣＣＨに対して送信ダイバーシチを適用するか否かをＰＤＳＣＨが検出されるセルの状況に応じて制御する。予め基地局装置３によってＲＲＣシグナリグで送信ダイバーシチの適用を許可されなかった移動局装置５は、いつもＰＵＣＣＨに対して送信ダイバーシチを適用しないように制御する。なお、送信ダイバーシチが適用されない場合、移動局装置５はＰＵＣＣＨをシングルアンテナポートを用いて送信するように制御する。なお、ＰＵＣＣＨに対して送信ダイバーシチの適用を許可するか否かを示す情報ではなく、ＰＵＣＣＨに対して複数の送信アンテナポートを用いた送信の適用を許可するか否かを示す情報がＲＲＣシグナリングを用いて基地局装置３から移動局装置５に通知されてもよい。
【０１８５】
移動局装置５の制御部４０５は、上りリンク制御情報生成部４０５１においてＡＣＫ／ＮＡＣＫが生成されたか否かを判定する（ステップＴ１０１）。制御部４０５は、上りリンク制御情報生成部４０５１においてＡＣＫ／ＮＡＣＫが生成されたと判定した場合（ステップＴ１０１：YES）、受信処理部４０１においてＰＤＳＣＨが受信されたセルはプライマリセルのみか否かを判定する（ステップＴ１０２）。制御部４０５は、受信処理部４０１においてＰＤＳＣＨが受信されたセルはプライマリセルのみであると判定した場合（ステップＴ１０２：YES）、送信処理部４０７においてＰＵＣＣＨに対して送信ダイバーシチを適用するように制御する（ステップＴ１０３）。言い換えると、制御部４０５は、受信処理部４０１においてＰＤＣＣＨが検出されてＰＤＳＣＨがプライマリセルのみで送信されたことが指示された場合（ステップＴ１０２：YES）、送信処理部４０７においてＰＵＣＣＨに対して送信ダイバーシチを適用するように制御する（ステップＴ１０３）。制御部４０５は、受信処理部４０１においてＰＤＳＣＨが受信されたセルはプライマリセルのみではないと判定した場合（ステップＴ１０２：NO）、つまりＰＤＳＣＨが受信されたセルは少なくともセカンダリセルを含むと判定した場合、送信処理部４０７においてＰＵＣＣＨに対して送信ダイバーシチを適用しないように制御する（ステップＴ１０４）。一方、制御部４０５は、上りリンク制御情報生成部４０５１においてＡＣＫ／ＮＡＣＫが生成されていないと判定した場合（ステップＴ１０１：NO）、ＰＵＣＣＨの送信ダイバーシチの適用に関する処理を何も行なわない。移動局装置５は、ステップT１０３、またはステップT１０４の後、第一のＰＵＣＣＨの信号を送信する。
【０１８６】
なお、基地局装置３が移動局装置５に対して送信ダイバーシチの適用を許可し、また、ＡＣＫ／ＮＡＣＫの送信方法としてＡＣＫ／ＮＡＣＫ  ｃｈａｎｎｅｌ  ｓｅｌｅｃｔｉｏｎを設定した場合においても、移動局装置５がＰＤＳＣＨが受信されるセルの状況に応じてＰＵＣＣＨに対して送信ダイバーシチを適用するか否かを制御するようにしてもよい。ＡＣＫ／ＮＡＣＫ  ｃｈａｎｎｅｌ  ｓｅｌｅｃｔｉｏｎが適用される場合と、ＤＦＴ−Ｓｐｒｅａｄ−ＯＦＤＭ方式を用いたＰＵＣＣＨが適用される場合とで、送信ダイバーシチの適用の制御に関して同様の処理を適用し、処理を簡素化することができる。
【０１８７】
以上のように、本発明の実施形態では、移動局装置５は、ＰＤＣＣＨが検出されたセルの状況に応じてＡＣＫ／ＮＡＣＫの送信に用いられるＰＵＣＣＨに対して送信ダイバーシチの適用を制御することにより、暗黙的なリソース割り当てがＰＵＣＣＨに対して行なわれる場合に送信ダイバーシチを適用するように制御し、明示的なリソース割り当てがＰＵＣＣＨに対して行なわれる場合に送信ダイバーシチを適用しないように制御することができ、その結果、明示的なリソース割り当てのために送信ダイバーシチ用の多くのＰＵＣＣＨのリソースを移動局装置５に対して予約しておく必要がなくなり、オーバヘッドの増大を回避することができる。より詳細には、移動局装置５は、ＰＤＣＣＨが検出されたセルがプライマリセルのみである状況である第一の状況と、ＰＤＣＣＨが検出されたセルの１つが少なくともセカンダリセルである状況である第二の状況とに応じて送信ダイバーシチの適用を制御し、第一の状況ではＰＵＣＣＨに対して送信ダイバーシチを適用するように制御し、第二の状況ではＰＵＣＣＨに対して送信ダイバーシチを適用しないように制御することにより、ＰＵＣＣＨのリソースのオーバヘッドの増大を回避することができる。本発明は、ＡＣＫ／ＮＡＣＫの送信方法としてＡＣＫ／ＮＡＣＫ  ｃｈａｎｎｅｌ  ｓｅｌｅｃｔｉｏｎが適用される場合に、上記の動作を行うことにより、オーバヘッドの増大を回避しつつ、出来る限り送信ダイバーシチを適用して、ＰＵＣＣＨの信号を送信することができる。
【０１８８】
本発明は、ＡＣＫ／ＮＡＣＫ送信に関してＤＦＴ−Ｓｐｒｅａｄ−ＯＦＤＭ方式を用いたＰＵＣＣＨが適用される場合、ＰＤＳＣＨが受信されたセルがプライマリセルのみである状況である第三の状況と、ＰＤＳＣＨが受信されたセルの１つが少なくともセカンダリセルである状況である第四の状況とに応じて送信ダイバーシチの適用を制御し、第三の状況ではＰＵＣＣＨに対して送信ダイバーシチを適用するように制御し、第四の状況ではＰＵＣＣＨに対して送信ダイバーシチを適用しないように制御することにより、明示的なリソース割り当てに用いるＰＵＣＣＨのリソースのオーバヘッドの増大を回避しつつ、できる限り送信ダイバーシチを適用して受信品質を向上させることができる。
【０１８９】
なお、ＡＣＫ／ＮＡＣＫ  ｃｈａｎｎｅｌ  ｓｅｌｅｃｔｉｏｎが適用される場合、暗黙的にＡＣＫ／ＮＡＣＫの情報を示すために行なわれる第一のＰＵＣＣＨのリソースの選択処理において、ＰＤＳＣＨのＡＣＫ／ＮＡＣＫの情報に応じて選択されるリソースの種類に応じてＰＵＣＣＨに対する送信ダイバーシチの適用を制御するようにしてもよい。言い換えると、選択され、明示的にＡＣＫ／ＮＡＣＫの情報を示す変調信号の送信に用いられる第一のＰＵＣＣＨのリソースが暗黙的なリソース割り当てにより割り当てられたリソースか、明示的なリソース割り当てにより割り当てられたリソースかに応じてＰＵＣＣＨに対する送信ダイバーシチの適用を制御するようにしてもよい。例えば、図１５を用いて説明を行なう。Ｒｅｓｏｕｒｃｅ  １はＣＣＥに基づく暗黙的なリソース割り当てにより割り当てられるリソースである。セカンダリセルのＰＤＳＣＨに対応するＰＤＣＣＨがプライマリセルで検出される場合、Ｒｅｓｏｕｒｃｅ  ２はＣＣＥに基づく暗黙的なリソース割り当てにより割り当てられるリソースである。この場合、選択されるリソース（Ｒｅｓｏｕｒｃｅ  １、またはＲｅｓｏｕｒｃｅ  ２）は、全て暗黙的なリソース割り当てにより割り当てられるリソースであるため、移動局装置５はＰＤＣＣＨを検出したら、送信ダイバーシチを適用して、ＡＣＫ／ＮＡＣＫの送信に用いられるＰＵＣＣＨを送信する。セカンダリセルのＰＤＳＣＨに対応するＰＤＣＣＨがセカンダリセルで検出される場合、Ｒｅｓｏｕｒｃｅ  ２はＰＤＣＣＨに含まれる制御情報に基づく明示的なリソース割り当てにより割り当てられる。移動局装置５は、Ｒｅｓｏｕｒｃｅ  １を用いて信号を送信する場合は送信ダイバーシチを適用して信号を送信し、Ｒｅｓｏｕｒｃｅ  ２を用いて信号を送信する場合は送信ダイバーシチを適用せずに信号を送信するように制御する。移動局装置５は、プライマリセルのＰＤＳＣＨに対してはＡＣＫを示し、セカンダリセルのＰＤＳＣＨに対してはＮＡＣＫを示す場合、Ｒｅｓｏｕｒｃｅ  １と、Ｒｅｓｏｕｃｅ  １に用いられる第一のＰＵＣＣＨのリソースと比較して識別番号が次の第一のＰＵＣＣＨのリソースを用いて送信ダイバーシチを適用して信号を送信する。移動局装置５は、プライマリセルのＰＤＳＣＨに対してはＮＡＣＫを示し、セカンダリセルのＰＤＳＣＨに対してはＮＡＣＫを示す場合、Ｒｅｓｏｕｒｃｅ  １と、Ｒｅｓｏｕｃｅ  １に用いられる第一のＰＵＣＣＨのリソースと比較して識別番号が次の第一のＰＵＣＣＨのリソースを用いて送信ダイバーシチを適用して信号を送信する。移動局装置５は、プライマリセルのＰＤＳＣＨに対してはＡＣＫを示し、セカンダリセルのＰＤＳＣＨに対してはＡＣＫを示す場合、Ｒｅｓｏｕｒｃｅ  ２のみを用いて送信ダイバーシチを適用せずに信号を送信する。移動局装置５は、プライマリセルのＰＤＳＣＨに対してはＮＡＣＫを示し、セカンダリセルのＰＤＳＣＨに対してはＡＣＫを示す場合、Ｒｅｓｏｕｒｃｅ  ２のみを用いて送信ダイバーシチを適用せずに信号を送信する。これにより、明示的なリソース割り当てに用いるＰＵＣＣＨのリソースのオーバヘッドの増大を回避しつつ、できる限り送信ダイバーシチを適用して受信品質を向上させることができる。
【０１９０】
また、移動局装置５とは、移動する端末に限らず、固定端末に移動局装置５の機能を実装することなどにより本発明を実現しても良い。
【０１９１】
以上説明した本発明の特徴的な手段は、集積回路に機能を実装し、制御することによっても実現することができる。すなわち、本発明の集積回路は、移動局装置５に実装されることにより、移動局装置５に複数の機能を発揮させる集積回路であって、基地局装置と同時に複数のセルを用いて通信する機能と、複数のセルで物理下りリンク制御チャネルの検出処理を行なう機能と、同一サブフレームにおいて検出された１つまたは複数の物理下りリンク制御チャネルに含まれる下りリンク制御情報でリソースの割り当てが示される１つまたは複数の物理下りリンク共用チャネルのデータに対する受信確認応答を生成する機能と、前記物理下りリンク制御チャネルが検出されたセルの状況に応じて物理上りリンク制御チャネルに対して送信ダイバーシチの適用を制御する機能と、生成された前記受信確認応答を送信ダイバーシチの適用の制御結果に応じて前記物理上りリンク制御チャネル用いて送信する機能と、を含む一連の機能を、移動局装置５に発揮させることを特徴とする。
【０１９２】
このように、本発明の集積回路を用いた移動局装置５は、ＰＤＣＣＨが検出されたセルがプライマリセルのみである状況である第一の状況と、ＰＤＣＣＨが検出されたセルの１つが少なくともセカンダリセルである状況である第二の状況とに応じてＰＵＣＣＨに対する送信ダイバーシチの適用を制御し、第一の状況ではＰＵＣＣＨに対して送信ダイバーシチを適用するように制御し、第二の状況ではＰＵＣＣＨに対して送信ダイバーシチを適用しないように制御することにより、明示的なリソース割り当てに用いるＰＵＣＣＨのリソースのオーバヘッドの増大を回避しつつ、できる限り送信ダイバーシチを適用して受信品質を向上させることができる。
【０１９３】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１９４】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１９５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１９６】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  コンポーネントキャリア分離部
３０７  上りリンクコンポーネントキャリア毎受信処理部
３０９  シンボルタイミング検出部
３１１  ＧＩ除去部
３１３  ＦＦＴ部
３１５  サブキャリアデマッピング部
３１７  伝搬路推定部
３１９  ＰＵＳＣＨ用の伝搬路等化部
３２１  ＰＵＣＣＨ用の伝搬路等化部
３２３  ＩＤＦＴ部
３２５  データ復調部
３２７  ターボ復号部
３２９  物理上りリンク制御チャネル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  ＰＤＳＣＨ用の伝搬路補償部
５１７  物理下りリンク共用チャネル復号部
５１９  ＰＤＣＣＨ用の伝搬路補償部
５２１  物理下りリンク制御チャネル復号部
５２３  データ復調部
５２５  ターボ復号部
５２７  ＱＰＳＫ復調部
５２９  ビタビデコーダ部
６０１  上りリンクコンポーネントキャリア毎送信処理部
６０３  コンポーネントキャリア合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
４０５１  上りリンク制御情報生成部
【図１】
0005490773.tif 000002
【図２】
0005490773.tif 000003
【図３】
0005490773.tif 000004
【図４】
0005490773.tif 000005
【図５】
0005490773.tif 000006
【図６】
0005490773.tif 000007
【図７】
0005490773.tif 000008
【図８】
0005490773.tif 000009
【図９】
0005490773.tif 000010
【図１０】
0005490773.tif 000011
【図１１】
0005490773.tif 000012
【図１２】
0005490773.tif 000013
【図１３】
0005490773.tif 000014
【図１４】
0005490773.tif 000015
【図１５】
0005490773.tif 000016
【図１６】
0005490773.tif 000017
【図１７】
0005490773.tif 000018
【図１８】
0005490773.tif 000019